(57)【特許請求の範囲】
【請求項１】
下りリンク（ＤＬ）多重搬送波伝送のチャネル状態情報（ＣＳＩ）を伝送する方法であって、前記方法は、ＵＥ（Ｕｓｅｒ  Ｅｑｕｉｐｍｅｎｔ）により実行され、前記方法は、
ＤＬ構成搬送波Ａ（ＣＣ  Ａ）に対するチャネル状態情報（ＣＳＩ）を生成することと、
ＤＬ  ＣＣ  Ｂに対するＣＳＩを生成することと、
一つの上りリンク（ＵＬ）搬送波の一つのＵＬサブフレームで前記ＤＬ  ＣＣ  Ａに対するＣＳＩが前記ＤＬ  ＣＣ  Ｂに対するＣＳＩと衝突する場合に、搬送波優先順位に基づいて、伝送されるＣＳＩを決定することと、
前記決定されたＣＳＩをＵＬチャネルを用いて伝送することと
を含み、
前記ＣＳＩは、ランク指示子（ＲＩ）、プリコーディング行列インデックス（ＰＭＩ）またはチャネル品質指示子（ＣＱＩ）のうちの少なくとも一つを含み、
前記ＤＬ  ＣＣ  Ａに対するＣＳＩは、前記ＤＬ  ＣＣ  Ｂに対するＣＳＩよりも高い搬送波優先順位を有し、
前記ＰＭＩ及び前記ＣＱＩは、最後に報告されたランク指示子（ＲＩ）に基づいて計算され、
前記ＤＬ  ＣＣ  Ｂに対するＰＭＩを含むＣＳＩが落とされた場合に、前記落とされたＰＭＩに後続するＣＳＩは、あらかじめ定義されたＰＭＩに基づいて生成される、方法。
【請求項２】
前記ＤＬ  ＣＣ  Ａに対するＣＳＩと前記ＤＬ  ＣＣ  Ｂに対するＣＳＩとが同じ優先順位を有する、請求項１に記載の方法。
【請求項３】
前記ＵＬチャネルは、物理上りリンク制御チャネル（ＰＵＣＣＨ）である、請求項１に記載の方法。
【請求項４】
前記ＵＬチャネルは、物理上りリンク共有チャネル（ＰＵＳＣＨ）であり、
前記搬送波優先順位は、異なった搬送波のＣＳＩの衝突に適用される、請求項１に記載の方法。
【請求項５】
下りリンク多重搬送波伝送のチャネル状態情報（ＣＳＩ）を伝送するＵＥ（Ｕｓｅｒ  Ｅｑｕｉｐｍｅｎｔ）であって、前記ＵＥは、
基地局から下りリンク信号を受信する受信モジュールと、
前記基地局に上りリンク信号を伝送する伝送モジュールと、
前記受信モジュール及び前記伝送モジュールを制御するプロセッサと
を備え、
前記プロセッサは、
ＤＬ構成搬送波Ａ（ＣＣ  Ａ）に対するチャネル状態情報（ＣＳＩ）を生成することと、
ＤＬ  ＣＣ  Ｂに対するＣＳＩを生成することと、
一つの上りリンク（ＵＬ）搬送波の一つのＵＬサブフレームで前記ＤＬ  ＣＣ  Ａに対するＣＳＩが前記ＤＬ  ＣＣ  Ｂに対するＣＳＩと衝突する場合に、搬送波優先順位に基づいて、伝送されるＣＳＩを決定することと、
前記伝送モジュールを制御することにより、前記決定されたＣＳＩをＵＬチャネルを用いて伝送することと
を実行するように構成され、
前記ＣＳＩは、ランク指示子（ＲＩ）、プリコーディング行列インデックス（ＰＭＩ）またはチャネル品質指示子（ＣＱＩ）のうちの少なくとも一つを含み、
前記ＤＬ  ＣＣ  Ａに対するＣＳＩは、前記ＤＬ  ＣＣ  Ｂに対するＣＳＩよりも高い搬送波優先順位を有し、
前記ＰＭＩ及び前記ＣＱＩは、最後に報告されたランク指示子（ＲＩ）に基づいて計算され、
前記ＤＬ  ＣＣ  Ｂに対するＰＭＩを含むＣＳＩが落とされた場合に、前記落とされたＰＭＩに後続するＣＳＩは、あらかじめ定義されたＰＭＩに基づいて生成される、ＵＥ（Ｕｓｅｒ  Ｅｑｕｉｐｍｅｎｔ）。
【請求項６】
前記ＤＬ  ＣＣ  Ａに対するＣＳＩと前記ＤＬ  ＣＣ  Ｂに対するＣＳＩとが同じ優先順位を有する、請求項５に記載のＵＥ（Ｕｓｅｒ  Ｅｑｕｉｐｍｅｎｔ）。
【請求項７】
前記ＵＬチャネルは、物理上りリンク制御チャネル（ＰＵＣＣＨ）である、請求項５に記載のＵＥ（Ｕｓｅｒ  Ｅｑｕｉｐｍｅｎｔ）。
【請求項８】
前記ＵＬチャネルは、物理上りリンク共有チャネル（ＰＵＳＣＨ）であり、
前記搬送波優先順位は、異なった搬送波のＣＳＩの衝突に適用される、請求項５に記載のＵＥ（Ｕｓｅｒ  Ｅｑｕｉｐｍｅｎｔ）。
【発明の詳細な説明】
【技術分野】
【０００１】
以下の説明は、無線通信システムに係り、特に、多重アンテナ支援無線通信システムにおいて効率的なフィードバック方法及び装置に関する。
【背景技術】
【０００２】
ＭＩＭＯ（Ｍｕｌｔｉｐｌｅ−Ｉｎｐｕｔ  Ｍｕｌｔｉｐｌｅ−Ｏｕｔｐｕｔ）技術とは、今まで１個の伝送アンテナと１個の受信アンテナを用いてきたことから脱皮し、多重伝送アンテナ及び多重受信アンテナを採択して送受信データ効率を向上させることができる方法のことを指す。すなわち、無線通信システムの送信端（ｔｒａｎｓｍｉｔｔｉｎｇ  ｅｎｄ）あるいは受信端（ｒｅｃｅｉｖｉｎｇ  ｅｎｄ）で多重アンテナを用いて容量を増大させたり性能を改善したりする技術である。ＭＩＭＯ技術は多重アンテナ技術と呼ぶこともできる。多重アンテナ伝送を正確に行うためには、多重アンテナチャネルを受信する受信端からチャネルに関する情報をフィードバックされることが必要である。
【０００３】
既存の多重アンテナ無線通信システムにおいて受信端から送信端にフィードバックする情報としては、ランク指示子（Ｒａｎｋ  Ｉｎｄｉｃａｔｏｒ；ＲＩ）、プリコーディング行列インデックス（Ｐｒｅｃｏｄｉｎｇ  Ｍａｔｒｉｘ  Ｉｎｄｅｘ；ＰＭＩ）、チャネル品質情報（Ｃｈａｎｎｅｌ  Ｑｕａｌｉｔｙ  Ｉｎｆｏｒｍａｔｉｏｎ；ＣＱＩ）などが定義されている。これらのフィードバック情報は、既存の多重アンテナ伝送に適した情報として構成される。
【０００４】
しかるに、既存の多重アンテナ無線通信システムに比べて拡張されたアンテナ構成を有する新しいシステムの導入が論議されている。例えば、既存のシステムでは４伝送アンテナまでしか支援しなかったが、拡張されたアンテナ構成を有する新しいシステムでは、８伝送アンテナを通じたＭＩＭＯ伝送を支援し、より増大したシステム容量を提供することができる。
【発明の概要】
【発明が解決しようとする課題】
【０００５】
拡張されたアンテナ構成を支援する新しいシステムでは、既存のＭＩＭＯ伝送動作に比べてより複雑なＭＩＭＯ伝送が行われるため、既存のＭＩＭＯ伝送動作のために定義されたフィードバック情報だけでは、新しいシステムでのＭＩＭＯ動作を正確に支援することができない。
【０００６】
本発明は、拡張されたアンテナ構成によるＭＩＭＯ動作を正確で效率的に支援するためのフィードバック情報を構成及び伝送する方法及び装置を提供することを技術的課題とする。
【０００７】
本発明で達成しようとする技術的課題は、以上に言及している技術的課題に制限されるものではなく、言及していない別の技術的課題は、下の記載から、本発明の属する技術の分野における通常の知識を有する者には明確に理解されるであろう。
【課題を解決するための手段】
【０００８】
上記の技術的課題を解決するために、本発明の一実施例に係る下りリンク多重搬送波伝送に対するチャネル状態情報（ＣＳＩ）を伝送する方法は、一つ以上の下りリンク搬送波に対するランク指示子（ＲＩ）、第１プリコーディング行列インデックス（ＰＭＩ）、第２ＰＭＩ、及び前記第１及び第２ＰＭＩの組み合わせにより決定されるプリコーディング情報に基づいて計算されるチャネル品質指示子（ＣＱＩ）のうち一つ以上を含む前記ＣＳＩを生成することと、一つの上りリンク搬送波上の一つの上りリンクサブフレームで２以上のＣＳＩが衝突する場合に、優先順位に基づいて、伝送されるＣＳＩを決定することと、
前記決定されたＣＳＩを上りリンクチャネルを用いて伝送することと、を有し、前記ＣＳＩは、ＲＩを含む第１グループ、広帯域第１ＰＭＩを含む第２グループ、広帯域ＣＱＩを含む第３グループ、及びサブ帯域ＣＱＩを含む第４グループに分類され、前記優先順位は、前記第１グループに属したＣＳＩまたは前記第２グループに属したＣＳＩが前記第３グループに属したＣＳＩまたは前記第４グループに属したＣＳＩと衝突する場合に、前記第３グループまたは前記第４グループに属したＣＳＩは低い優先順位を有し、落ちる（ｄｒｏｐ）ものと設定される。
【０００９】
上記の技術的課題を解決するために、本発明の他の実施例に係る下りリンク多重搬送波伝送に対するチャネル状態情報（ＣＳＩ）を伝送する端末は、基地局から下りリンク信号を受信する受信モジュールと、前記基地局に上りリンク信号を伝送する伝送モジュールと、前記受信モジュール及び前記伝送モジュールを含む前記端末を制御するプロセッサと、を備え、前記プロセッサは、一つ以上の下りリンク搬送波に対するランク指示子（ＲＩ）、第１プリコーディング行列インデックス（ＰＭＩ）、第２ＰＭＩ、及び前記第１及び第２ＰＭＩの組み合わせにより決定されるプリコーディング情報に基づいて計算されるチャネル品質指示子（ＣＱＩ）のうち一つ以上を含む前記ＣＳＩを生成し、一つの上りリンク搬送波上の一つの上りリンクサブフレームで２以上のＣＳＩが衝突する場合に、優先順位に基づいて、伝送されるＣＳＩを決定し、前記伝送モジュールを介して、前記決定されたＣＳＩを上りリンクチャネルを用いて伝送するように構成され、前記ＣＳＩは、ＲＩを含む第１グループ、広帯域第１ＰＭＩを含む第２グループ、広帯域ＣＱＩを含む第３グループ、及びサブ帯域ＣＱＩを含む第４グループに分類され、前記優先順位は、前記第１グループに属したＣＳＩまたは前記第２グループに属したＣＳＩが前記第３グループに属したＣＳＩまたは前記第４グループに属したＣＳＩと衝突する場合に、前記第３グループまたは前記第４グループに属したＣＳＩは低い優先順位を有し、落ちる（ｄｒｏｐ）ものと設定される。
【００１０】
本発明の上記実施例に以下の事項を共通に適用することができる。
【００１１】
前記第１グループに属したＣＳＩと前記第２グループに属したＣＳＩとが同じ優先順位を有してもよい。
【００１２】
前記優先順位が同一であり、且つ８伝送アンテナを用いた下りリンク伝送モードに関するＣＳＩが他の下りリンク伝送モードに関するＣＳＩと衝突する場合に、前記他の下りリンク伝送モードに関するＣＳＩが低い優先順位を有し、落ちてもよい。
【００１３】
前記優先順位が同一である場合に、前記一つ以上の下りリンク搬送波のそれぞれに対して上位層によって設定される優先順位が高い下りリンク搬送波に関するＣＳＩが、前記上りリンクチャネルを用いて伝送されてもよい。
【００１４】
前記第３グループに属したＣＳＩと前記第４グループに属したＣＳＩとが衝突する場合に、前記第４グループに属したＣＳＩが低い優先順位を有し、落ちてもよい。
【００１５】
前記第１ＰＭＩが落ちる場合に、落ちた第１ＰＭＩに後続するチャネル状態情報は、あらかじめ定義された第１ＰＭＩに基づいて生成されてもよい。
【００１６】
前記上りリンクチャネルは、物理上りリンク制御チャネル（ＰＵＣＣＨ）でもよい。
【００１７】
前記上りリンクチャネルは、物理上りリンク共有チャネル（ＰＵＳＣＨ）であり、前記優先順位は、異なった搬送波に対するＣＳＩが衝突する場合に適用されてもよい。
本明細書は、例えば、以下の項目も提供する。
（項目１）
下りリンク多重搬送波伝送に対するチャネル状態情報（ＣＳＩ）を伝送する方法であって、
一つ以上の下りリンク搬送波に対するランク指示子（ＲＩ）、第１プリコーディング行列インデックス（ＰＭＩ）、第２ＰＭＩ、及び前記第１及び第２ＰＭＩの組み合わせにより決定されるプリコーディング情報に基づいて計算されるチャネル品質指示子（ＣＱＩ）のうち一つ以上を含む前記ＣＳＩを生成することと、
一つの上りリンク搬送波上の一つの上りリンクサブフレームで２以上のＣＳＩが衝突する場合に、優先順位に基づいて、伝送されるＣＳＩを決定することと、
前記決定されたＣＳＩを上りリンクチャネルを用いて伝送することと、
を有し、
前記ＣＳＩは、ＲＩを含む第１グループ、広帯域第１ＰＭＩを含む第２グループ、広帯域ＣＱＩを含む第３グループ、及びサブ帯域ＣＱＩを含む第４グループに分類され、
前記優先順位は、前記第１グループに属したＣＳＩまたは前記第２グループに属したＣＳＩが前記第３グループに属したＣＳＩまたは前記第４グループに属したＣＳＩと衝突する場合に、前記第３グループまたは前記第４グループに属したＣＳＩは低い優先順位を有し、落ちる（ｄｒｏｐ）ものと設定される、チャネル状態情報伝送方法。
（項目２）
前記第１グループに属したＣＳＩと前記第２グループに属したＣＳＩとが同じ優先順位を有する、項目１に記載のチャネル状態情報伝送方法。
（項目３）
前記優先順位が同一であり、且つ８伝送アンテナを用いた下りリンク伝送モードに関するＣＳＩが他の下りリンク伝送モードに関するＣＳＩと衝突する場合に、前記他の下りリンク伝送モードに関するＣＳＩが低い優先順位を有し、落ちる、項目１に記載のチャネル状態情報伝送方法。
（項目４）
前記優先順位が同一である場合に、前記一つ以上の下りリンク搬送波のそれぞれに対して上位層によって設定される優先順位が高い下りリンク搬送波に関するＣＳＩが、前記上りリンクチャネルを用いて伝送される、項目１に記載のチャネル状態情報伝送方法。
（項目５）
前記第３グループに属したＣＳＩと前記第４グループに属したＣＳＩとが衝突する場合に、前記第４グループに属したＣＳＩが低い優先順位を有し、落ちる、項目１に記載のチャネル状態情報伝送方法。
（項目６）
前記第１ＰＭＩが落ちる場合に、落ちた第１ＰＭＩに後続するチャネル状態情報は、あらかじめ定義された第１ＰＭＩに基づいて生成される、項目１に記載のチャネル状態情報伝送方法。
（項目７）
前記上りリンクチャネルは、物理上りリンク制御チャネル（ＰＵＣＣＨ）である、項目１に記載のチャネル状態情報伝送方法。
（項目８）
前記上りリンクチャネルは、物理上りリンク共有チャネル（ＰＵＳＣＨ）であり、前記優先順位は、異なった搬送波に対するＣＳＩが衝突する場合に適用される、項目１に記載のチャネル状態情報伝送方法。
（項目９）
下りリンク多重搬送波伝送に対するチャネル状態情報（ＣＳＩ）を伝送する端末であって、
基地局から下りリンク信号を受信する受信モジュールと、
前記基地局に上りリンク信号を伝送する伝送モジュールと、
前記受信モジュール及び前記伝送モジュールを含む前記端末を制御するプロセッサと、を備え、
前記プロセッサは、一つ以上の下りリンク搬送波に対するランク指示子（ＲＩ）、第１プリコーディング行列インデックス（ＰＭＩ）、第２ＰＭＩ、及び前記第１及び第２ＰＭＩの組み合わせにより決定されるプリコーディング情報に基づいて計算されるチャネル品質指示子（ＣＱＩ）のうち一つ以上を含む前記ＣＳＩを生成し、
一つの上りリンク搬送波上の一つの上りリンクサブフレームで２以上のＣＳＩが衝突する場合に、優先順位に基づいて、伝送されるＣＳＩを決定し、
前記伝送モジュールを介して、前記決定されたＣＳＩを上りリンクチャネルを用いて伝送するように構成され、
前記ＣＳＩは、ＲＩを含む第１グループ、広帯域第１ＰＭＩを含む第２グループ、広帯域ＣＱＩを含む第３グループ、及びサブ帯域ＣＱＩを含む第４グループに分類され、
前記優先順位は、前記第１グループに属したＣＳＩまたは前記第２グループに属したＣＳＩが前記第３グループに属したＣＳＩまたは前記第４グループに属したＣＳＩと衝突する場合に、前記第３グループまたは前記第４グループに属したＣＳＩは低い優先順位を有し、落ちる（ｄｒｏｐ）ものと設定される、チャネル状態情報伝送端末。
（項目１０）
前記第１グループに属したＣＳＩと前記第２グループに属したＣＳＩとが同じ優先順位を有する、項目９に記載のチャネル状態情報伝送端末。
（項目１１）
前記優先順位が同一であり、且つ８伝送アンテナを用いた下りリンク伝送モードに関するＣＳＩが他の下りリンク伝送モードに関するＣＳＩと衝突する場合に、前記他の下りリンク伝送モードに関するＣＳＩが低い優先順位を有し、落ちる、項目９に記載のチャネル状態情報伝送端末。
（項目１２）
前記優先順位が同一である場合に、前記一つ以上の下りリンク搬送波のそれぞれに対して上位層によって設定される優先順位が高い下りリンク搬送波に関するＣＳＩが、前記上りリンクチャネルを用いて伝送される、項目９に記載のチャネル状態情報伝送端末。
（項目１３）
前記第３グループに属したＣＳＩと前記第４グループに属したＣＳＩとが衝突する場合に、前記第４グループに属したＣＳＩが低い優先順位を有し、落ちる、項目９に記載のチャネル状態情報伝送端末。
（項目１４）
前記第１ＰＭＩが落ちる場合に、落ちた第１ＰＭＩに後続するチャネル状態情報は、あらかじめ定義された第１ＰＭＩに基づいて生成される、項目９に記載のチャネル状態情報伝送端末。
（項目１５）
前記上りリンクチャネルは、物理上りリンク制御チャネル（ＰＵＣＣＨ）である、項目９に記載のチャネル状態情報伝送端末。
（項目１６）
前記上りリンクチャネルは、物理上りリンク共有チャネル（ＰＵＳＣＨ）であり、前記優先順位は、異なった搬送波に対するＣＳＩが衝突する場合に適用される、項目９に記載のチャネル状態情報伝送端末。
【００１８】
本発明について前述した一般的な説明と後述する詳細な説明は例示的なもので、請求項に記載の発明についてのさらなる説明のためのものである。
【発明の効果】
【００１９】
本発明によれば、拡張されたアンテナ構成によるＭＩＭＯ動作を正確で效率的に支援するためのフィードバック情報を構成及び伝送する方法及び装置を提供することが可能である。
【００２０】
本発明から得られる効果は、以上に言及した効果に制限されず、言及していない別の効果は、下の記載から、本発明の属する技術の分野における通常の知識を有する者には明確に理解されるであろう。
【図面の簡単な説明】
【００２１】
本明細書に添付している図面は、本発明に関する理解を提供するためのもので、本発明の様々な実施の形態を示し、明細書の記載と共に本発明の原理を説明するためのものである。
【図１】無線フレームの構造を示す図である。
【図２】ダウンリンクスロットにおけるリソースグリッド（ｒｅｓｏｕｒｃｅ  ｇｒｉｄ）を示す図である。
【図３】ダウンリンクサブフレームの構造を示す図である。
【図４】アップリンクサブフレームの構造を示す図である。
【図５】多重搬送波支援システムの物理層（Ｌ１）及びＭＡＣ層（Ｌ２）の構成を説明するための図である。
【図６】ダウンリンク及びアップリンクのそれぞれに対する構成搬送波（ＣＣ）を概念的に示す図である。
【図７】ＤＬ／ＵＬ  ＣＣ連係の一例を示す図である。
【図８】ＳＣ−ＦＤＭＡ伝送方式とＯＦＤＭＡ伝送方式を説明するための図である。
【図９】単一アンテナ伝送と多重アンテナ伝送の場合における最大伝送電力を説明するための図である。
【図１０】多重アンテナ（ＭＩＭＯ）通信システムの構成を示す図である。
【図１１】多重アンテナシステムにおいて一般的なＣＤＤ構造を示す図である。
【図１２】コードブックベースのプリコーディングを説明するための図である。
【図１３】ＰＵＣＣＨのリソースマッピング構造を示す図である。
【図１４】ＣＱＩ情報ビットのチャネル構造を示す図である。
【図１５】ＣＱＩ及びＡＣＫ／ＮＡＣＫ情報の伝送を説明するための図である。
【図１６】チャネル状態情報のフィードバックを説明するための図である。
【図１７】ＣＱＩ報告モードの一例を説明するための図である。
【図１８】端末が周期的にチャネル情報を伝送する方式の一例を示す図である。
【図１９】ＳＢ  ＣＱＩの伝送を説明するための図である。
【図２０】ＷＢ  ＣＱＩ及びＳＢ  ＣＱＩの伝送を説明するための図である。
【図２１】ＷＢ  ＣＱＩ、ＳＢ  ＣＱＩ及びＲＩの伝送を説明するための図である。
【図２２】制限されたランクのＰＭＩ／ＣＱＩ伝送タイミング及びオフセットの例示を説明するための図である。
【図２３】制限されたランクのＰＭＩ／ＣＱＩ伝送タイミング及びオフセットの例示を説明するための図である。
【図２４】制限されたランクのＰＭＩ／ＣＱＩの報告周期を説明するための図である。
【図２５】制限されたランクのＰＭＩ／ＣＱＩの報告周期を説明するための図である。
【図２６】制限されたランクのＰＭＩ／ＣＱＩの報告周期を説明するための図である。
【図２７】ＰＵＣＣＨ報告モード２−１によるチャネル情報伝送方案を説明するための図である。
【図２８】一部のチャネル情報が落ちる場合におけるＰＵＣＣＨ報告モード２−１によるチャネル情報伝送方案を説明するための図である。
【図２９】上りリンクを通じてチャネル情報が報告されるタイミングの一例を示す図である。
【図３０】ＰＴＩ値に基づくＰＵＣＣＨ報告モード２−１によるチャネル情報報告タイミングを示す図である。
【図３１】一部のチャネル情報の落ちの場合におけるＰＵＣＣＨ報告モード２−１によるチャネル情報伝送方案を説明するための図である。
【図３２】一部のチャネル情報の落ちの場合におけるＰＵＣＣＨ報告モード２−１によるチャネル情報伝送方案を説明するための図である。
【図３３】ＷＢ  ＣＱＩ／ＷＢ  Ｗ２及びＳＢ  ＣＱＩ／ＳＢ  Ｗ２の報告周期を説明するための図である。
【図３４】下りリンク伝送モード９に対する周期的ＰＵＣＣＨ報告モード２−１の報告周期を示す図である。
【図３５】本発明に係るチャネル状態情報伝送方法を示すフローチャートである。
【図３６】本発明に係る基地局装置及び端末装置の構成を示す図である。
【発明を実施するための形態】
【００２２】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００２３】
本明細書では、本発明の実施例を、基地局と端末との間におけるデータ送受信の関係を中心に説明する。ここで、基地局は、端末と直接通信を行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００２４】
すなわち、基地局を含む多数のネットワークノード（ｎｅｔｗｏｒｋ  ｎｏｄｅｓ）からなるネットワークにおいて、端末との通信のために行われる種々の動作は、基地局、または基地局以外の他のネットワークノードにより行われうるということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に代えてもよい。また、本文書で基地局という用語は、セルまたはセクターを含む概念として用いることができる。一方、中継機は、Ｒｅｌａｙ  Ｎｏｄｅ（ＲＮ）、Ｒｅｌａｙ  Ｓｔａｔｉｏｎ（ＲＳ）などの用語に代えてもよい。「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に代えてもよい。
【００２５】
以下の説明で使われる特定用語は、本発明の理解を助けるために提供されたもので、これらの特定用語の使用は、本発明の技術的思想から逸脱することなく他の形態に変更可能である。
【００２６】
場合によっては、本発明の概念が曖昧になることを避けるために、公知の構造及び装置は省略されたり、各構造及び装置の核心機能を中心にしたブロック図の形式で示されることがある。また、本明細書全体を通じて同一の構成要素には同一の図面符号を付して説明する。
【００２７】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、及び３ＧＰＰ２システムの少なくとも一つに開示された標準文書でサポートすることかできる。すなわち、本発明の実施例において本発明の技術的思想を明確にするために説明しない段階または部分を、上記の標準文書でサーポートすることができる。なお、本文書で開示している全ての用語は、上記の標準文書により説明することができる。
【００２８】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術とすることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（ＷｉｒｅｌｅｓｓＭＡＮ−ＯＦＤＭＡ  Ｒｅｆｅｒｅｎｃｅ  Ｓｙｓｔｅｍ）及び進展したＩＥＥＥ  ８０２．１６ｍ規格（ＷｉｒｅｌｅｓｓＭＡＮ−ＯＦＤＭＡ  Ａｄｖａｎｃｅｄ  ｓｙｓｔｅｍ）によって説明することができる。明確性のために、以下では、３ＧＰＰ  ＬＴＥ及びＬＴＥ−Ａシステムを中心に説明するが、本発明の技術的思想はこれに制限されない。
【００２９】
図１を参照してダウンリンク無線フレームの構造について説明する。
【００３０】
セルラーＯＦＤＭ無線パケット通信システムにおいて、アップリンク／ダウンリンクデータパケット伝送はサブフレーム（Ｓｕｂｆｒａｍｅ）単位になされ、１サブフレームは、多数のＯＦＤＭシンボルを含む一定時間区間と定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造、及びＴＤＤ（Ｔｉｍｅ  Ｄｉｖｉｓｉｏｎ  Ｄｕｐｌｅｘ）に適用可能なタイプ２の無線フレーム構造を支援する。
【００３１】
図１（ａ）は、タイプ１無線フレームの構造を示す図である。ダウンリンク無線フレーム（ｒａｄｉｏ  ｆｒａｍｅ）は、１０個のサブフレーム（ｓｕｂｆｒａｍｅ）で構成され、１サブフレームは時間領域（ｔｉｍｅ  ｄｏｍａｉｎ）で２個のスロット（ｓｌｏｔ）で構成される。１サブフレームが伝送されるのにかかる時間をＴＴＩ（ｔｒａｎｓｍｉｓｓｉｏｎ  ｔｉｍｅ  ｉｎｔｅｒｖａｌ）といい、例えば、１サブフレームの長さは１ｍｓであり、１スロットの長さは０．５ｍｓである。１スロットは、時間領域で複数のＯＦＤＭシンボルを有し、周波数領域で多数のリソースブロック（Ｒｅｓｏｕｒｃｅ  Ｂｌｏｃｋ；ＲＢ）を有する。３ＧＰＰ  ＬＴＥシステムでは、ダウンリンクでＯＦＤＭＡを用いるので、ＯＦＤＭシンボルが一つのシンボル区間を示す。ＯＦＤＭシンボルをＳＣ−ＦＤＭＡシンボルまたはシンボル区間と呼ぶこともできる。リソースブロック（Ｒｅｓｏｕｒｃｅ  Ｂｌｏｃｋ；ＲＢ）は、リソース割当単位であり、１スロットで複数個の連続した副搬送波（ｓｕｂｃａｒｒｉｅｒ）を有することができる。
【００３２】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張されたＣＰ（ｅｘｔｅｎｄｅｄ  ＣＰ）と一般ＣＰ（ｎｏｒｍａｌ  ＣＰ）がある。例えば、ＯＦＤＭシンボルが一般ＣＰにより構成された場合に、１スロットに含まれるＯＦＤＭシンボルの数は７個でよい。ＯＦＤＭシンボルが拡張されたＣＰにより構成された場合に、１  ＯＦＤＭシンボルの長さが増加することから、１スロットに含まれるＯＦＤＭシンボルの数は、一般ＣＰの場合に比べてより少ない。拡張されたＣＰの場合に、例えば、１スロットに含まれるＯＦＤＭシンボルの数は６個でよい。端末が速い速度で移動するなどしてチャネル状態が不安定な場合に、シンボル間干渉をより減らすために、拡張されたＣＰを用いることができる。
【００３３】
一般ＣＰが用いられる場合に、１スロットは７個のＯＦＤＭシンボルを有するので、１サブフレームは１４個のＯＦＤＭシンボルを有する。この場合、各サブフレームにおける先頭の２または３個のＯＦＤＭシンボルは、ＰＤＣＣＨ（ｐｈｙｓｉｃａｌ  ｄｏｗｎｌｉｎｋ  ｃｏｎｔｒｏｌ  ｃｈａｎｎｅｌ）に割り当てられ、残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）に割り当てられるとよい。
【００３４】
図１（ｂ）は、タイプ２無線フレームの構造を示す図である。タイプ２無線フレームは、２個のハーフフレーム（ｈａｌｆ  ｆｒａｍｅ）で構成され、各ハーフフレームは、５個のサブフレームとＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）、ＵｐＰＴＳ（Ｕｐｌｉｎｋ  Ｐｉｌｏｔ  Ｔｉｍｅ  Ｓｌｏｔ）で構成され、１サブフレームは２個のスロットで構成される。ＤｗＰＴＳは、端末での初期セル探索、同期化またはチャネル推定に用いられる。ＵｐＰＴＳは、基地局でのチャネル推定、端末の上り伝送同期を合わせるのに用いられる。保護区間は、アップリンクとダウンリンクとの間にダウンリンク信号の多重経路遅延によりアップリンクで生じる干渉を除去するための区間である。一方、無線フレームのタイプを問わず１個のサブフレームは２個のスロットで構成される。
【００３５】
無線フレームの構造は例示に過ぎず、無線フレームに含まれるサブフレームの数またはサブフレームに含まれるスロットの数、スロットに含まれるシンボルの数は、様々に変更可能である。
【００３６】
図２は、１ダウンリンクスロットにおけるリソースグリッド（ｒｅｓｏｕｒｃｅ  ｇｒｉｄ）を示す図である。１ダウンリンクスロットは、時間領域で７  ＯＦＤＭシンボルを含み、１リソースブロック（ＲＢ）は、周波数領域で１２副搬送波を含む例が示されているが、本発明はこれに制限されない。例えば、一般ＣＰ（Ｃｙｃｌｉｃ  Ｐｒｅｆｉｘ）の場合には、１スロットが７  ＯＦＤＭシンボルを含むが、拡張されたＣＰ（ｅｘｔｅｎｄｅｄ−ＣＰ）の場合には１スロットが６  ＯＦＤＭシンボルを含むことができる。リソースグリッド上のそれぞれの要素をリソース要素（ｒｅｓｏｕｒｃｅ  ｅｌｅｍｅｎｔ；ＲＥ）と呼ぶ。１リソースブロックは１２×７リソース要素を含む。ダウンリンクスロットに含まれるリソースブロックの個数ＮＤＬは、ダウンリンク伝送帯域幅に従う。アップリンクスロットの構造はダウンリンクスロットの構造と同一でよい。
【００３７】
図３は、ダウンリンクサブフレームの構造を示す図である。１サブフレーム内において、１番目のスロットの先頭の最大３  ＯＦＤＭシンボルは、制御チャネルが割り当てられる制御領域に該当し、残りのＯＦＤＭシンボルは、物理ダウンリンク共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ  ＬＴＥシステムで用いられるダウンリンク制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ；ＰＨＩＣＨ）などがある。ＰＣＦＩＣＨは、サブフレームの１番目のＯＦＤＭシンボルで伝送され、サブフレーム内の制御チャネル伝送に用いられるＯＦＤＭシンボルの個数に関する情報を含む。ＰＨＩＣＨは、アップリンク伝送の応答としてＨＡＲＱ  ＡＣＫ／ＮＡＣＫ信号を含む。ＰＤＣＣＨを通じて伝送される制御情報をダウンリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、アップリンクまたはダウンリンクスケジューリング情報を含んだり、任意の端末グループに対するアップリンク伝送電力制御命令を含む。ＰＤＣＣＨは、ダウンリンク共有チャネル（ＤＬ−ＳＣＨ）のリソース割当及び伝送フォーマット、アップリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨで伝送されるランダムアクセス応答（Ｒａｎｄｏｍ  Ａｃｃｅｓｓ  Ｒｅｓｐｏｎｓｅ）のような上位層制御メッセージのリソース割当、任意の端末グループ中の個別端末への伝送電力制御命令のセット、伝送電力制御情報、ＶｏＩＰ（Ｖｏｉｃｅ  ｏｖｅｒ  ＩＰ）の活性化などを含むことができる。複数のＰＤＣＣＨが制御領域で伝送され、端末は、複数のＰＤＣＣＨをモニタリングすることができる。ＰＤＣＣＨは、１以上の連続する制御チャネル要素（Ｃｏｎｔｒｏｌ  Ｃｈａｎｎｅｌ  Ｅｌｅｍｅｎｔ；ＣＣＥ）の組み合わせで伝送される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマット及び利用可能なビット数は、ＣＣＥの個数とＣＣＥにより提供されるコーディングレート間の相関関係によって決定される。基地局は、端末に伝送されるＤＣＩに基づいてＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者または用途によって、無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスキングされる。ＰＤＣＣＨが特定端末に対��るものであれば、端末のｃｅｌｌ−ＲＮＴＩ（Ｃ−ＲＮＴＩ）をＣＲＣにマスキングすることができる。または、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスキングすることができる。ＰＤＣＣＨがシステム情報（特に、システム情報ブロック（ＳＩＢ））に対するものであれば、システム情報識別子及びシステム情報ＲＮＴＩ（ＳＩ−ＲＮＴＩ）をＣＲＣにマスキングすることができる。端末のランダムアクセスプリアンブル伝送に対する応答であるランダムアクセス応答を表すために、ランダムアクセス−ＲＮＴＩ（ＲＡ−ＲＮＴＩ）をＣＲＣにマスキングすることができる。
【００３８】
図４は、アップリンクサブフレームの構造を示す図である。アップリンクサブフレームは、周波数領域で制御領域とデータ領域とに区別することができる。制御領域には、アップリンク制御情報を含む物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザデータを含む物理アップリンク共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末は、ＰＵＣＣＨとＰＵＳＣＨを同時に伝送しない。一つの端末に対するＰＵＣＣＨは、サブフレームでリソースブロック対（ＲＢ  ｐａｉｒ）に割り当てられる。リソースブロック対に属するリソースブロックは、２スロットに対して異なる副搬送波を占める。これを、ＰＵＣＣＨに割り当てられるリソースブロック対がスロット境界で周波数−ホッピング（ｆｒｅｑｕｅｎｃｙ−ｈｏｐｐｅｄ）するという。
【００３９】
（搬送波組み合わせ（Ｃａｒｒｉｅｒ  Ａｇｇｒｅｇａｔｉｏｎ））
一般の無線通信システムでは、アップリンクとダウンリンク間の帯域幅が互いに異なるように設定されても、主に、一つの搬送波（ｃａｒｒｉｅｒ）のみを考慮している。例えば、単一搬送波に基づき、アップリンクとダウンリンクを構成する搬送波の数がそれぞれ１個であり、アップリンクの帯域幅とダウンリンクの帯域幅とが主に互いに対称である無線通信システムを提供することができる。
【００４０】
ＩＴＵ（Ｉｎｔｅｒｎａｔｉｏｎａｌ  Ｔｅｌｅｃｏｍｍｕｎｉｃａｔｉｏｎ  Ｕｎｉｏｎ）では、ＩＭＴ−Ａｄｖａｎｃｅｄの候補技術が、既存の無線通信システムに比べて拡張された帯域幅を支援することを要求している。しかし、全世界的に一部地域以外は、大きい帯域幅の周波数割当が容易でない。そこで、断片の小さい帯域を效率的に用いるための技術として、周波数領域で物理的に複数個のバンドを組み合わせることで、論理的に大きい帯域のバンドを用いるような効果を奏するための搬送波組み合わせ（Ｃａｒｒｉｅｒ  Ａｇｇｒｅｇａｔｉｏｎ；帯域幅組み合わせ（Ｂａｎｄｗｉｄｔｈ  Ａｇｇｒｅｇａｔｉｏｎ）またはスペクトル組み合わせ（Ｓｐｅｃｔｒｕｍ  Ａｇｇｒｅｇａｔｉｏｎ）ともいう。）技術が開発されている。
【００４１】
搬送波組み合わせは、増加する収率（ｔｈｒｏｕｇｈｐｕｔ）を支援し、広帯域ＲＦ素子の導入によるコスト増加を防止し、かつ既存システムとの互換性を保障するために導入されるものである。搬送波組み合わせとは、既存の無線通信システム（例えば、３ＧＰＰ  ＬＴＥ−Ａｄｖａｎｃｅｄシステムの場合には３ＧＰＰ  ＬＴＥリリース８または９システム）で定義される帯域幅単位の搬送波の複数個の束を通じて端末と基地局間にデータを交換できるようにする技術である。ここで、既存の無線通信システムで定義される帯域幅単位の搬送波を構成搬送波（Ｃｏｍｐｏｎｅｎｔ  Ｃａｒｒｉｅｒ；ＣＣ）と呼ぶことができる。アップリンク及びダウンリンクのそれぞれにおいて一つ以上の構成搬送波を用いる搬送波組み合わせ技術を適用することができる。搬送波組み合わせ技術は、一つの構成搬送波が５ＭＨｚ、１０ＭＨｚまたは２０ＭＨｚの帯域幅を支援しても、最大５個の構成搬送波をまとめて最大１００ＭＨｚまでのシステム帯域幅を支援する技術を含むことができる。
【００４２】
ダウンリンク構成搬送波はＤＬ  ＣＣと表現でき、アップリンク構成搬送波はＵＬ  ＣＣと表現できる。また、搬送波または構成搬送波は、３ＧＰＰの標準における機能構成の側面で記述し表現する方式によってセル（ｃｅｌｌ）と表現されることもある。そのため、ＤＬ  ＣＣはＤＬ  ｃｅｌｌ、ＵＬ  ＣＣはＵＬ  ｃｅｌｌと表現されてもよい。以下、本発明では、搬送波組み合わせが適用される複数個の搬送波を、搬送波、構成搬送波、ＣＣまたはセル（ｃｅｌｌ）という用語を用いて表現する。
【００４３】
また、以下の説明で、ダウンリンク伝送主体としては主に基地局（またはセル）を挙げて説明し、アップリンク伝送主体としては主に端末を挙げて説明するが、これに制限されるわけではない。すなわち、中継機が端末へのダウンリンク伝送主体となったり、端末からのアップリンク受信主体となる場合、または中継機が基地局へのアップリンク伝送主体となったり、基地局からのダウンリンク受信主体となる場合にも、本発明の内容を適用可能である。
【００４４】
ダウンリンク搬送波組み合わせは、基地局が端末に、ある時間領域リソース（サブフレーム単位）で一つ以上の搬送波帯域上の周波数領域リソース（副搬送波またはＰＲＢ（Ｐｈｙｓｉｃａｌ  Ｒｅｓｏｕｒｃｅ  Ｂｌｏｃｋ））を用いてダウンリンク伝送を支援すること、ということができる。アップリンク搬送波組み合わせは、端末が基地局に、ある時間領域リソース（サブフレーム単位）で一つ以上の搬送波帯域上の周波数領域リソース（副搬送波またはＰＲＢ）を用いてアップリンク伝送を支援すること、ということができる。
【００４５】
図５を参照して多重搬送波支援システムの物理層（第１層、Ｌ１）及びＭＡＣ層（第２層、Ｌ２）の構成を説明する。単一搬送波を支援する既存の無線通信システムにおける基地局には一つの搬送波を支援する一つの物理層（ＰＨＹ）個体が存在し、一つのＰＨＹ個体を制御する一つのＭＡＣ（Ｍｅｄｉｕｍ  Ａｃｃｅｓｓ  Ｃｏｎｔｒｏｌ）個体を提供することができる。ＰＨＹ層では、例えば、基底帯域プロセシング動作を行うことができる。ＭＡＣ層では、例えば、送信部においてＭＡＣ  ＰＤＵ（Ｐｒｏｔｏｃｏｌ  Ｄａｔａ  Ｕｎｉｔ）生成及びＭＡＣ／ＲＬＣサブ層を包括するＬ１／Ｌ２スケジューラ動作を行うことができる。ＭＡＣ層のＭＡＣ  ＰＤＵパケットブロックは、論理的な伝送層（ｔｒａｎｓｐｏｒｔ  ｌａｙｅｒ）を経て伝送ブロック（ｔｒａｎｓｐｏｒｔ  ｂｌｏｃｋ）に変換されて物理層入力情報ブロックにマッピングされる。同図のＭＡＣ層は、Ｌ２層全体を表現するものとし、ＭＡＣ／ＲＬＣ／ＰＤＣＰサブレイヤーを包括する意味として適用可能である。このような適用は、本発明全体のＭＡＣ層の説明においていずれも置換して適用可能である。
【００４６】
一方、多重搬送波支援システムにおいてＭＡＣ−ＰＨＹ個体を複数個提供することができる。すなわち、図５の（ａ）に示すように、ｎ個の構成搬送波のそれぞれに一つずつのＭＡＣ−ＰＨＹ個体が対応する形態で多重搬送波支援システムの送信部と受信部を構成することができる。構成搬送波別に、独立したＰＨＹ層及びＭＡＣ層が構成されるので、ＭＡＣ  ＰＤＵから物理層において構成搬送波別にＰＤＳＣＨが生成される。
【００４７】
または、多重搬送波支援システムにおいて一つの共通ＭＡＣ個体と複数個のＰＨＹ個体を提供することもできる。すなわち、図５の（ｂ）に示すように、ｎ個の構成搬送波のそれぞれに対応するｎ個のＰＨＹ個体が提供され、ｎ個のＰＨＹ個体を制御する一つの共通ＭＡＣ個体が存在する形態で多重搬送波支援システムの送信部と受信部を構成することもできる。この場合、一つのＭＡＣ層からのＭＡＣ  ＰＤＵが、伝送層上において、複数個の構成搬送波のそれぞれに対応する複数個の伝送ブロックに分化されてもよく、または、ＭＡＣ層でのＭＡＣ  ＰＤＵ生成時にまたはＲＬＣ層でのＲＬＣ  ＰＤＵ生成時に、それぞれの構成搬送波別に分岐されてもよい。これにより、物理層において構成搬送波別にＰＤＳＣＨが生成される。
【００４８】
ＭＡＣ層のパケットスケジューラから生成されるＬ１／Ｌ２制御シグナリングの制御情報を伝送するＰＤＣＣＨは、個別構成搬送波ごとの物理リソースにマッピングして伝送することができる。ここで、特定端末に対するＰＤＳＣＨまたはＰＵＳＣＨの伝送のための制御情報（ダウンリンク割当またはアップリンクグラント）を含むＰＤＣＣＨは、当該ＰＤＳＣＨ／ＰＵＳＣＨが伝送される構成搬送波ごとに別個にエンコーディングすることができる。このようなＰＤＣＣＨを区分コーディングされた（ｓｅｐａｒａｔｅ  ｃｏｄｅｄ）ＰＤＣＣＨと呼ぶことができる。一方、複数個の構成搬送波のＰＤＳＣＨ／ＰＵＳＣＨ伝送のための制御情報を一つのＰＤＣＣＨとして伝送することもでき、これをジョイントコーディングされた（ｊｏｉｎｔ  ｃｏｄｅｄ）ＰＤＣＣＨと呼ぶことができる。
【００４９】
搬送波組み合わせを支援するには、制御チャネル（ＰＤＣＣＨまたはＰＵＣＣＨ）及び／または共有チャネル（ＰＤＳＣＨまたはＰＵＳＣＨ）が伝送されうるように基地局と端末（または中継機）間の接続が設定されていたり、接続設定のための準備が必要である。特定端末（または中継機）別にこのような接続／接続設定のために搬送波に対する測定（ｍｅａｓｕｒｅｍｅｎｔ）及び／または報告（ｒｅｐｏｒｔｉｎｇ）が必要であり、このような測定及び／または報告の対象となる構成搬送波を割り当てる（ａｓｓｉｇｎ）ことができる。すなわち、構成搬送波割当とは、基地局で構成されるダウンリンク／アップリンク構成搬送波のうち、特定端末（または中継機）の性能（ｃａｐａｂｉｌｉｔｙ）とシステム環境を考慮してダウンリンク／アップリンク伝送に用いられる構成搬送波を設定（構成搬送波の個数及びインデックスを指定）することを意味する。
【００５０】
この時、構成搬送波割当を、第３層（Ｌ３）ＲＲＭ（Ｒａｄｉｏ  Ｒｅｓｏｕｒｃｅ  Ｍａｎａｇｅｍｅｎｔ）で制御する場合に、端末−特定（ＵＥ−ｓｐｅｃｉｆｉｃ）または中継機−特定（ＲＮ−ｓｐｅｃｉｆｉｃ）ＲＲＣシグナリングを用いることができる。または、セル−特定（ｃｅｌｌ−ｓｐｅｃｉｆｉｃ）やセルクラスター−特定（ｃｅｌｌ  ｃｌｕｓｔｅｒ−ｓｐｅｃｉｆｉｃ）ＲＲＣシグナリングを用いることもできる。構成搬送波割当に一連の構成搬送波活性（ａｃｔｉｖａｔｉｏｎ）／非活性（ｄｅａｃｔｉｖａｔｉｏｎ）の設定のような動的な（ｄｙｎａｍｉｃ）制御が必要な場合には、Ｌ１／Ｌ２制御シグナリングとして所定のＰＤＣＣＨを用いたり、構成搬送波割当制御情報専用の（ｄｅｄｉｃａｔｅｄ）物理制御チャネルまたはＬ２  ＭＡＣメッセージ形態のＰＤＳＣＨを用いることもできる。一方、構成搬送波割当をパケットスケジューラで制御する場合には、Ｌ１／Ｌ２制御シグナリングとして所定のＰＤＣＣＨを用いたり、構成搬送波割当制御情報専用の物理制御チャネルを用いたり、または、Ｌ２  ＭＡＣメッセージ形態のＰＤＳＣＨを用いることができる。
【００５１】
図６は、ダウンリンク及びアップリンクのそれぞれに対する構成搬送波（ＣＣ）を概念的に示す図である。図６のダウンリンク（ＤＬ）及びアップリンク（ＵＬ）ＣＣは、基地局（セル）または中継機で割り当てることができ、例えば、ＤＬ  ＣＣの個数はＮに設定され、ＵＬ  ＣＣの個数をＭに設定される。
【００５２】
端末の初期アクセス（ｉｎｉｔｉａｌ  ａｃｃｅｓｓ）または初期配置（ｉｎｉｔｉａｌ  ｄｅｐｌｏｙｍｅｎｔ）過程を通じてＤＬ及びＵＬに対してそれぞれ単一の任意のＣＣに基づいてＲＲＣ接続を設定する段階（セル探索（ｃｅｌｌ  ｓｅａｒｃｈ）、システム情報（ｓｙｓｔｅｍ  ｉｎｆｏｒｍａｔｉｏｎ）獲得／受信、初期ランダムアクセス（ｉｎｉｔｉａｌ  ｒａｎｄｏｍ  ａｃｃｅｓｓ）過程など）を行った後に、端末別に固有の搬送波設定が専用シグナリング（端末−特定ＲＲＣシグナリングまたは端末−特定Ｌ１／Ｌ２  ＰＤＣＣＨシグナリング）を通じて基地局から提供される。または、端末に対する搬送波設定が基地局（セルまたはセルクラスター）単位で共通になされる場合は、セル−特定ＲＲＣシグナリングまたはセル−特定端末−共通Ｌ１／Ｌ２  ＰＤＣＣＨシグナリングを通じて提供されてもよい。または、基地局で構成している搬送波構成情報について、ＲＲＣ接続設定のためのシステム情報を通じて端末にシグナリングしてもよく、ＲＲＣ接続設定段階後の別途のシステム情報またはセル−特定ＲＲＣシグナリングを通じて端末にシグナリングしてもよい。
【００５３】
本文書では、ＤＬ／ＵＬ  ＣＣ設定について基地局と端末間の関係を中心に説明するが、これに制限されるものではない。例えば、中継機領域内の端末に対して、中継機が該当の端末のＤＬ／ＵＬ  ＣＣ設定を提供することにも同一に適用可能である。また、基地局領域内の中継機に対して、基地局が該当の中継機のＤＬ／ＵＬ  ＣＣ設定を提供することにも同一に適用可能である。以下では、明瞭性のために、基地局及び端末の関係を中心にＤＬ／ＵＬ  ＣＣ設定について説明するが、同一の内容が、中継機−端末間（アクセスアップリンク及びダウンリンク）または基地局−中継機間（バックホールアップリンク及びダウンリンク）にも適用可能であることは明らかである。
【００５４】
このようなＤＬ／ＵＬ  ＣＣを個別端末に固有に割当（ａｓｓｉｇｎｍｅｎｔ）する過程で暗黙的に（ｉｍｐｌｉｃｉｔｌｙ）、または任意のシグナリングパラメータの定義を通じて明示的に（ｅｘｐｌｉｃｉｔｌｙ）ＤＬ／ＵＬ  ＣＣ連係を設定することができる。
【００５５】
図７は、ＤＬ／ＵＬ  ＣＣ連係の一例を示す図である。基地局がダウンリンクＣＣ  ２個（ＤＬ  ＣＣ＃ａ及びＤＬ  ＣＣ＃ｂ）及びアップリンクＣＣ  ２個（ＵＬ  ＣＣ＃ｉ及びＵＬ  ＣＣ＃ｊ）でＣＣを構成（ｃｏｎｆｉｇｕｒａｔｉｏｎ）する場合に、任意の端末に対してダウンリンクＣＣ  ２個（ＤＬ  ＣＣ＃ａ及びＤＬ  ＣＣ＃ｂ）及びアップリンクＣＣ  １個（ＵＬ  ＣＣ＃ｉ）が割り当てられることによって定義されるＤＬ／ＵＬ  ＣＣ連係を例示している。図７のＤＬ／ＵＬ  ＣＣ連係設定において実線で表示されたものは、基本的に基地局が構成するＤＬ  ＣＣとＵＬ  ＣＣの連係設定を示す。これはＳＩＢ２で定義することができる。図７のＤＬ／ＵＬ  ＣＣ連係設定において点線で表示されたものは、特定端末に対して設定されるＤＬ  ＣＣとＵＬ  ＣＣの連係設定を示す。図７のＤＬ  ＣＣとＵＬ  ＣＣの連係設定は単なる例示に過ぎず、これに限定されるものではない。すなわち、本発明の様々な実施例において、基地局が構成するＤＬ  ＣＣとＵＬ  ＣＣの個数は、任意の値に設定されてもよく、これに応じて、当該構成されるＤＬ  ＣＣとＵＬ  ＣＣで端末−特定に設定または割り当てられるＤＬ  ＣＣとＵＬ  ＣＣの個数も任意の値に設定可能であり、これと関連したＤＬ／ＵＬ  ＣＣ連係も、図７の方式とは異なる方式で定義されることがある。
【００５６】
また、端末に構成または設定されるＤＬ及びＵＬ構成搬送波を、プライマリ構成搬送波（ｐｒｉｍａｒｙ  ＣＣ；ＰＣＣ）（または、ｐｒｉｍａｒｙ  ｃｅｌｌ；Ｐ−ｃｅｌｌ）またはアンカー構成搬送波（ａｎｃｈｏｒ  ＣＣ）（または、ａｎｃｈｏｒ  ｃｅｌｌ）と設定することができる。例えば、常に、ＲＲＣ接続設定上の構成／再構成情報の伝送を目的とするＤＬ  ＰＣＣ（または、ＤＬ  Ｐ−ｃｅｌｌ）を設定したり、任意の端末がアップリンクで伝送すべきＵＣＩを伝送するためのＰＵＣＣＨを伝送するＵＬ  ＣＣをＵＬ  ＰＣＣ（または、ＵＬ  Ｐ−ｃｅｌｌ）と設定することができる。このＤＬ  ＰＣＣ（Ｐ−ｃｅｌｌ）及びＵＬ  ＰＣＣ（Ｐ−ｃｅｌｌ）は、基本としては、端末別に特定して一つを設定することができる。または、ＣＣが端末に非常に多く設定される場合や複数の基地局からＣＣが設定されうる状況では、任意の端末に一つまたは一つ以上の基地局からそれぞれ一つまたは複数個のＤＬ  ＰＣＣ（Ｐ−ｃｅｌｌ）及び／またはＵＬ  ＰＣＣ（Ｐ−ｃｅｌｌ）が設定されてもよい。一応、ＤＬ  ＰＣＣ（Ｐ−ｃｅｌｌ）とＵＬ  ＰＣＣ（Ｐ−ｃｅｌｌ）の連係（ｌｉｎｋａｇｅ）は、任意に基地局が端末特定に構成できる方法を考慮することができる。或いは、より単純化した方法として、ＬＴＥリリース−８（Ｒｅｌ−８）で既に定義し、ＳＩＢ（Ｓｙｓｔｅｍ  Ｉｎｆｏｒｍａｔｉｏｎ  Ｂｌｏｃｋ（ｏｒ  Ｂａｓｅ））２でシグナリングされる基本連係の関係に基づいてＤＬ  ＰＣＣ（Ｐ−ｃｅｌｌ）とＵＬ  ＰＣＣ（Ｐ−ｃｅｌｌ）の連係が構成されてもよい。上記の連係が設定されるＤＬ  ＰＣＣ（Ｐ−ｃｅｌｌ）及びＵＬ  ＰＣＣ（Ｐ−ｃｅｌｌ）をまとめて端末特定にＰ−ｃｅｌｌと表現することもできる。
【００５７】
（ＳＣ−ＦＤＭＡ伝送及びＯＦＤＭＡ伝送）
図８は、移動通信システムにおいてＳＣ−ＦＤＭＡ伝送方式とＯＦＤＭＡ伝送方式を説明するための図である。アップリンク伝送にはＳＣ−ＦＤＭＡ伝送方式を用い、ダウンリンク伝送にはＯＦＤＭＡ伝送方式を用いることができる。
【００５８】
アップリンク信号伝送主体（例えば、端末）及びダウンリンク信号伝送主体（例えば、基地局）は、直列−並列変換器（Ｓｅｒｉａｌ−ｔｏ−Ｐａｒａｌｌｅｌ  Ｃｏｎｖｅｒｔｅｒ）８０１、副搬送波マッパー８０３、Ｍ−ポイントＩＤＦＴ（Ｉｎｖｅｒｓｅ  Ｄｉｓｃｒｅｔｅ  Ｆｏｕｒｉｅｒ  Ｔｒａｎｓｆｏｒｍ）モジュール８０４、及び並列−直列変換器（Ｐａｒａｌｌｅｌ−ｔｏ−Ｓｅｒｉａｌ  Ｃｏｎｖｅｒｔｅｒ）８０５を備える点においては同一である。直列−並列変換器８０１に入力される入力信号は、チャネルコーディング及び変調されたデータシンボルである。ただし、ＳＣ−ＦＤＭＡ方式で信号を伝送するためのユーザー機器は、Ｎ−ポイントＤＦＴ（Ｄｉｓｃｒｅｔｅ  Ｆｏｕｒｉｅｒ  Ｔｒａｎｓｆｏｒｍ）モジュール８０２をさらに備え、Ｍ−ポイントＩＤＦＴモジュール８０４のＩＤＦＴ処理影響をある程度打ち消すことで、伝送信号に単一搬送波特性を有させることができる。すなわち、ＤＦＴモジュール８０２では、入力されたデータシンボルをＤＦＴ拡散させることによって、アップリンク伝送で要求される単一搬送波特性（ｓｉｎｇｌｅ  ｃａｒｒｉｅｒ  ｐｒｏｐｅｒｔｙ）を満たすようにすることができる。このようなＳＣ−ＦＤＭＡ伝送方式は、基本的に、良好なＰＡＰＲ（Ｐｅａｋ  ｔｏ  Ａｖｅｒａｇｅ  Ｐｏｗｅｒ  Ｒａｔｉｏ）またはＣＭ（Ｃｕｂｉｃ  Ｍｅｔｒｉｃ）を提供し、アップリンク送信機が電力制限状況の場合にもより効率的に伝送できるようにし、ユーザー収率を向上させることができる。
【００５９】
図９は、単一アンテナ伝送と多重アンテナ伝送の場合における最大伝送電力を説明するための図である。図９（ａ）は、単一アンテナ伝送の場合を示す。一つのアンテナに一つの電力増幅器（ＰＡ；Ｐｏｗｅｒ  Ａｍｐｌｉｆｉｅｒ）を提供することができる。図９（ａ）で電力増幅器の出力（Ｐｍａｘ）は特定値を有することができ、例えば、２３ｄＢｍの値を有することができる。一方、図９（ｂ）及び９（ｃ）は、多重アンテナ伝送の場合を示す。図９（ｂ）及び図９（ｃ）で複数個の伝送アンテナのそれぞれに複数個のＰＡをマッピングすることができる。例えば、伝送アンテナの個数が２の場合には、２個のＰＡがそれぞれ伝送アンテナにマッピングされる。２個のＰＡの出力値（すなわち、最大伝送電力）の設定は、図９（ｂ）及び９（ｃ）のように異なるように構成されてもよい。
【００６０】
図９（ｂ）では、単一アンテナ伝送の場合における最大伝送電力値（Ｐｍａｘ）をＰＡ１及びＰＡ２で分けて適用する例を示す。すなわち、ＰＡ１にｘ［ｄＢｍ］の伝送電力値が設定されると、ＰＡ２には（Ｐｍａｘ−ｘ）［ｄＢｍ］の伝送電力値を適用することができる。こうすると、全体伝送電力がＰｍａｘに維持されるので、送信機が電力制限状況においてＰＡＰＲの増加に、より強い特性を有することができる。
【００６１】
一方、図９（ｃ）では、一つの伝送アンテナ（ＡＮＴ１）のみが最大伝送電力値（Ｐｍａｘ）を有し、残り一つの伝送アンテナ（ＡＮＴ２）の伝送電力値はその半分（Ｐｍａｘ／２）に設定される例を示す。この場合には、一つの伝送アンテナのみがＰＡＰＲ増加に強い特性を有することができる。
【００６２】
（多重アンテナシステム）
多重アンテナ（ＭＩＭＯ）技術は、メッセージを受信するために単一アンテナ経路に依存せずに、複数のアンテナから受信したデータ断片を集めて完成する技術を応用したものである。多重アンテナ技術は、特定範囲でデータ伝送速度を向上させたり特定データ伝送速度に対してシステム範囲を増加させたりできるため、移動通信端末と中継機などに幅広く使用できる次世代移動通信技術であり、データ通信拡大などにより限界状況に達した移動通信の伝送量限界を克服できる次世代技術として関心を集めている。
【００６３】
図１０（ａ）は、一般的な多重アンテナ（ＭＩＭＯ）通信システムの構成図である。図１０（ａ）に示すように、伝送アンテナの数をＮＴ個、受信アンテナの数をＮＲ個に同時に増やすと、送信機または受信機のいずれか一方でのみ多数のアンテナを使用する場合とは違い、アンテナ数に比例して理論的にチャネル伝送容量が増加する。そのため、伝送率（ｔｒａｎｓｍｉｓｓｉｏｎ  ｒａｔｅ）を向上させ、周波数効率を画期的に向上させることが可能である。チャネル伝送容量の増加による伝送率は、理論的に一つのアンテナを用いる場合の最大伝送率（Ｒ０）に、下記の数学式１の増加率（Ｒｉ）が掛けられた分だけ増加可能である。
【００６４】
【数１】
0005995850.tif 000002
例えば、４個の伝送アンテナと４個の受信アンテナを用いるＭＩＭＯ通信システムでは、単一アンテナシステムに比べて理論上４倍の伝送率を獲得することができる。このような多重アンテナシステムの理論的容量増加が９０年代の半ばに証明されて以来、実質的なデータ伝送率の向上につなかせるめめに様々な技術が現在まで活発に研究されており、それらのいくつかの技術は既に３世代移動通信と次世代無線ＬＡＮなどの様々な無線通信の標準に反映されている。
【００６５】
現在までの多重アンテナ関連研究の動向をみると、様々なチャネル環境及び多重接続環境での多重アンテナ通信容量計算などと関連した情報理論側面の研究、多重アンテナシステムの無線チャネル測定及び模型導出の研究、そして伝送信頼度向上及び伝送率向上のための時空間信号処理技術の研究などのように、様々な観点で活発な研究が進行されている。
【００６６】
多重アンテナシステムにおける通信方法をより具体的な方法で説明するためにそれを数学的にモデリングすると、次のように示すことができる。図１０（ａ）に示すように、ＮＴ個の伝送アンテナとＮＲ個の受信アンテナが存在するとしよう。まず、伝送信号について説明すると、ＮＴ個の伝送アンテナがある場合に、最大伝送可能な情報はＮＴ個であるから、伝送情報を下記の数学式２のようなヘクトルで示すことができる。
【００６７】
【数２】
0005995850.tif 000003
一方、それぞれの伝送情報
【００６８】
【化１】
0005995850.tif 000004
において伝送電力を異ならせることができ、この時、それぞれの伝送電力を
【００６９】
【化２】
0005995850.tif 000005
とすれば、伝送電力の調整された伝送情報をヘクトルで示すと、下記の数学式３のようになる。
【００７０】
【数３】
0005995850.tif 000006
また、
【００７１】
【化３】
0005995850.tif 000007
を伝送電力の対角行列Ｐを用いて表すと、下記の数学式４のようになる。
【００７２】
【数４】
0005995850.tif 000008
一方、伝送電力の調整された情報ヘクトル
【００７３】
【化４】
0005995850.tif 000009
に重み行列Ｗが適用されて、実際に伝送されるＮＴ個の伝送信号（ｔｒａｎｓｍｉｔｔｅｄ  ｓｉｇｎａｌ）
【００７４】
【化５】
0005995850.tif 000010
が構成される場合を考慮してみよう。ここで、重み行列は、伝送情報を伝送チャネル状況などに応じて各アンテナに適宜分配する役割を果たす。このような伝送信号
【００７５】
【化６】
0005995850.tif 000011
はヘクトルＸを用いて下記の数学式５のように表すことができる。ここで、Ｗｉｊは、ｉ番目の伝送アンテナとｊ番目の情報間の重み値を意味する。Ｗは、重み行列（Ｗｅｉｇｈｔ  Ｍａｔｒｉｘ）またはプリコーディング行列（Ｐｒｅｃｏｄｉｎｇ  Ｍａｔｒｉｘ）と呼ばれる。
【００７６】
【数５】
0005995850.tif 000012
ＮＲ個の受信アンテナがある場合に、各アンテナの受信信号
【００７７】
【化７】
0005995850.tif 000013
をヘクトルで表すと、下記の数学式６のようになる。
【００７８】
【数６】
0005995850.tif 000014
一方、多重アンテナ通信システムにおけるチャネルをモデリングする場合に、チャネルを送受信アンテナインデックスによって区別でき、伝送アンテナｊから受信アンテナｉを経るチャネルをｈｉｊと表示するとする。ここで、ｈｉｊのインデックスの順序は、受信アンテナインデックスが先で、伝送アンテナのインデックスが後であることに留意されたい。
【００７９】
このようなチャネルは、複数個を一つにまとめてヘクトル及び行列形態で表示することも可能である。ヘクトル表示を取り上げて説明すると、次の通りである。図１０（ｂ）は、ＮＴ個の伝送アンテナから受信アンテナｉへのチャネルを示す図である。
【００８０】
図１０（ｂ）に示すように、総ＮＴ個の伝送アンテナから受信アンテナｉに到着するチャネルは、次のように表現可能である。
【００８１】
【数７】
0005995850.tif 000015
また、上記の数学式７のような行列表現を用いてＮＴ個の伝送アンテナからＮＲ個の受信アンテナを経るチャネルを全て表すと、下記の数学式８のようになる。
【００８２】
【数８】
0005995850.tif 000016
実のチャネルは上のようなチャネル行列Ｈを経た後に白色雑音（ＡＷＧＮ；Ａｄｄｉｔｉｖｅ  Ｗｈｉｔｅ  Ｇａｕｓｓｉａｎ  Ｎｏｉｓｅ）が加えられるので、ＮＲ個の受信アンテナのそれぞれに加えられる白色雑音
【００８３】
【化８−１】
0005995850.tif 000017
をヘクトルで表現すると、下記の数学式９のようになる。
【００８４】
【数９】
0005995850.tif 000018
これらの数学式を用いて求めた受信信号は、下記の数学式１０の通りである。
【００８５】
【数１０】
0005995850.tif 000019
一方、チャネル状況を表すチャネル行列Ｈの行と列の数は、伝送アンテナと受信アンテナの個数によって決定される。チャネル行列Ｈにおいて、行の数は受信アンテナの個数（ＮＲ）と同一であり、列の数は伝送アンテナの個数（ＮＴ）と同一である。すなわち、チャネル行列Ｈは、ＮＲ×ＮＴ行列で表示することができる。一般に、行列のランクは、互いに独立した行の数と列の数のうち、より小さい数によって定義される。そのため、行列のランクは、行列の行の数や列の数よりも大きい値を有することができない。チャネル行列Ｈのランクは、下記の数学式１１で表現することができる。
【００８６】
【数１１】
0005995850.tif 000020
多重アンテナシステムの運営（ｏｐｅｒａｔｉｏｎ）のために用いられる多重アンテナ送受信手法（ｓｃｈｅｍｅ）は、ＦＳＴＤ（ｆｒｅｑｕｅｎｃｙ  ｓｗｉｔｃｈｅｄ  ｔｒａｎｓｍｉｔ  ｄｉｖｅｒｓｉｔｙ）、ＳＦＢＣ（Ｓｐａｃｅ  Ｆｒｅｑｕｅｎｃｙ  Ｂｌｏｃｋ  Ｃｏｄｅ）、ＳＴＢＣ（Ｓｐａｃｅ  Ｔｉｍｅ  Ｂｌｏｃｋ  Ｃｏｄｅ）、ＣＤＤ（Ｃｙｃｌｉｃ  Ｄｅｌａｙ  Ｄｉｖｅｒｓｉｔｙ）、ＴＳＴＤ（ｔｉｍｅ  ｓｗｉｔｃｈｅｄ  ｔｒａｎｓｍｉｔ  ｄｉｖｅｒｓｉｔｙ）などにすることができる。ランク２以上では、空間多重化（Ｓｐａｔｉａｌ  Ｍｕｌｔｉｐｌｅｘｉｎｇ；ＳＭ）、ＧＣＤＤ（Ｇｅｎｅｒａｌｉｚｅｄ  Ｃｙｃｌｉｃ  Ｄｅｌａｙ  Ｄｉｖｅｒｓｉｔｙ）、Ｓ−ＶＡＰ（Ｓｅｌｅｃｔｉｖｅ  Ｖｉｒｔｕａｌ  Ａｎｔｅｎｎａ  Ｐｅｒｍｕｔａｔｉｏｎ）などを用いることができる。
【００８７】
ＦＳＴＤは、各多重アンテナに伝送される信号ごとに異なる周波数の副搬送波を割り当てることによってダイバーシティ利得を得る方式である。ＳＦＢＣは、空間領域と周波数領域での選択性を效率的に適用することで、該当の次元でのダイバーシティ利得と多重ユーザースケジューリング利得の両方を確保できる手法である。ＳＴＢＣは、空間領域と時間領域で選択性を適用する手法である。ＣＤＤは、各送信アンテナ間の経路遅延を用いてダイバーシティ利得を得る手法である。ＴＳＴＤは、多重アンテナで伝送される信号を時間によって区別する手法である。空間多重化は、アンテナ別に異なるデータを伝送して伝送率を高める手法である。ＧＣＤＤは、時間領域と周波数領域での選択性を適用する手法である。Ｓ−ＶＡＰは、単一プリコーディング行列を用いる手法であり、空間ダイバーシティまたは空間多重化において多重コードワードをアンテナ間に混合するＭＣＷ（Ｍｕｌｔｉ  Ｃｏｄｅｗｏｒｄ）Ｓ−ＶＡＰと単一コードワードを用いるＳＣＷ（Ｓｉｎｇｌｅ  Ｃｏｄｅｗｏｒｄ）Ｓ−ＶＡＰがある。
【００８８】
これらのＭＩＭＯ伝送手法のうち、ＳＴＢＣ手法は、同じデータシンボルが時間領域で直交性を支援する方式で反復されることで時間ダイバーシティを獲得する方式である。同様に、ＳＦＢＣ手法は、同じデータシンボルが周波数領域で直交性を支援する方式で反復されることで周波数ダイバーシティを獲得する方式である。ＳＴＢＣに用いられる時間ブロックコード及びＳＦＢＣに用いられる周波数ブロックコードの例示は、下の数学式１２及び１３と通りである。数式１２は２伝送アンテナ場合、数式１３は４伝送アンテナの場合におけるブロックコードを表す。
【００８９】
【数１２】
0005995850.tif 000021
【００９０】
【数１３】
0005995850.tif 000022
数学式１２及び１３で、Ｓｉ（ｉ＝１，２，３，４）は、変調されたデータシンボルを表す。また、数学式１２及び１３の行列において、行（ｒｏｗ）はアンテナポートを表し、列（ｃｏｌｕｍｎ）は時間（ＳＴＢＣの場合）または周波数（ＳＦＢＣの場合）を表す。
【００９１】
一方、前述のＭＩＭＯ伝送手法のうち、ＣＤＤ手法は、遅延拡散を人為的に増加させることで、周波数ダイバーシティを増加させる方式である。図１１は、多重アンテナシステムにおいて一般的なＣＤＤ構造の例示を示す。図１１（ａ）は、時間領域での巡回遅延を適用する方式を表す。図１１（ａ）の巡回遅延を適用するＣＤＤ手法は、図１１（ｂ）のように位相−シフトダイバーシティを適用することとすることもできる。
【００９２】
一方、前述したＭＩＭＯ伝送手法と関連して、コードブックベースのプリコーディング手法について説明する。図１２は、コードブックベースのプリコーディングの基本概念を説明するための図である。
【００９３】
コードブックベースのプリコーディング方式によれば、送受信端は、伝送ランク、アンテナ個数などによってあらかじめ定められた所定個数のプリコーディング行列を含むコードブック情報を共有するようになる。すなわち、フィードバック情報が有限（ｆｉｎｉｔｅ）な場合に、プリコーディングベースのコードブック方式を用いることができる。受信端は受信信号を通じてチャネル状態を測定し、上述したコードブック情報に基づいて有限な個数の好むプリコーディング行列情報（すなわち、該当のプリコーディング行列のインデックス）を送信端にフィードバックすることができる。例えば、受信端ではＭＬ（Ｍａｘｉｍｕｍ  Ｌｉｋｅｌｉｈｏｏｄ）またはＭＭＳＥ（Ｍｉｎｉｍｕｍ  Ｍｅａｎ  Ｓｑｕａｒｅ  Ｅｒｒｏｒ）方式で受信信号を測定し、最適のプリコーディング行列を選択することができる。図１２では、受信端が送信端にプリコーディング行列情報をコードワード別に伝送する例を示しているが、これに限定されるわけではない。
【００９４】
受信端からフィードバック情報を受信した送信端は、受信した情報に基づいてコードブックから特定プリコーディング行列を選択することができる。プリコーディング行列を選択した送信端は、伝送ランクに対応する個数のレイヤー信号に、選択されたプリコーディング行列を掛ける方式でプリコーディングを行い、プリコーディングの行われた伝送信号を複数のアンテナから伝送することができる。
【００９５】
送信端でプリコーディングされて伝送された信号を受信した受信端は、送信端でなされたプリコーディングの逆処理を行って受信信号を復元することができる。一般に、プリコーディング行列は、Ｕ＊ＵＨ＝Ｉのようなユニタリー行列（Ｕ）条件を満たすので、上述したプリコーディングの逆処理は、送信端のプリコーディングに用いられたプリコーディング行列（Ｐ）のエルミート（Ｈｅｒｍｉｔ）行列（ＰＨ）を受信信号に掛ける方式で行うことができる。
【００９６】
（物理アップリンク制御チャネル（ＰＵＣＣＨ））
アップリンク制御情報を含む物理アップリンク制御チャネル（ＰＵＣＣＨ）について説明する。
【００９７】
ＰＵＣＣＨを通じて複数個の端末の制御情報を伝送することができ、各端末の信号を区別するためにコード分割多重化（Ｃｏｄｅ  Ｄｉｖｉｓｉｏｎ  Ｍｕｌｔｉｐｌｅｘｉｎｇ；ＣＤＭ）を行う場合に長さ１２のＣＡＺＡＣ（Ｃｏｎｓｔａｎｔ  Ａｍｐｌｉｔｕｄｅ  Ｚｅｒｏ  Ａｕｔｏｃｏｒｒｅｌａｔｉｏｎ）シーケンスを主に用いる。ＣＡＺＡＣシーケンスは、時間領域及び周波数領域で一定の大きさ（ａｍｐｌｉｔｕｄｅ）を維持する特性を有するので、端末のＰＡＰＲ（Ｐｅａｋ−ｔｏ−Ａｖｅｒａｇｅ  Ｐｏｗｅｒ  Ｒａｔｉｏ）またはＣＭ（ＣｕｂｉＣ  Ｍｅｔｒｉｃ）を下げ、カバレッジを増加させるのに適した性質を有する。また、ＰＵＣＣＨを通じて伝送されるダウンリンクデータ伝送に対するＡＣＫ／ＮＡＣＫ情報は、直交シーケンス（ｏｒｔｈｇｏｎａｌ  ｓｅｑｕｅｎｃｅ）を用いてカバーリングされる。
【００９８】
また、ＰＵＣＣＨ上で伝送される制御情報は、異なる巡回シフト値を有する巡回シフトされたシーケンス（ｃｙｃｌｉｃａｌｌｙ  ｓｈｉｆｔｅｄ  ｓｅｑｕｅｎｃｅ）を用いて区別できる。巡回シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）だけ巡回シフトさせて生成することができる。特定ＣＳ量は、巡回シフトインデックス（ＣＳ  ｉｎｄｅｘ）により指示される。チャネルの遅延拡散（ｄｅｌａｙ  ｓｐｒｅａｄ）によって使用可能な巡回シフトの数は異なることがある。様々なシーケンスを基本シーケンスに用いることができ、その一例に前述のＣＡＺＡＣシーケンスがある。
【００９９】
ＰＵＣＣＨは、スケジューリング要請（Ｓｃｈｅｄｕｌｉｎｇ  Ｒｅｑｕｅｓｔ；ＳＲ）、ダウンリンクチャネル測定情報、ダウンリンクデータ伝送に対するＡＣＫ／ＮＡＣＫ情報のような制御情報を含むことができる。チャネル測定情報は、チャネル品質指示子（Ｃｈａｎｎｅｌ  Ｑｕａｌｉｔｙ  Ｉｎｄｉｃａｔｏｒ；ＣＱＩ）、プリコーディング行列インデックス（Ｐｒｅｃｏｄｉｎｇ  Ｍａｔｒｉｘ  Ｉｎｄｅｘ；ＰＭＩ）及びランク指示子（Ｒａｎｋ  Ｉｎｄｉｃａｔｏｒ；ＲＩ）を含むことができる。
【０１００】
ＰＵＣＣＨに含まれる制御情報の種類、変調方式などによってＰＵＣＣＨフォーマットが定義される。すなわち、ＰＵＣＣＨフォーマット１はＳＲの伝送に用いられ、ＰＵＣＣＨフォーマット１ａまたはフォーマット１ｂは、ＨＡＲＱ  ＡＣＫ／ＮＡＣＫの伝送に用いられ、ＰＵＣＣＨフォーマット２はＣＱＩの伝送に用いられ、ＰＵＣＣＨフォーマット２ａ／２ｂはＣＱＩ及びＨＡＲＱ  ＡＣＫ／ＮＡＣＫの伝送に用いられる。
【０１０１】
任意のサブフレームでＨＡＲＱ  ＡＣＫ／ＮＡＣＫが単独で伝送される場合にはＰＵＣＣＨフォーマット１ａまたはフォーマット１ｂを用い、ＳＲが単独で伝送される場合にはＰＵＣＣＨフォーマット１を用いる。端末は、ＨＡＲＱ  ＡＣＫ／ＮＡＣＫ及びＳＲを同一のサブフレームで伝送することもでき、これについては後述する。
【０１０２】
ＰＵＣＣＨフォーマットは、表１のように要約することができる。
【０１０３】
【表１】
0005995850.tif 000023
図１３は、アップリンク物理リソースブロックでＰＵＣＣＨのリソースマッピング構造を示す。
【化８−２】
0005995850.tif 000024
は、アップリンクでのリソースブロックの個数を表し、ｎＰＲＢは、物理リソースブロック番号を意味する。ＰＵＣＣＨは、アップリンク周波数ブロックの両端（ｅｄｇｅ）にマッピングされる。ＣＱＩリソースは、周波数帯域末端に続く物理リソースブロックにマッピングし、これに続いてＡＣＫ／ＮＡＣＫをマッピングできる。
【０１０４】
ＰＵＣＣＨフォーマット１は、ＳＲ伝送のために用いられる制御チャネルである。スケジューリング要請（ＳＲ）は、端末がスケジューリングされることを要請したりまたは要請しない方式で伝送することができる。
【０１０５】
ＰＵＣＣＨフォーマット１ａ／１ｂは、ＡＣＫ／ＮＡＣＫ伝送のために用いられる制御チャネルである。ＰＵＣＣＨフォーマット１ａ／１ｂにおいてＢＰＳＫまたはＱＰＳＫ変調方式を用いて変調されたシンボルは、長さ１２のＣＡＺＡＣシーケンスに乗算（ｍｕｌｔｉｐｌｙ）される。ＣＡＺＡＣシーケンス乗算後に、直交シーケンスとしてブロック方向に（ｂｌｏｃｋ−ｗｉｓｅ）拡散される。一般のＡＣＫ／ＮＡＣＫ情報に対しては長さ４のアダマール（Ｈａｄａｍａｒｄ）シーケンスが用いられ、短い（ｓｈｏｒｔｅｎｅｄ）ＡＣＫ／ＮＡＣＫ情報及び参照信号（Ｒｅｆｅｒｅｎｃｅ  Ｓｉｇｎａｌ）に対しては長さ３のＤＦＴ（Ｄｉｓｃｒｅｔｅ  Ｆｏｕｒｉｅｒ  Ｔｒａｎｓｆｏｒｍ）シーケンスを用いることができる。拡張されたＣＰの場合における参照信号に対しては長さ２のアダマールシーケンスを用いることができる。
【０１０６】
端末は、ＨＡＲＱ  ＡＣＫ／ＮＡＣＫ及びＳＲを同一サブフレームで伝送することもできる。肯定（ｐｏｓｉｔｉｖｅ）ＳＲ伝送のために、端末は、ＳＲ用に割り当てられたリソースを通じてＨＡＲＱ  ＡＣＫ／ＮＡＣＫを伝送することができる。否定（ｎｅｇａｔｉｖｅ）ＳＲ伝送のためには、端末は、ＡＣＫ／ＮＡＣＫ用に割り当てられたリソースを通じてＨＡＲＱ  ＡＣＫ／ＮＡＣＫを伝送することができる。
【０１０７】
次に、ＰＵＣＣＨフォーマット２／２ａ／２ｂについて説明する。ＰＵＣＣＨフォーマット２／２ａ／２ｂは、チャネル測定フィードバック（ＣＱＩ、ＰＭＩ、ＲＩ）を伝送するための制御チャネルである。
【０１０８】
ＰＵＣＣＨフォーマット２／２ａ／２ｂは、ＣＡＺＡＣシーケンスによる変調を支援し、ＱＰＳＫ変調されたシンボルを長さ１２のＣＡＺＡＣシーケンスに乗算することができる。シーケンスの巡回シフトはシンボル及びスロット間に変更可能である。参照信号（ＲＳ）に対して直交カバーリングを用いることができる。
【０１０９】
図１４は、ＣＱＩ情報ビットのチャネル構造を示す図である。ＣＱＩ情報ビットは一つ以上のフィールドを含むことができる。例えば、ＭＣＳを決定するＣＱＩインデックスを指示するＣＱＩフィールド、コードブック上のプリコーディング行列のインデックスを指示するＰＭＩフィールド、ランクを指示するＲＩフィールドなどをＣＱＩ情報ビットに含むことができる。
【０１１０】
図１４（ａ）を参照すると、１スロットに含まれる７個のＳＣ−ＦＤＭＡシンボルのうち、３個のＳＣ−ＦＤＭＡシンボル間隔だけ離れた２個のＳＣ−ＦＤＭＡシンボルには、参照信号（ＲＳ）を載せ、残り５個のＳＣ−ＦＤＭＡシンボルにはＣＱＩ情報を載せることができる。１スロット内に２つのＲＳを用いたのは、高速端末を支援するためである。また、シーケンスを用いて各端末を区別することができる。ＣＱＩ情報シンボルは、ＳＣ−ＦＤＭＡシンボル全体に変調されて伝達され、ＳＣ−ＦＤＭＡシンボルは一つのシーケンスで構成される。すなわち、端末は、各シーケンスにＣＱＩを変調して伝送することができる。
【０１１１】
１  ＴＴＩに伝送可能なシンボル数は１０個であり、ＣＱＩ情報の変調はＱＰＳＫまで定められている。ＳＣ−ＦＤＭＡシンボルに対してＱＰＳＫマッピングを用いる場合に、２ビットのＣＱＩ値を載せることができるので、１スロットに１０ビットのＣＱＩ値を載せることができる。そのため、１サブフレームに最大２０ビットのＣＱＩ値を載せることができる。ＣＱＩ情報を周波数領域で拡散させるために周波数領域拡散符号を用いることができる。
【０１１２】
周波数領域拡散符号にはＣＡＺＡＣシーケンス（例えば、ＺＣシーケンス）を用いることができる。また、周波数領域拡散符号に、相関特性に優れた他のシーケンスを適用することもできる。特に、各制御チャネルは、異なる巡回シフト（ｃｙｃｌｉｃ  ｓｈｉｆｔ）値を有するＣＡＺＡＣシーケンスを適用して区別することができる。周波数領域拡散されたＣＱＩ情報にＩＦＦＴが行われる。
【０１１３】
図１４（ｂ）には、拡張されたＣＰの場合に、ＰＵＣＣＨフォーマット２／２ａ／２ｂ伝送の例を示す。１スロットは６  ＳＣ−ＦＤＭＡシンボルを含む。各スロットの６  ＯＦＤＭシンボルのうち、１  ＯＦＤＭシンボルにはＲＳを載せ、残り５  ＯＦＤＭシンボルにはＣＱＩ情報ビットを載せることができる。これ以外は、図１４（ａ）の一般ＣＰの場合の例をそのまま適用することができる。
【０１１４】
図１４（ａ）及び１４（ｂ）のＲＳに対して用いられる直交カバーリングは、表２の通りである。
【０１１５】
【表２】
0005995850.tif 000025
図１５を参照してＣＱＩ情報とＡＣＫ／ＮＡＣＫ情報の同時伝送について説明する。
【０１１６】
一般ＣＰの場合に、ＰＵＣＣＨフォーマット２ａ／２ｂを用いてＣＱＩ情報とＡＣＫ／ＮＡＣＫ情報を同時に伝送することができる。ＡＣＫ／ＮＡＣＫ情報を、ＣＱＩ  ＲＳの伝送されるシンボルを通じて伝送することができる。すなわち、一般ＣＰの場合に、２番目のＲＳをＡＣＫ／ＮＡＣＫシンボルに変調することができる。ＡＣＫ／ＮＡＣＫシンボルがＰＵＣＣＨフォーマット１ａのようにＢＰＳＫ方式で変調される場合には、ＣＱＩ  ＲＳをＡＣＫ／ＮＡＣＫシンボルにＢＰＳＫ方式で変調し、ＡＣＫ／ＮＡＣＫシンボルがＰＵＣＣＨフォーマット１ｂのようにＱＰＳＫ方式で変調される場合には、ＣＱＩ  ＲＳをＡＣＫ／ＮＡＣＫシンボルにＱＰＳＫ方式で変調することができる。一方、拡張されたＣＰの場合には、ＰＵＣＣＨフォーマット２を用いてＣＱＩ情報とＡＣＫ／ＮＡＣＫ情報を同時に伝送し、そのために、ＣＱＩ情報とＡＣＫ／ＮＡＣＫ情報をジョイントコーディング（ｊｏｉｎｔ  ｃｏｄｉｎｇ）することができる。
【０１１７】
前述の事項の他、ＰＵＣＣＨに関する説明は、３ＧＰＰ標準文書（例えば、３ＧＰＰ  ＴＳ３６．２１１５．４節）を参照すればよく、その具体的な内容は、説明の明確性のために省略する。しかし、ＰＵＣＣＨについて上記標準文書に開示された内容は、以下に説明する本発明の様々な実施形態で用いられるＰＵＣＣＨにも適用されうる。
【０１１８】
（チャネル状態情報フィードバック）
ＭＩＭＯ手法を正確に行うために、受信端ではランク指示子（ＲＩ）、プリコーディング行列インデックス（ＰＭＩ）及びチャネル品質指示子（ＣＱＩ）を送信端にフィードバックすればよい。これらのＲＩ、ＰＭＩ及びＣＱＩをチャネル状態情報（Ｃｈａｎｎｅｌ  Ｓｔａｔｕｓ  Ｉｎｆｏｒｍａｔｉｏｎ；ＣＳＩ）と総称することができる。または、ＲＩ、ＰＭＩ及びＣＱＩを含むチャネル情報の概念としてＣＱＩという用語を用いることもできる。
【０１１９】
図１６は、チャネル状態情報のフィードバックを説明するための図である。
【０１２０】
図１６を参照すると、送信機からのＭＩＭＯ伝送はチャネル（Ｈ）を通じて受信機に受信されうる。受信機は、受信信号に基づいてコードブックから好むプリコーディング行列を選択し、選択されたプリコーディング行列インデックス（ＰＭＩ）を送信機にフィードバックすることができる。また、受信機は、受信信号の信号−対−干渉及び雑音比（Ｓｉｇｎａｌ−ｔｏ−Ｉｎｔｅｒｆｅｒｅｎｃｅ  ｐｌｕｓ  Ｎｏｉｓｅ  Ｒａｔｉｏ；ＳＩＮＲ）などを測定してチャネル品質情報（ＣＱＩ）を計算し、それを送信機にフィードバックすることができる。また、受信機は、受信信号に対するランク指示子（ＲＩ）を送信機にフィードバックするこどかできる。送信機は、受信機からフィードバックされたＲＩ及びＣＱＩ情報を用いて、受信機へのデータ伝送のために適切なレイヤーの個数、時間／周波数リソース、及び変調及びコーディング手法（Ｍｏｄｕｌａｔｉｏｎ  ａｎｄ  Ｃｏｄｉｎｇ  Ｓｃｈｅｍｅ；ＭＣＳ）などを定めることができる。また、送信機は、受信機からフィードバックされたＰＭＩが指示するプリコーディング行列（Ｗｌ）を用いてプリコーディングの行われた伝送信号を複数のアンテナを通じて伝送することができる。
【０１２１】
以下では、チャネル状態情報の具体的な内容について説明する。
【０１２２】
ＲＩは、チャネルランク（送信機からの伝送に用いられるレイヤーの個数）に関する情報である。ＲＩは、割り当てられた伝送レイヤーの個数から決定し、関連したダウンリンク制御情報（ＤＣＩ）から獲得することができる。
【０１２３】
ＰＭＩは、送信機からの伝送に用いられるプリコーディング行列に関する情報である。受信機からフィードバックされるプリコーディング行列は、ＲＩによって指示されるレイヤーの個数を考慮して決定される。ＰＭＩは、閉−ループ空間多重化（ＳＭ）及び長い遅延ＣＤＤ（ｌａｒｇｅ  ｄｅｌａｙ  ＣＤＤ）伝送の場合にフィードバックされうる。開−ループ伝送の場合には、送信機があらかじめ決定された規則に従ってプリコーディング行列を選択できる。受信機がそれぞれのランク（ランク１乃至４）に対してＰＭＩを選択する過程は、次の通りである。受信機は、それぞれのＰＭＩに対して後処理（ｐｏｓｔ  ｐｒｏｃｅｓｓｉｎｇ）ＳＩＮＲを計算し、計算されたＳＩＮＲを合計容量（ｓｕｍ  ｃａｐａｃｉｔｙ）に変換し、合計容量に基づいて最適の（ｂｅｓｔ）ＰＭＩを選択することができる。すなわち、受信機がＰＭＩを計算することは、合計容量に基づいて最適のＰＭＩを探す過程といえる。受信機からＰＭＩをフィードバックされた送信機は、受信機が推薦するプリコーディング行列をそのまま用いることができ、このような事実を受信機へのデータ伝送スケジューリング割当情報に１ビットの指示子として含めることができる。または、送信機は受信機からフィードバックされたＰＭＩが示すプリコーディング行列をそのまま用いなくてもよい。このような場合には、送信機が受信機へのデータ伝送に用いるプリコーディング行列情報をスケジューリング割当情報に明示的に含めることができる。ＰＭＩに関する具体的な事項は、３ＧＰＰ標準文書（例えば、３ＧＰＰＴＳ３６．２１１）を参照すればいい。
【０１２４】
ＣＱＩは、チャネル品質を示す情報である。あらかじめ決定されたＭＣＳ組み合わせでＣＱＩを表現することができる。ＣＱＩインデックスは、下記の表３のように与えることができる。
【０１２５】
【表３】
0005995850.tif 000026
上記の表３で示すように、ＣＱＩインデックスは４ビット（すなわち、ＣＱＩインデックス０乃至１５）で表現され、それぞれのＣＱＩインデックスは、該当する変調手法（ｍｏｄｕｌａｔｉｏｎ  ｓｃｈｅｍｅ）及びコードレート（ｃｏｄｅ  ｒａｔｅ）を示す。
【０１２６】
ＣＱＩ計算方法について説明する。３ＧＰＰ標準文書（例えば、３ＧＰＰ  ＴＳ３６．２１３）では、端末がＣＱＩインデックスを計算するに当たって次のような仮定を考慮することを定義している。
【０１２７】
（１）１サブフレームの先頭３個のＯＦＤＭシンボルは制御シグナリングにより占有される
（２）プライマリ同期信号（ｐｒｉｍａｒｙ  ｓｙｎｃｈｒｏｎｉｚａｔｉｏｎ  ｓｉｇｎａｌ）、セカンダリ（ｓｅｃｏｎｄａｒｙ）同期信号、または物理放送チャネル（ＰＢＣＨ）により用いられるリソース要素はない
（３）非−ＭＢＳＦＮサブフレームのＣＰ長
（４）リダンダンシーバージョン（Ｒｅｄｕｎｄａｎｃｙ  Ｖｅｒｓｉｏｎ）は０である
（５）ＰＤＳＣＨ伝送手法は、端末に対して現在設定された伝送モード（デフォルトモードでよい。）に従う
（６）ＰＤＳＣＨ  ＥＰＲＥ（Ｅｎｅｒｇｙ  Ｐｅｒ  Ｒｅｓｏｕｒｃｅ  Ｅｌｅｍｅｎｔ）対セル−特定参照信号ＥＰＲＥの比（ｒａｔｉｏ）は、ρＡの例外をもって与えられた通りである（ρＡは、次のような仮定に従えばよい。端末が、任意の変調手法に対して、４個のセル−特定アンテナポート構成の伝送モード２に設定されたり、または４個のセル−特定アンテナポート構成であると共に、関連したＲＩが１である伝送モード３に設定される場合には、ρＡ＝ＰＡ＋Δｏｆｆｓｅｔ＋１０ｌｏｇ１０（２）［ｄＢ］である。その他の場合には、任意の変調手法及び任意のレイヤー個数に対して、ρＡ＝ＰＡ＋Δｏｆｆｓｅｔ［ｄＢ］である。Δｏｆｆｓｅｔは、上位層シグナリングによって設定されるｎｏｍＰＤＳＣＨ−ＲＳ−ＥＰＲＥ−Ｏｆｆｓｅｔパラメータによって与えられる。）
このような仮定を定義したのは、ＣＱＩがチャネル品質に関する情報だけでなく、当該端末に関する様々な情報を含んでいることを意味する。すなわち、同じチャネル品質でも当該端末の性能によって異なるＣＱＩインデックスをフィードバックすることがあるから、一定の基準を定義するわけである。
【０１２８】
端末が基地局からダウンリンク参照信号（ＲＳ）を受信し、受信された参照信号を通じてチャネルの状態を把握できる。ここで、参照信号は、既存の３ＧＰＰ  ＬＴＥシステムで定義する共用参照信号（Ｃｏｍｍｏｎ  Ｒｅｆｅｒｅｎｃｅ  Ｓｉｇｎａｌ；ＣＲＳ）でもよく、拡張されたアンテナ構成を有するシステム（例えば、３ＧＰＰ  ＬＴＥ−Ａシステム）で定義するチャネル状態情報−参照信号（Ｃｈａｎｎｅｌ    Ｓｔａｔｕｓ  Ｉｎｆｏｒｍａｔｉｏｎ  Ｒｅｆｅｒｅｎｃｅ  Ｓｉｇｎａｌ；ＣＳＩ−ＲＳ）でもよい。端末は、参照信号から把握されたチャネルで、ＣＱＩ計算のために与えられた仮定を満たしながら、ブロックエラー率（Ｂｌｏｃｋ  Ｅｒｒｏｒ  Ｒａｔｅ；ＢＬＥＲ）が１０％を越えないＣＱＩインデックスを計算することができる。端末は、計算されたＣＱＩインデックスを基地局に伝送することができる。端末がＣＱＩインデックスを計算する際に干渉推定を改善する方法を適用することはない。
【０１２９】
端末がチャネルの状態を把握し、適したＭＣＳを求める過程は、端末具現の側面で様々な方式で設計可能である。例えば、端末は、参照信号を用いてチャネル状態または有効ＳＩＮＲ（Ｓｉｇｎａｌ−ｔｏ−Ｉｎｔｅｒｆｅｒｅｎｃｅ  ｐｌｕｓ  Ｎｏｉｓｅ  Ｒａｔｉｏ）を計算することができる。また、チャネル状態または有効ＳＩＮＲを、全体システム帯域幅（ｓｅｔ  Ｓと呼ぶことができる。）上で測定したり、または一部帯域幅（特定サブバンドまたは特定ＲＢ）上で測定したりできる。全体システム帯域幅（ｓｅｔ  Ｓ）に対するＣＱＩを広帯域（Ｗｉｄｅｂａｎｄ；ＷＢ）ＣＱＩとし、一部帯域に対するＣＱＩをサブバンド（ＳＢ）ＣＱＩとすることができる。端末は、計算されたチャネル状態または有効ＳＩＮＲに基づいて、最高ＭＣＳを求めることができる。最高ＭＣＳは、デコーディング時に伝送ブロックエラー率が１０％を超えなく、かつ、ＣＱＩ計算に対する仮定を満たすＭＣＳを意味する。端末は、求められたＭＣＳに関連したＣＱＩインデックスを決定し、決定されたＣＱＩインデックスを基地局に報告することができる。
【０１３０】
また、端末がＣＱＩのみを伝送する場合（ＣＱＩ−ｏｎｌｙ  ｔｒａｎｓｍｉｓｓｉｏｎ）を考慮することができる。これは、ＰＵＳＣＨ上のデータ無しで非周期的（ａｐｅｒｉｏｄｉｃ）にＣＱＩを伝送する場合に該当する。非周期的なＣＱＩ伝送は、基地局からの要請に応じてイベントベース（ｅｖｅｎｔ  ｔｒｉｇｇｅｒｅｄ）方式で行うことができる。このような基地局からの要請は、ダウンリンク制御情報（ＤＣＩ）フォーマット０上で１ビットで定義されるＣＱＩ要請（ＣＱＩ  ｒｅｑｕｅｓｔ）でよい。また、ＣＱＩのみの伝送のために、下記の表４で、ＭＣＳインデックス（ＩＭＣＳ）２９をシグナリングできる。この場合、ＤＣＩフォーマット０のＣＱＩ要請ビットが１に設定され、４  ＲＢ以下の伝送が設定され、ＰＵＳＣＨデータ再伝送におけるリダンダンシーバージョン１（ＲＶ１）が指示され、変調次数（Ｍｏｄｕｌａｔｉｏｎ  Ｏｒｄｅｒ）Ｑｍは２に設定されうる。すなわち、ＣＱＩのみを伝送する場合には、変調手法としてＱＰＳＫのみを用いることができる。
【０１３１】
【表４】
0005995850.tif 000027
以下では、チャネル品質情報の報告動作について具体的に説明する。
【０１３２】
３ＧＰＰ  ＬＴＥシステムでは、ダウンリンク受信主体（例えば、端末）がダウンリンク伝送主体（例えば、基地局）に接続している時に、ダウンリンクで伝送される参照信号の受信強度（ＲＳＲＰ：ｒｅｆｅｒｅｎｃｅ  ｓｉｇｎａｌ  ｒｅｃｅｉｖｅｄ  ｐｏｗｅｒ）、参照信号の品質（ＲＳＲＱ：ｒｅｆｅｒｅｎｃｅ  ｓｉｇｎａｌ  ｒｅｃｅｉｖｅｄ  ｑｕａｌｉｔｙ）などに関する測定を任意の時間に行い、測定結果を基地局に周期的（ｐｅｒｉｏｄｉｃ）にあるいはイベントベース（ｅｖｅｎｔ  ｔｒｉｇｇｅｒｅｄ）に報告することができる。
【０１３３】
セルラーＯＦＤＭ無線パケット通信システムにおいてそれぞれの端末は、ダウンリンクチャネル状況によるダウンリンクチャネル情報をアップリンクを通じて報告し、基地局は、それぞれの端末から受けたダウンリンクチャネル情報を用いて、それぞれの端末別にデータ伝送に適した時間／周波数リソース及び変調及びコーディング手法（Ｍｏｄｕｌａｔｉｏｎ  ａｎｄ  Ｃｏｄｉｎｇ  Ｓｃｈｅｍｅ；ＭＣＳ）などを定めることができる。
【０１３４】
既存の３ＧＰＰ  ＬＴＥシステム（例えば、３ＧＰＰ  ＬＴＥリリース−８システム）ではこのようなチャネル情報をＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｏｒ）及びＲＩ（Ｒａｎｋ  Ｉｎｄｉｃａｔｉｏｎ）で構成することができ、それぞれの端末の伝送モードによってＣＱＩ、ＰＭＩ及びＲＩの全てが伝送されることもあり、その一部のみが伝送されることもある。ＣＱＩは端末の受信信号品質（ｒｅｃｅｉｖｅｄ  ｓｉｇｎａｌ  ｑｕａｌｉｔｙ）によって定められるが、これは主にダウンリンク参照信号の測定に基づいて決定される。この時、実際に基地局に伝達されるＣＱＩ値は、端末が測定した受信信号品質においてブロックエラー率（Ｂｌｏｃｋ  Ｅｒｒｏｒ  Ｒａｔｅ；ＢＬＥＲ）を１０％以下に維持しながら最大の性能を示すＭＣＳに該当する。
【０１３５】
また、このようなチャネル情報の報告方式は、周期的に伝送される周期的報告（ｐｅｒｉｏｄｉｃ  ｒｅｐｏｒｔｉｎｇ）と、基地局の要請に応じて伝送される非周期的報告（ａｐｅｒｉｏｄｉｃ  ｒｅｐｏｒｔｉｎｇ）とに分けられる。
【０１３６】
非周期的報告は、基地局が端末に伝送するアップリンクスケジューリング情報に含まれた１ビットの要請ビット（ＣＱＩ  ｒｅｑｕｅｓｔ  ｂｉｔ）によりそれぞれの端末に設定され、それぞれの端末はこの情報を受けると、自身の伝送モードを考慮したチャネル情報を物理アップリンク共有チャネル（ＰＵＳＣＨ）を通じて基地局に伝達することができる。同じＰＵＳＣＨ上でＲＩ及びＣＱＩ／ＰＭＩが伝送されないように設定することができる。
【０１３７】
周期的報告は、上位層信号を通じてチャネル情報が伝送される周期と該当の周期でのオフセット（ｏｆｆｓｅｔ）などがサブフレーム単位にそれぞれの端末にシグナリングされ、定められた周期で、それぞれの端末の伝送モードを考慮したチャネル情報が物理アップリンク制御チャネル（ＰＵＣＣＨ）を通じて基地局に伝達される。定められた周期でチャネル情報が伝送されるサブフレームに、アップリンクで伝送されるデータが同時に存在する場合には、当該チャネル情報を、物理アップリンク制御チャネル（ＰＵＣＣＨ）ではなくデータと一緒に物理アップリンク共有チャネル（ＰＵＳＣＨ）を通じて伝送することができる。ＰＵＣＣＨを通じた周期的報告では、ＰＵＳＣＨに比べて制限されたビットが用いられることがある。同じＰＵＳＣＨ上でＲＩ及びＣＱＩ／ＰＭＩを伝送することができる。
【０１３８】
周期的報告と非周期的報告が同一サブフレーム内で衝突する場合には、非周期的報告のみを行うことができる。
【０１３９】
ＷＢ  ＣＱＩ／ＰＭＩを計算する際に、最も最近に伝送されたＲＩを用いることができる。ＰＵＣＣＨ報告モード（ｒｅｐｏｒｔｉｎｇ  ｍｏｄｅ）でのＲＩは、ＰＵＳＣＨ報告モードでのＲＩと独立（ｉｎｄｅｐｅｎｄｅｎｔ）しており、ＰＵＳＣＨ報告モードでのＲＩは、当該ＰＵＳＣＨ報告モードでのＣＱＩ／ＰＭＩに対してのみ有効（ｖａｌｉｄ）である。
【０１４０】
ＰＵＣＣＨ報告モードに対するＣＱＩ／ＰＭＩ／ＲＩフィードバックタイプは、４タイプに分類できる。タイプ１は、端末が選択したサブバンドに対するＣＱＩフィードバックである。タイプ２は、ＷＢ  ＣＱＩフィードバック及びＷＢ  ＰＭＩフィードバックである。タイプ３は、ＲＩフィードバックである。タイプ４は、ＷＢ  ＣＱＩフィードバックである。
【０１４１】
表５を参照すると、チャネル情報の周期的報告（ｐｅｒｉｏｄｉｃ  ｒｅｐｏｒｔｉｎｇ）において、ＣＱＩとＰＭＩのフィードバックタイプによって、モード１−０、１−１、２−０及び２−１の４つの報告モード（ｒｅｐｏｒｔｉｎｇ  ｍｏｄｅ）に分類できる。
【０１４２】
【表５】
0005995850.tif 000028
ＣＱＩフィードバックタイプによって、ＷＢ（ｗｉｄｅｂａｎｄ）ＣＱＩとＳＢ（ｓｕｂｂａｎｄ）ＣＱＩとに分けられ、ＰＭＩ伝送の有無によって、Ｎｏ  ＰＭＩと単一（ｓｉｎｇｌｅ）ＰＭＩとに分けられる。表５では、Ｎｏ  ＰＭＩが開−ループ（Ｏｐｅｎ−ｌｏｏｐ；ＯＬ）、伝送ダイバーシティ（Ｔｒａｎｓｍｉｔ  Ｄｉｖｅｒｓｉｔｙ；ＴＤ）及び単一−アンテナ（ｓｉｎｇｌｅ−ａｎｔｅｎｎａ）の場合に該当し、単一ＰＭＩは閉−ループ（ｃｌｏｓｅｄ−ｌｏｏｐ；ＣＬ）に該当することを表す。
【０１４３】
モード１−０は、ＰＭＩ伝送はなく、ＷＢ  ＣＱＩが伝送される場合である。この場合、ＲＩは、開−ループ（ＯＬ）空間多重化（Ｓｐａｔｉａｌ  Ｍｕｌｔｉｐｌｅｘｉｎｇ；ＳＭ）の場合にのみ伝送し、４ビットで表現される一つのＷＢ  ＣＱＩを伝送することができる。ＲＩが１を超える場合には、第１のコードワードに対するＣＱＩを伝送することができる。モード１−０では、設定された報告周期内で前述のフィードバックタイプ３及びフィードバックタイプ４をそれぞれ異なるタイミングに多重化して伝送できる（これを時間分割多重化（Ｔｉｍｅ  Ｄｉｖｉｓｉｏｎ  Ｍｕｌｔｉｐｌｅｘｉｎｇ；ＴＤＭ）方式のチャネル情報伝送といえる）。
【０１４４】
モード１−１は、単一ＰＭＩ及びＷＢ  ＣＱＩが伝送される場合である。この場合、ＲＩ伝送と共に、４ビットのＷＢ  ＣＱＩ及び４ビットのＷＢ  ＰＭＩを伝送できる。さらに、ＲＩが１を超える場合には、３ビットのＷＢ空間差分ＣＱＩ（Ｗｉｄｅｂａｎｄ  Ｓｐａｔｉａｌ  Ｄｉｆｆｅｒｅｎｔｉａｌ  ＣＱＩ）を伝送できる。２コードワード伝送において、ＷＢ空間差分ＣＱＩは、コードワード１に対するＷＢ  ＣＱＩインデックスとコードワード２に対するＷＢ  ＣＱＩインデックスの差値を表すことができる。これらの差値は、集合｛−４，−３，−２，−１，０，１，２，３｝のいずれか一つの値を有し、３ビットで表現できる。モード１−１では、設定された報告周期内で前述のフィードバックタイプ２及びフィードバックタイプ３をそれぞれ異なるタイミングに多重化して伝送することができる。
【０１４５】
モード２−０は、ＰＭＩ伝送はなく、端末が選択した（ＵＥ  ｓｅｌｅｃｔｅｄ）帯域のＣＱＩが伝送される場合である。この場合、ＲＩは、開−ループ空間多重化（ＯＬ  ＳＭ）の場合にのみ伝送し、４ビットで表現されるＷＢ  ＣＱＩを伝送することができる。また、それぞれの帯域幅部分（Ｂａｎｄｗｉｄｔｈ  Ｐａｒｔ；ＢＰ）で最適（Ｂｅｓｔ−１）のＣＱＩを伝送し、Ｂｅｓｔ−１  ＣＱＩを４ビットで表現できる。また、Ｂｅｓｔ−１を指示するＬビットの指示子（ｉｎｄｉｃａｔｏｒ）を共に伝送することができる。ＲＩが１を超える場合には、第１のコードワードに対するＣＱＩを伝送することができる。モード２−０では、設定された報告周期内で前述のフィードバックタイプ１、フィードバックタイプ３及びフィードバックタイプ４をそれぞれ異なるタイミングに多重化して伝送することができる。
【０１４６】
モード２−１は、単一ＰＭＩ、及び端末が選択した（ＵＥ  ｓｅｌｅｃｔｅｄ）帯域のＣＱＩが伝送される場合である。この場合、ＲＩ伝送と共に、４ビットのＷＢ  ＣＱＩ、３ビットのＷＢ空間差分ＣＱＩ及び４ビットのＷＢ  ＰＭＩを伝送することができる。さらに、それぞれの帯域幅部分（ＢＰ）で４ビットのＢｅｓｔ−１  ＣＱＩを伝送し、ＬビットのＢｅｓｔ−１指示子を共に伝送することができる。さらに、ＲＩが１を超える場合には、３ビットのＢｅｓｔ−１空間差分ＣＱＩを伝送することができる。これは、２コードワード伝送において、コードワード１のＢｅｓｔ−１  ＣＱＩインデックスとコードワード２のＢｅｓｔ−１  ＣＱＩインデックスの差値を表すことができる。モード２−１では、設定された報告周期内で前述のフィードバックタイプ１、フィードバックタイプ２及びフィードバックタイプ３をそれぞれ異なるタイミングに多重化して伝送することができる。
【０１４７】
端末が選択した（ＵＥ  ｓｅｌｅｃｔｅｄ）ＳＢ  ＣＱＩ報告モードにおいて、帯域幅部分（ＢＰ）のサブバンドサイズは、表６のように定義できる。
【０１４８】
【表６】
0005995850.tif 000029
上記の表６では、システム帯域幅のサイズによる帯域幅部分（ＢＰ）の設定、及びそれぞれのＢＰ内のサブバンドのサイズを表す。端末は、それぞれのＢＰから好む（ｐｒｅｆｅｒｒｅｄ）サブバンドを選択し、当該サブバンドに対するＣＱＩを計算することができる。表６で、システム帯域幅のサイズが６または７の場合は、サブバンドサイズ及び帯域幅部分（ＢＰ）個数の適用がないと示されており、これは、ＷＢ  ＣＱＩのみを適用でき、サブバンドは存在しなく、ＢＰは１であることを意味できる。
【０１４９】
図１７は、端末が選択した（ＵＥ  ｓｅｌｅｃｔｅｄ）ＣＱＩ報告モードを説明するための図である。
【０１５０】
【化９】
0005995850.tif 000030
は、全体帯域幅のＲＢの個数を表す。全体帯域幅を、Ｎ（１，２，３，…，Ｎ）個のＣＱＩサブバンドに分けることができる。１  ＣＱＩサブバンドは、表６で定義するｋ個のＲＢを含むことができる。全体帯域幅のＲＢ個数がｋの整数倍でない場合に、最後（Ｎ番目）のＣＱＩサブバンドを構成するＲＢの個数を、数学式１４により決定することができる。
【０１５１】
【数１４】
0005995850.tif 000031
数学式１４で、
【０１５２】
【化１０】
0005995850.tif 000032
は、床（ｆｌｏｏｒ）演算を表し、
【０１５３】
【化１１】
0005995850.tif 000033
またはｆｌｏｏｒ（ｘ）は、ｘを超えない最大の整数を意味する。
【０１５４】
また、ＮＪ個のＣＱＩサブバンドは、一つの帯域幅部分（ＢＰ）を構成し、全体帯域幅は、Ｊ個のＢＰに分けることができる。端末は、一つのＢＰのうち、好む最適の一つ（Ｂｅｓｔ−１）のＣＱＩサブバンドに対するＣＱＩインデックスを計算し、ＰＵＣＣＨを通じてＣＱＩインデックスを伝送することができる。この時、一つのＢＰから選択されたＢｅｓｔ−１  ＣＱＩサブバンドを指示するＢｅｓｔ−１指示子を共に伝送することができる。Ｂｅｓｔ−１指示子はＬビットで構成でき、Ｌは、数学式１５のようである。
【０１５５】
【数１５】
0005995850.tif 000034
数学式１５で、
【０１５６】
【化１２】
0005995850.tif 000035
は天井（ｃｅｉｌｉｎｇ）演算を表し、
【０１５７】
【化１３】
0005995850.tif 000036
またはｃｅｉｌｉｎｇ（ｘ）は、ｘより小さくない最小の整数を意味する。
【０１５８】
上記のような方式で、端末が選択した（ＵＥ  ｓｅｌｅｃｔｅｄ）ＣＱＩ報告モードにおいて、ＣＱＩインデックスが計算される周波数帯域を決定することができる。以下では、ＣＱＩ伝送周期について説明する。
【０１５９】
それぞれの端末は、チャネル情報の伝送周期とオフセットとの組み合わせからなる情報を、上位層でＲＲＣシグナリング（ｓｉｇｎａｌｉｎｇ）を通じて受信することができる。端末は、受信したチャネル情報伝送周期に関する情報に基づいてチャネル情報を基地局に伝送できる。
【０１６０】
図１８は、端末が周期的にチャネル情報を伝送する方式の一例を示す。例えば、チャネル情報の伝送周期が「５」であり、オフセットが「１」を表す組み合わせの情報を端末が受信した場合には、端末は、５個のサブフレーム単位でチャネル情報を伝送するが、０番目のサブフレームを基準にしてサブフレームインデックスが増加する方向に１  サブフレームオフセットをおいてＰＵＣＣＨを通じてチャネル情報を伝送することができる。この時、サブフレームのインデックスは、システムフレーム番号（ｎｆ）とシステムフレーム内の２０個のスロットインデックス（ｎｓ、０〜１９）との組み合わせで構成することができる。１  サブフレームは、２個のスロットで構成されるので、サブフレームインデックスは１０×ｎｆ＋ｆｌｏｏｒ（ｎｓ／２）と表現することができる。
【０１６１】
ＣＱＩフィードバックタイプによって、ＷＢ  ＣＱＩのみを伝送するタイプと、ＷＢ  ＣＱＩとＳＢ  ＣＱＩの両方を伝送するタイプが存在する。ＷＢ  ＣＱＩのみを伝送するタイプの場合、毎ＣＱＩ伝送周期に該当するサブフレームにおいて、全体帯域に対するＷＢ  ＣＱＩ情報を伝送する。ＷＢ周期的ＣＱＩフィードバックの伝送周期は、｛２，５，１０，１６，２０，３２，４０，６４，８０，１６０｝ｍｓまたは伝送無しと設定することができる。この時、表５でのＰＭＩフィードバックタイプによってＰＭＩも伝送しなければならない場合には、ＰＭＩ情報をＣＱＩ情報と共に伝送する。ＷＢ  ＣＱＩとＳＢ  ＣＱＩの両方とも伝送するタイプでは、ＷＢ  ＣＱＩとＳＢ  ＣＱＩを交互に伝送することができる。
【０１６２】
図１９は、ＷＢ  ＣＱＩとＳＢ  ＣＱＩの両方を伝送する方式の一例を示す図である。図１９では、例えば、１６個のリソースブロック（ＲＢ）で構成されたシステムを示す。システムの周波数帯域が１６個のＲＢを有する場合に、例えば、２つの帯域幅部分（ＢＰ）で構成でき（ＢＰ０及びＢＰ１）、各ＢＰは２つのサブバンド（ＳＢ）で構成でき（ＳＢ０及びＳＢ１）、各ＳＢは４個のＲＢで構成するとする。この時、表６と関連して説明した通り、全体システム帯域がいくつのＲＢで構成されているかによってＢＰの個数及びそれぞれのＳＢのサイズを定め、ＲＢの個数、ＢＰの個数及びＳＢのサイズによって、それぞれのＢＰがいくつのＳＢで構成されるかを決定することができる。
【０１６３】
ＷＢ  ＣＱＩとＳＢ  ＣＱＩの両方を伝送するタイプでは、ＣＱＩ伝送サブフレームにＷＢ  ＣＱＩを伝送した後に、その次の伝送サブフレームでは、ＢＰ０におけるＳＢ０とＳＢ１のうち、チャネル状態の良いＳＢ（すなわち、Ｂｅｓｔ−１）に対するＣＱＩ、及び当該ＳＢのインデックス（すなわち、Ｂｅｓｔ−１指示子）を伝送し、その次の伝送サブフレームでは、ＢＰ１におけるＳＢ０とＳＢ１のうち、チャネル状態の良いＳＢ（すなわち、Ｂｅｓｔ−１）に対するＣＱＩ、及び当該ＳＢのインデックス（すなわち、Ｂｅｓｔ−１指示子）を伝送するようになる。このようにＷＢ  ＣＱＩを伝送した後、それぞれのＢＰに対するＣＱＩ情報を順次に伝送するようになるが、この時、一度伝送したＷＢ  ＣＱＩとその次に伝送されるＷＢ  ＣＱＩとの間に、ＢＰに対するＣＱＩ情報を順次に１〜４回まで伝送することができる。例えば、２  ＷＢ  ＣＱＩの間に、ＢＰに対するＣＱＩ情報を１回伝送する場合に、ＷＢ  ＣＱＩ→ＢＰ０  ＣＱＩ→ＢＰ１  ＣＱＩ→ＷＢ  ＣＱＩの順に伝送することができる。他の例として、２  ＷＢ  ＣＱＩの間に、ＢＰに対するＣＱＩ情報を４回伝送する場合に、ＷＢ  ＣＱＩ→ＢＰ０  ＣＱＩ→ＢＰ１  ＣＱＩ→ＢＰ０  ＣＱＩ→ＢＰ１  ＣＱＩ→ＢＰ０  ＣＱＩ→ＢＰ１  ＣＱＩ→ＢＰ０  ＣＱＩ→ＢＰ１  ＣＱＩ→ＷＢ  ＣＱＩの順に伝送することができる。２  ＷＢ  ＣＱＩの間に、ＢＰに対するＣＱＩを何回順次に伝送するかに関する情報は、上位層でシグナリングされ、ＷＢ  ＣＱＩやＳＢ  ＣＱＩを問わず、図１８で例示した上位層でシグナリングされるチャネル情報伝送周期とオフセットとの組み合わせの情報に該当するサブフレームでＰＵＣＣＨを通じて伝送することができる。
【０１６４】
この時、ＰＭＩフィードバックタイプによってＰＭＩも伝送しなければならない場合には、ＰＭＩ情報をＣＱＩ情報と共に伝送するが、該当のサブフレームにアップリンクデータ伝送のためのＰＵＳＣＨが存在するとすれば、ＰＵＣＣＨではなくＰＵＳＣＨを通じてデータと共にＣＱＩ及びＰＭＩを伝送することができる。
【０１６５】
図２０は、ＷＢ  ＣＱＩとＳＢ  ＣＱＩの両方が伝送される場合におけるＣＱＩ伝送方式の一例を示す図である。図２０では、上記の図１８のようにチャネル情報伝送周期が「５」で、且つオフセットが「１」の組み合わせの情報をシグナリングされ、２  ＷＢ  ＣＱＩ／ＰＭＩの間に、ＢＰに関する情報が１回順次に伝送される場合における、端末のチャネル情報伝送動作の一例を示す。
【０１６６】
一方、ＲＩの伝送では、ＲＩを、ＷＢ  ＣＱＩ／ＰＭＩ伝送周期の何倍数で伝送するか、及びその伝送周期でのオフセットの組み合わせでシグナリングすることができる。この時のオフセットは、ＣＱＩ／ＰＭＩ伝送オフセットに対する相対的オフセットとして定義される。例えば、ＣＱＩ／ＰＭＩ伝送周期のオフセットが「１」であり、ＲＩの伝送周期のオフセットが「０」であれば、ＲＩ伝送周期のオフセットは、ＣＱＩ／ＰＭＩ伝送周期のオフセットと同一であることを意味する。ＲＩ伝送周期のオフセットは、０と負数の値で定義できる。
【０１６７】
図２１は、図２０のようにＣＱＩ／ＰＭＩ伝送が設定された場合に、ＲＩ伝送周期がＷＢ  ＣＱＩ／ＰＭＩ伝送周期の１倍であり、ＲＩ伝送周期のオフセットが「−１」の場合を例示的に示す。ＲＩ伝送周期は、ＷＢ  ＣＱＩ／ＰＭＩ伝送周期の１倍であるから、同一の周期を有し、ＲＩオフセット値「−１」は、図２０でのＣＱＩオフセット「１」に対して相対的に「−１」値を有することを意味するので、サブフレームインデックス０番を基準にＲＩを伝送することができる。
【０１６８】
また、ＲＩ伝送とＷＢ  ＣＱＩ／ＰＭＩまたはＳＢ  ＣＱＩ／ＰＭＩ伝送とが重なる場合に、ＷＢ  ＣＱＩ／ＰＭＩまたはＳＢ  ＣＱＩ／ＰＭＩを落とすこと（ｄｒｏｐｐｉｎｇ）ができる。例えば、もし、ＲＩのオフセットが「−１」ではなく「０」であれば、ＷＢ  ＣＱＩ／ＰＭＩとＲＩの伝送サブフレームが重なるようになり、この場合には、ＷＢ  ＣＱＩ／ＰＭＩを落とし、ＲＩを伝送することができる。
【０１６９】
このような組み合わせによってＣＱＩ、ＰＭＩ、ＲＩを伝送することができ、これらの情報は、上位層のＲＲＣシグナリングによってそれぞれの端末に伝送することができる。基地局は、それぞれの端末のチャネル状況、及び基地局内の端末分布状況などを考慮して、それぞれの端末に適した情報を伝送することができる。
【０１７０】
一方、ＰＵＣＣＨ上の報告タイプに対するＳＢ  ＣＱＩ、ＷＢ  ＣＱＩ／ＰＭＩ、ＲＩ及びＷＢ  ＣＱＩに関するペイロードサイズ（ｐａｙｌｏａｄ  ｓｉｚｅ）を、表７のように設定することができる。
【０１７１】
【表７】
0005995850.tif 000037
次に、ＰＵＳＣＨを用いた非周期的ＣＱＩ、ＰＭＩ、ＲＩ伝送について説明する。
【０１７２】
非周期的報告の場合に、同一のＰＵＳＣＨ上でＲＩとＣＱＩ／ＰＭＩを伝送することができる。非周期的報告モードにおいて、ＲＩ報告は、当該非周期的報告モードにおけるＣＱＩ／ＰＭＩ報告にのみ有効である。全てのランク値に対して支援されるＣＱＩ−ＰＭＩ組み合わせは、下記の表８の通りである。
【０１７３】
【表８】
0005995850.tif 000038
表８のモード１−２は、ＷＢフィードバックに関するものである。モード１−２で、それぞれのサブバンドに対して好むプリコーディング行列は、当該サブバンドのみでの伝送を仮定してコードブックサブセット（ｓｕｂｓｅｔ）から選択することができる。端末は、コードワードごとに一つのＷＢ  ＣＱＩを報告でき、ＷＢ  ＣＱＩは、全体システム帯域幅（ｓｅｔ  Ｓ）のサブバンド上での伝送及びそれぞれのサブバンドでの対応する選択されたプリコーディング行列を用いることを仮定して計算することができる。端末は、サブバンドのそれぞれに対して選択されたＰＭＩを報告することができる。ここで、サブバンドサイズは、下記の表９のように与えることができる。表９で、システム帯域幅のサイズが６または７の場合は、サブバンドサイズの適用がないと示しており、これは、ＷＢ  ＣＱＩのみを適用可能であり、サブバンドは存在しないことを意味することができる。
【０１７４】
【表９】
0005995850.tif 000039
表８のモード３−０及び３−１は、上位層により構成される（ｃｏｎｆｉｇｕｒｅｄ）サブバンドフィードバックに関するものである。
【０１７５】
モード３−０で、端末は、全体システム帯域幅（ｓｅｔ  Ｓ）サブバンド上での伝送を仮定して計算されるＷＢ  ＣＱＩ値を報告することができる。端末は、それぞれのサブバンドに対して一つのサブバンドＣＱＩ値も報告することができる。サブバンドＣＱＩ値は、当該サブバンドのみでの伝送を仮定して計算されるとよい。ＷＢ  ＣＱＩ、ＳＢ  ＣＱＩ両方は、ＲＩ＞１の場合にも、コードワード１に対するチャネル品質を示すことができる。
【０１７６】
モード３−１で、単一プリコーディング行列を、全体システム帯域幅（ｓｅｔ  Ｓ）サブバンド上での伝送を仮定してコードブックサブセットから選択することができる。端末は、それぞれのサブバンドに対してコードワードごとに一つのＳＢ  ＣＱＩ値を報告することができる。ＳＢ  ＣＱＩ値は、全サブバンドで単一プリコーディング行列が用いられ、対応するサブバンドでの伝送を仮定して計算されるとよい。端末は、コードワードごとにＷＢ  ＣＱＩ値を報告することができる。ＷＢ  ＣＱＩ値を、全サブバンドで単一プリコーディング行列が用いられ、全体システム帯域幅（ｓｅｔ  Ｓ）サブバンドでの伝送を仮定して計算することができる。端末は、選択された単一プリコーディング行列指示子を報告することができる。それぞれのコードワードごとのＳＢ  ＣＱＩ値は、２ビットのサブバンド差分ＣＱＩオフセット（ｓｕｂｂａｎｄ  ｄｉｆｆｅｒｅｎｔｉａｌ  ＣＱＩ  ｏｆｆｓｅｔ）を用いて、ＷＢ  ＣＱＩに対する差値として表現することができる。すなわち、サブバンド差分ＣＱＩオフセットは、ＳＢ  ＣＱＩインデックスとＷＢ  ＣＱＩインデックスとの差値と定義される。サブバンド差分ＣＱＩオフセット値は、｛−２，０，＋１，＋２｝のいずれか一つの値を有することができる。また、サブバンドサイズは、表９のように与えることができる。
【０１７７】
表８のモード２−０及び２−２は、端末が選択した（ＵＥ  ｓｅｌｅｃｔｅｄ）サブバンドフィードバックに関するものである。モード２−０及び２−２は、最適のＭ個（Ｂｅｓｔ−Ｍ）の平均（ａｖｅｒａｇｅ）を報告することと簡略に説明することができる。
【０１７８】
モード２−０で、端末は、全体システム帯域幅（ｓｅｔ  Ｓ）からＭ個の好むサブバンドの集合（すなわち、Ｂｅｓｔ−Ｍ）を選択することができる。１サブバンドサイズはｋであり、それぞれのシステム帯域幅範囲に対するｋ及びＭの値は、下記の表１０のように与えることができる。表１０で、システム帯域幅のサイズが６または７の場合は、サブバンドサイズ及びＭ値の適用がないことを示しており、これは、ＷＢ  ＣＱＩのみ適用可能であり、サブバンドは存在しないことを意味することができる。
【０１７９】
端末は、上で決定されたＭ個の選択された（ｂｅｓｔ−Ｍ）サブバンド上のみでの伝送を反映する一つのＣＱＩ値を報告することができる。このＣＱＩ値は、ＲＩ＞１の場合にも、コードワード１に対するチャネル品質を示すことができる。また、端末は、全体システム帯域幅（ｓｅｔ  Ｓ）サブバンド上での伝送を仮定して計算されるＷＢ  ＣＱＩ値を報告することができる。ＷＢ  ＣＱＩは、ＲＩ＞１の場合にも、コードワード１に対するチャネル品質を示すことができる。
【０１８０】
【表１０】
0005995850.tif 000040
モード２−２で、端末は、全体システム帯域幅（ｓｅｔ  Ｓ）サブバンドからＭ個の好むサブバンドの集合（すなわち、Ｂｅｓｔ−Ｍ）を選択し（一つのサブバンドサイズはｋである。）、これに加えて、当該選択されたＭ個のサブバンド上で伝送に用いられるコードブックサブセットから、好む単一プリコーディング行列を選択することができる。端末は、選択されたＭ個のサブバンド上のみでの伝送、及びＭ個のサブバンドのそれぞれにおいて同一の選択された単一プリコーディング行列が用いられることを反映して、コードワード当たり一つのＣＱＩ値を報告することができる。端末は、当該Ｍ個のサブバンドに対して選択された単一のプリコーディング行列の指示子を報告することができる。また、一つのプリコーディング行列（前述したＭ個の選択されたサブバンドに対するプリコーディング行列と別個のプリコーディング行列）を、全体システム帯域幅（ｓｅｔ  Ｓ）のサブバンド上での伝送を仮定してコードブックサブセットから選択することができる。端末は、全体システム帯域幅（ｓｅｔ  Ｓ）のサブバンドでの伝送及び全サブバンドで上記一つのプリコーディング行列を用いることを仮定して計算されたＷＢ  ＣＱＩを、コードワードごとに報告することができる。端末は、全サブバンドに対して選択された一つのプリコーディング行列の指示子を報告することができる。
【０１８１】
端末が選択した（ＵＥ−ｓｅｌｅｃｔｅｄ）サブバンドフィードバックモード（モード２−０及び２−２）の両方に対して、端末は、Ｍ個の選択されたサブバンドの位置を、組み合わせインデックス（ｃｏｍｂｉｎａｔｏｒｉａｌ  ｉｎｄｅｘ）ｒを用いて報告することができる。ｒは、数学式１６のように定義できる。
【０１８２】
【数１６】
0005995850.tif 000041
集合
【０１８３】
【化１４】
0005995850.tif 000042
は、Ｍ個の整列された（ｓｏｒｔｅｄ）サブバンドインデックスを含むことができる。数学式１６で、
【０１８４】
【化１５】
0005995850.tif 000043
であり、ｘ＜ｙの場合に０である拡張された二項係数（ｅｘｔｅｎｄｅｄ  ｂｉｎｏｍｉａｌ  ｃｏｅｆｆｉｃｉｅｎｔ）を意味する。これにより、ｒは唯一のラベル（ｕｎｉｑｕｅ  ｌａｂｅｌ）を有するようになり、
【０１８５】
【化１６】
0005995850.tif 000044
である。
【０１８６】
また、それぞれのコードワードに対するＭ個の選択されたサブバンドに対するＣＱＩ値は、ＷＢ  ＣＱＩに対して相対的な差値と表現することができる。この相対的な差値は、２ビットの差分ＣＱＩオフセットレベル（ｄｉｆｆｅｒｅｎｔｉａｌ  ＣＱＩ  ｏｆｆｓｅｔ  ｌｅｖｅｌ）で表現することができ、Ｍ個の選択されたサブバンドのＣＱＩインデックス−ＷＢ  ＣＱＩインデックスの値を有することができる。可能な差分ＣＱＩ値は、｛＋１，＋２，＋３，＋４｝のいずれか一つでよい。
【０１８７】
また、支援されるサブバンドサイズｋ及び上記Ｍの値は、上記の表１０のように与えることができる。表１０で示すように、ｋ及びＭの値は、システム帯域幅の関数で与えられる。
【０１８８】
選択されたＭ個（Ｂｅｓｔ−Ｍ）のサブバンドの位置を表すラベルは、Ｌビットで表現することができ、
【０１８９】
【化１７】
0005995850.tif 000045
である。
【０１９０】
（多重ＭＩＭＯ伝送モードに対するフィードバック情報）
前述したように、多重アンテナを用いる送信のためにはチャネル状態情報（ＣＳＩ：Ｃｈａｎｎｅｌ  Ｓｔａｔｅ  Ｉｎｆｏｒｍａｔｉｏｎ）が要求される。ＣＳＩは、送信端に受信端からフィードバックされうる。送信端は、ＣＳＩから、チャネル状態に応じて適応的に使用可能なプリコーディングウェイト（ｐｒｅｃｏｄｉｎｇ  ｗｅｉｇｈｔ）を獲得することができる。また、送信端は、多重アンテナ伝送に用いると決定したプリコーディングウェイトにより変換されたチャネル状態情報から、信号伝送のための情報を獲得することができる。信号伝送のための情報は、例えば、変調次数（Ｍｏｄｕｌａｔｉｏｎ  ｏｒｄｅｒ）、コーディング率（ｃｏｄｉｎｇ  ｒａｔｅ）、伝送ブロックサイズ（ｔｒａｎｓｐｏｒｔ  ｂｌｏｃｋ  ｓｉｚｅ）、スケジューリングされる帯域（ｓｃｈｅｄｕｌｉｎｇ  ｂａｎｄ）などを含むことができる。
【０１９１】
受信端は、送信端が伝送した参照信号（ＲＳ）を用いて送信端と受信端間のチャネル状態に関する情報を獲得し、獲得されたチャネル状態情報（ＣＳＩ）を送信端に報告（フィードバック）することができる。このとき、フィードバックするＣＳＩの情報量を減らすために種々の方法を用いることができる。例えば、チャネル品質情報（Ｃｈａｎｎｅｌ  Ｑｕａｌｉｔｙ  Ｉｎｆｏｒｍａｔｉｏｎ／Ｉｎｄｅｘ；ＣＱＩ）、プリコーディング行列インデックス（Ｐｒｅｃｏｄｉｎｇ  Ｍａｔｒｉｘ  Ｉｎｄｅｘ；ＰＭＩ）、ランク指示子（Ｒａｎｋ  Ｉｎｄｉｃａｔｏｒ；ＲＩ）などの情報を量子化したビットで表現することによって、フィードバックする情報の量を削減し、効率的な伝送を行うことができる。
【０１９２】
特に、多重アンテナ伝送において、伝送に適したランクに関する情報は、長−期間フェーディング（Ｌｏｎｇ−ｔｅｒｍ  ｆａｄｉｎｇ）によって変わるから、他のチャネル状態情報に比べて相対的に長い時間変わらない特性がある。これに対し、ＰＭＩやＣＱＩは短−期間フェーディング（Ｓｈｏｒｔ−ｔｅｒｍ  ｆａｄｉｎｇ）によって急変するチャネル状態を反映する情報であるから、相対的に短い時間で変わる特性がある。そのため、ＲＩはＰＭＩ／ＣＱＩに比べてより長い周期で報告され、ＰＭＩ／ＣＱＩはＲＩに比べて短い周期で報告されるとよい。なお、ＰＭＩ及びＣＱＩは伝送に用いられるランクによって決定される情報であるから、次のＲＩ報告周期までは、以前に決定されたＲＩに基づいてＰＭＩとＣＱＩを計算する。
【０１９３】
このように、チャネル状態情報を算出する際に、ランク値がまず決定される必要があり、ランク値は多重アンテナ（またはＭＩＭＯ）伝送方式を考慮して決定することができる。ＭＩＭＯ伝送方法は、マルチ−ユーザーＭＩＭＯ（Ｍｕｌｔｉ−Ｕｓｅｒ  ＭＩＭＯ；ＭＵ−ＭＩＭＯ）伝送方法とシングル−ユーザーＭＩＭＯ（Ｓｉｎｇｌｅ−Ｕｓｅｒ  ＭＩＭＯ；ＳＵ−ＭＩＭＯ）伝送方法とに区別できる。多重アンテナを用いて生成可能な空間チャネルが多重のユーザーに割り当てられる場合をＭＵ−ＭＩＭＯと呼び、単一のユーザーに全部割り当てられる場合をＳＵ−ＭＩＭＯと呼ぶ。
【０１９４】
ＭＵ−ＭＩＭＯ伝送手法は、ＤＰＣ（Ｄｉｒｔｙ  Ｐａｐｅｒ  Ｃｏｄｉｎｇ）、ゼロフォーカシング（Ｚｅｒｏ  Ｆｏｒｃｉｎｇ）などの手法のように非−ユニタリ行列（ｎｏｎ−ｕｎｉｔａｒｙ  ｍａｔｒｉｘ）を用いる伝送方法と、ＰＵ２ＲＣ（Ｐｅｒ−Ｕｓｅｒ  Ｕｎｉｔａｒｙ  Ｒａｔｅ  Ｃｏｎｔｒｏｌ）手法のようにユニタリプリコーディングウェイトを用いる伝送方法とに区別することができる。両方の伝送方式とも、シングルユーザーにおいては、制限された伝送ランクに基づいて計算されたプリコーディングウェイトを送信端に報告するという特徴がある。例えば、Ｍ個の送信アンテナを有する多重アンテナ送信機は、最大Ｍ個の空間チャネルを生成して信号を伝送できるが、ＭＵ−ＭＩＭＯ伝送に参加している受信端に割り当てられる空間チャネルの個数は、Ｍ個の空間チャネルよりも少ない個数に制限される。このとき、各ユーザーに割り当てられる最大空間チャネルの個数をＮ（Ｎ＜Ｍ）個の空間チャネルに制限し、各ユーザーがＮ以下の空間チャネルを受信するようにする方法を考慮することができる。このような状況で端末は、最大Ｎ個の伝送空間チャネルが割り当てられうるという仮定の下に、伝送に最も適したランク、すなわち、Ｎ以下のランク（１乃至Ｎ）の中から最適のランクを選択するようになり、該選択されたランク値によってプリコーディングウェイト及びチャネル品質情報を計算する。
【０１９５】
例えば、仮に、一つの受信端に割り当てる空間チャネルの数を２個に限定すると、受信端は自身に１個または最大２個の空間チャネルが割り当てられるという仮定下にチャネル状態情報を測定することができる。こうすると、受信端が測定して報告すべきチャネル状態情報の量を減らすことができる。すなわち、ランクに関する情報はＮから２に限定されるため、ランク情報を表すために要求されるビットはｌｏｇ２（Ｎ）からｌｏｇ２（２）に減る。
【０１９６】
ＰＭＩの量は、定義されるコードブック集合（ｃｏｄｅｂｏｏｋ  ｓｅｔ）によって決定されるが、ランク−１からランク−ＮまでＬ個のコードブック集合が定義されており、ランク−１からランク−２までＫ（Ｋ＜Ｌ）個のコードブック集合が定義されているとすれば、最大ランクがＮから２に限定される場合に、ＰＭＩ報告のために要求されるフィードバック情報の量も軽減する。
【０１９７】
ＣＱＩはそれぞれのコードワード（ＣＷ）に対して計算されなければならない。多重コードワード（ＭＣＷ）を有するシステムでランク−２上の伝送において最大２個のＣＷを有するとすれば、ランク−２以上の伝送のためには２個のＣＱＩを報告しなければならず、最大２個の空間チャネルが割り当てられると制限する場合に、ＣＱＩは同一の量で（すなわち２個のＣＱＩを）報告することができる。
【０１９８】
送信端は、伝送されるレイヤーの個数を考慮してＣＱＩを計算する。もし、ＭＣＷを有する伝送においてランク−２の伝送であるとすれば、第１レイヤーを通じて伝送されるＣＷのＣＱＩを計算する際、第２レイヤーを通じて伝送される信号は干渉と見なしてＳＩＮＲを計算することができる。同様に、送信端が一回に生成する空間チャネルの数を受信端が知ると、受信端は、送信端が生成する最大空間チャネルの数に適したチャネル状態情報を測定することが可能になり、ＣＱＩに対する正確度（ａｃｃｕｒａｃｙ）を増大させることができる。例えば、送信端で最大２個の空間チャネルを形成し、各空間チャネルは２人のユーザーに割り当てられるとした場合には、受信端は、ＣＱＩを計算する際、干渉レイヤーが存在するという仮定を用いてＣＱＩを計算することができる。
【０１９９】
一方、ＳＵ−ＭＩＭＯ伝送は、送信端が生成する空間チャネルを一人のユーザーが全部用いることを特徴とする。受信端は、伝送に適したランク情報を送信端に報告し、且つランク情報に基づいて計算されたＰＭＩとＣＱＩを送信端に報告することができる。例えば、送信端が生成しうる空間チャネルが最大Ｍ個であるとすれば、受信端は１乃至Ｍのランクのうち、伝送効率が最も上げられる伝送ランクを選択して送信端に報告することができる。
【０２００】
送信端はＳＵ−ＭＩＭＯ伝送とＭＵ−ＭＩＭＯ伝送を同時に支援することができる。ＳＵ−ＭＩＭＯ伝送とＭＵ−ＭＩＭＯ伝送のためにそれぞれ特別な制御信号が要求されることがある。例えば、ＳＵ−ＭＩＭＯでは、最大Ｍ個のランクまで受信することができ、ＭＵ−ＭＩＭＯでは、送信端は最大Ｍ個の空間チャネルを生成できるが、受信端で最大Ｎ個の空間チャネルを各ユーザーに該当する有効な空間チャネルと見なす場合に、各伝送モードに最適化された制御信号を伝送することもできる。この場合、送信端は受信端に伝送モードに関する指示（ｉｎｄｉｃａｔｉｏｎ）をすることによって、受信端がいずれの伝送モードで信号を受信するようになるかを事前に知らせ、それに合う制御信号を伝送することによってＳＵ−ＭＩＭＯとＭＵ−ＭＩＭＯ伝送を同時に支援することができる。
【０２０１】
または、送信端は受信端にＳＵ−ＭＩＭＯ伝送モードとＭＵ−ＭＩＭＯ伝送モードとを区別可能にする指示（ｉｎｄｉｃａｔｉｏｎ）をせず、受信端がいすれか一つの伝送モードと認識してデータをデコーディングするようにする方法を考慮することもできる。こうする場合、送信端は受信端に単に端末が現在受信すべきレイヤーの個数を指示する方法を考慮してもよい。そうすると、端末にとってはＳＵ−ＭＩＭＯモード／ＭＵ−ＭＩＭＯモードの区別がなくなる。これにより、同一の制御信号を用いてＭＩＭＯ伝送を支援することが可能になる。しかし、この場合にもＳＵ−ＭＩＭＯとＭＵ−ＭＩＭＯを支援するためには受信端から送信端に異なったフィードバック情報が報告されなければならない。例えば、ＳＵ−ＭＩＭＯ伝送を支援するためには、送信端が生成し得る最大の空間チャネルを勘案して伝送に最適の伝送ランクが報告されるとよい。ＭＵ−ＭＩＭＯ伝送を支援するためには、受信端では制限された数のレイヤーを受信することを考慮して、制限されたランクの中から伝送に最適のランクが選択されて報告されるとよい。
【０２０２】
（多重−ランクＰＭＩフィードバック）
拡張されたアンテナ構成を支援するシステムにおける多重ＭＩＭＯモードを円滑に支援するためのフィードバック方案において、多重−ランクＰＭＩフィードバックを考慮することができる。
【０２０３】
例えば、ＳＵ−ＭＩＭＯランク−ｒ伝送において受信端は基地局からｒ個のレイヤーを受信し、ランク−ｒＳＵ−ＭＩＭＯで伝送されるという仮定にＰＭＩを決定することができる。一方、ＭＵ−ＭＩＭＯ伝送では、一つの受信端観点で１個のレイヤーを受信するとしても、実際に送信端では多重−レイヤーを伝送することができる。
【０２０４】
多重−ランクＰＭＩフィードバックとは、ＳＵ−ＭＩＭＯモード伝送ではランク−ｒのＰＭＩが用いられ、ＭＵ−ＭＩＭＯモード伝送では、制限されたランク（例えば、ランク−１または２）のＰＭＩが用いられることを意味する。例えば、ランク−ｒのＳＵ−ＭＩＭＯ伝送については、ＳＵ−ＭＩＭＯという仮定の下にランク−ｒ  ＰＭＩがフィードバックされる。または、ＭＵ−ＭＩＭＯペアリング（ｐａｉｒｉｎｇ）については、ＳＵ−ＭＩＭＯという仮定に基づいた制限されたランク（例えば、ランク−１または２）のＰＭＩ／ＣＱＩがフィードバックされる。制限されたランク（または、低いランク）のＰＭＩの利用について以下に詳しく説明する。
【０２０５】
低いランク値（例えば、ランク−１または２）の制限されたＰＭＩは、一般的なランク−ｒ  ＰＭＩに付加されて（ａｐｐｅｎｄｅｄ）、ＳＵ−ＭＩＭＯモードとＭＵ−ＭＩＭＯモードとの動的なスイッチングをより容易にさせることができる。もし、ランク−１乃至ランク−８の全体−ランクでの動的なＳＵ−ＭＩＭＯ／ＭＵ−ＭＩＭＯスイッチングを支援するためには、ランク−１乃至ランク−８に対して一つの伝送モードが毎サブフレームでの動的ＳＵ−ＭＩＭＯ／ＭＵ−ＭＩＭＯスイッチングを支援する必要がある。すなわち、同じ端末フィードバック（ランク−１乃至ランク−８に対するＰＭＩ／ＣＱＩ）が、ＳＵ−ＭＩＭＯスケジューリングとＭＵ−ＭＩＭＯスケジューリングの両方で用いられる。
【０２０６】
端末は実際の伝送モードや実際のランクを知っておらず、端末が高いランク（例えば、ランク−３乃至８）のＰＭＩ／ＣＱＩを報告する場合に、当該端末に低いランク（例えば、ランク−１または２）のＭＵ−ＭＩＭＯ伝送モードをどのようにスケジューリングするかが問題となる。これを解決するための一方案として、ＭＵ−ＭＩＭＯスケジューリングのために端末がフィードバックした高いランク（ランク−３乃至８）のＰＭＩから、先頭２個の列（ｃｏｌｕｍｎ）を抽出して用いることを考慮することができる。しかし、このように「切り取られたＰＭＩ（ｔｒｕｎｃａｔｅｄ  ＰＭＩ）」は、低いランク（ランク−１または２）という仮定の下に計算される最適の（ｏｐｔｉｍａｌ）低いランク（ランク−１または２）ＰＭＩになれない場合がある。もちろん、ＭＵ−ＭＩＭＯ性能に不都合な影響（ａｄｖｅｒｓｅ  ｉｍｐａｃｔ）を与えることはあるが、このような次善の（ｓｕｂｏｐｔｉｍａｌ）「切り取られたＰＭＩ」を用いてもよい。また、一般に、ＭＵ−ＭＩＭＯ伝送モードに適した状況での低い移動性（ｌｏｗ  ｍｏｂｉｌｉｔｙ）設定（すなわち、低いランクに適した設定）に従って、一旦端末がランク−ｒ  ＰＭＩを報告すると、端末はランク−１  ＰＭＩを報告せずに、引き続き長い周期でランク−ｒ  ＰＭＩを報告することがある。したがって、多重−ランクＰＭＩを用いると、ランク−１または２のＭＵ−ＭＩＭＯペアリングに対して充分のＣＳＩ正確性を達成できる最適の低い−ランクＰＭＩを、端末が追加的に提供することができる。
【０２０７】
したがって、多重−ランクＰＭＩを用いると、動的なＳＵ−ＭＩＭＯ／ＭＵ−ＭＩＭＯスイッチングを容易にさせる他、ＣＳＩ正確性も改善することが可能になる。
【０２０８】
（８伝送アンテナのためのプリコーダ）
拡張されたアンテナ構成を支援するシステム（例えば、３ＧＰＰ  ＬＴＥリリース−１０システム）では、例えば、８個の伝送アンテナを用いたＭＩＭＯ伝送を行うことができ、これを支援するためのコードブック設計が要求される。
【０２０９】
８個のアンテナポートを通じて伝送されるチャネルに対するＣＳＩ報告のために、表１１乃至表１８のようなコードブックを用いることを考慮することができる。８個のＣＳＩアンテナポートをアンテナポート１５乃至２２のインデックスで表現できる。表１１は、アンテナポート１５乃至２２を用いた１−レイヤーＣＳＩ報告に対するコードブックの一例である。表１２は、アンテナポート１５乃至２２を用いた２−レイヤーＣＳＩ報告に対するコードブックの一例である。表１３は、アンテナポート１５乃至２２を用いた３−レイヤーＣＳＩ報告に対するコードブックの一例である。表１４は、アンテナポート１５乃至２２を用いた４−レイヤーＣＳＩ報告に対するコードブックの一例である。表１５は、アンテナポート１５乃至２２を用いた５−レイヤーＣＳＩ報告に対するコードブックの一例である。表１６は、アンテナポート１５乃至２２を用いた６−レイヤーＣＳＩ報告に対するコードブックの一例である。表１７は、アンテナポート１５乃至２２を用いた７−レイヤーＣＳＩ報告に対するコードブックの一例である。表１８は、アンテナポート１５乃至２２を用いた８−レイヤーＣＳＩ報告に対するコードブックの一例である。
【０２１０】
表１１乃至表１８において、
【０２１１】
【化１８】
0005995850.tif 000046
は、数学式１７のように与えることができる。
【０２１２】
【数１７】
0005995850.tif 000047
【０２１３】
【表１１】
0005995850.tif 000048
【０２１４】
【表１２】
0005995850.tif 000049
【０２１５】
【表１３】
0005995850.tif 000050
【０２１６】
【表１４】
0005995850.tif 000051
【０２１７】
【表１５】
0005995850.tif 000052
【０２１８】
【表１６】
0005995850.tif 000053
【０２１９】
【表１７】
0005995850.tif 000054
【０２２０】
【表１８】
0005995850.tif 000055
（ＤＣＩフォーマット０）
ＤＣＩフォーマット０は、ＰＵＳＣＨ伝送をスケジューリングするために用いられる。ＤＣＩフォーマット０により伝送される制御情報について説明する。
【０２２１】
「Ｆｌａｇ  ｆｏｒ  ｆｏｒｍａｔ  ０／ｆｏｒｍａｔ  １Ａ  ｄｉｆｆｅｒｅｎｔｉａｔｉｏｎ」（フォーマット０／フォーマット１Ａの区別のためのフラグ）フィールドは１ビットで与えられ、ＤＣＩフォーマット０とＤＣＩフォーマット１Ａとを区別するためのフィールドである。ＤＣＩフォーマット１Ａは、下りリンク伝送をスケジューリングするＤＣＩフォーマットであり、ＤＣＩフォーマット０と同じペイロードサイズを有する。そのため、ＤＣＩフォーマット０とＤＣＩフォーマット１Ａとが同じ形態のフォーマットを有するようにしながらこれらを区別可能なフィールドが含まれたわけである。「Ｆｌａｇ  ｆｏｒ  ｆｏｒｍａｔ  ０／ｆｏｒｍａｔ  １Ａ  ｄｉｆｆｅｒｅｎｔｉａｔｉｏｎ」フィールドが０の値を有すると、ＤＣＩフォーマット０を表し、１の値を有するとＤＣＩフォーマット１Ａを表す。
【０２２２】
「Ｆｒｅｑｕｅｎｃｙ  ｈｏｐｐｉｎｇ  ｆｌａｇ」（周波数ホッピングフラグ）フィールドは１ビットと与えられ、ＰＵＳＣＨ周波数ホッピングが適用されるか否かを表す。「Ｆｒｅｑｕｅｎｃｙ  ｈｏｐｐｉｎｇ  ｆｌａｇ」フィールドが０の値を有すると、ＰＵＳＣＨ周波数ホッピングが適用されないことを表し、１の値を有すると、ＰＵＳＣＨ周波数ホッピングが適用されることを表す。
【０２２３】
「Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ」（リソースブロック割当及びホッピングリソース割当）フィールドは、ＰＵＳＣＨ周波数ホッピングの有無による上りリンクサブフレームでのリソースブロック割当情報を表す。「Ｒｅｓｏｕｒｃｅ  ｂｌｏｃｋ  ａｓｓｉｇｎｍｅｎｔ  ａｎｄ  ｈｏｐｐｉｎｇ  ｒｅｓｏｕｒｃｅ  ａｌｌｏｃａｔｉｏｎ」フィールドは、
【０２２４】
【化１９】
0005995850.tif 000056
ビットで構成される。
【０２２５】
【化２０】
0005995850.tif 000057
は、上りリンク帯域幅設定（ｃｏｎｆｉｇｕｒａｔｉｏｎ）値であり、リソースブロックの個数で表現される。ＰＵＳＣＨホッピングが適用される場合に、
【０２２６】
【化２１】
0005995850.tif 000058
（物理リソースブロックのインデックス）を獲得するために、
【０２２７】
【化２２】
0005995850.tif 000059
のＭＳＢ（Ｍｏｓｔ  Ｓｉｇｎｉｆｉｃａｎｔ  Ｂｉｔ）ビットが用いられ、
【０２２８】
【化２３】
0005995850.tif 000060
ビットが上りリンクサブフレームの第１スロットのリソース割当を提供する。ここで、
【０２２９】
【化２４】
0005995850.tif 000061
は、システム帯域幅のサイズによって１または２ビットを有するホッピング情報を表す。一方、ＰＵＳＣＨホッピングが適用されない場合には、
【０２３０】
【化２５】
0005995850.tif 000062
ビットが上りリンクサブフレームのリソース割当を提供する。
【０２３１】
「Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ」（変調及びコーディング手法及びリダンダンシバージョン）フィールドは５ビットと与えられ、ＰＵＳＣＨに対する変調次数（ｍｏｄｕｌａｔｉｏｎ  ｏｒｄｅｒ）及びリダンダンシバージョン（ＲＶ）を表す。ＲＶとは、再伝送の場合にいずれのサブパケットを再伝送するかに関する情報を表す。５ビットにより表現される３２個の状態（ｓｔａｔｅ）のうち、０乃至２８は変調次数を表し、２９乃至３１はＲＶインデックス（１、２及び３）を表すことができる。
【０２３２】
「Ｎｅｗ  ｄａｔａ  ｉｎｄｉｃａｔｏｒ」（新規データ指示子）フィールドは１ビットと与えられ、上りリンクスケジューリング情報が新規データに関するものか、再伝送に関するものかを表す。以前伝送のＮＤＩ値に比べてトグリングされる場合は、新規データ伝送であることを表し、トグリングされない場合は、再伝送であることを表す。
【０２３３】
「ＴＰＣ  ｃｏｍｍａｎｄ  ｆｏｒ  ｓｃｈｅｄｕｌｅｄ  ＰＵＳＣＨ」（スケジューリングされたＰＵＳＣＨに対する伝送電力制御命令）フィールドは２ビットと与えられ、ＰＵＳＣＨ伝送に対する伝送電力を決定しうる値を表す。
【０２３４】
「Ｃｙｃｌｉｃ  ｓｈｉｆｔ  ｆｏｒ  ＤＭＲＳ」（復調参照信号に対する巡回シフト）フィールドは３ビットと与えられ、上りリンク復調参照信号（ＤｅＭｏｄｕｌａｔｉｏｎ  Ｒｅｆｅｒｅｎｃｅ  Ｓｉｇｎａｌ；ＤＭＲＳ）のためのシーケンス生成に用いられる巡回シフト（Ｃｙｃｌｉｃ  Ｓｈｉｆｔ）値を表す。ＤＭＲＳは、アンテナポート別またはレイヤー別の上りリンクチャネル推定のために用いられる参照信号である。
【０２３５】
「ＵＬ  ｉｎｄｅｘ  （ｆｏｒ  ＴＤＤ）」（上りリンクインデックス（ＴＤＤの場合））フィールドは、２ビットと与えられ、時分割デュプレックス（ＴＤＤ）方式で無線フレームが構成される場合に、特定上りリンク−下りリンク設定（ｃｏｎｆｉｇｕｒａｔｉｏｎ）において上りリンク伝送と設定されるサブフレームインデックスなどを表すことができる。
【０２３６】
「Ｄｏｗｎｌｉｎｋ  Ａｓｓｉｇｎｍｅｎｔ  Ｉｎｄｅｘ  （ｆｏｒ  ＴＤＤ）」（下りリンク割当インデックス（ＴＤＤの場合））フィールドは２ビットと与えられ、ＴＤＤ方式で無線フレームが構成される場合に、特定上りリンク−下りリンク設定においてＰＤＳＣＨ伝送と設定されるサブフレームの総個数などを表すことができる。
【０２３７】
「ＣＱＩ  ｒｅｑｕｅｓｔ」（チャネル品質指示子要請）フィールドは１ビットと与えられ、ＰＵＳＣＨを用いて非周期的なＣＱＩ（Ｃｈａｎｎｅｌ  Ｑｕａｌｉｔｙ  Ｉｎｆｏｒｍａｔｉｏｎ）、ＰＭＩ（Ｐｒｅｃｏｄｉｎｇ  Ｍａｔｒｉｘ  Ｉｎｄｉｃａｔｏｒ）及びＲＩ（Ｒａｎｋ  Ｉｎｄｉｃａｔｏｒ）報告をするように要請することを表す。「ＣＱＩ  ｒｅｑｕｅｓｔ」フィールドが１に設定されると、端末はＰＵＳＣＨを用いた非周期的ＣＱＩ、ＰＭＩ及びＲＩ報告を伝送する。
【０２３８】
「Ｍｏｄｕｌａｔｉｏｎ  ａｎｄ  ｃｏｄｉｎｇ  ｓｃｈｅｍｅ  ａｎｄ  ｒｅｄｕｎｄａｎｃｙ  ｖｅｒｓｉｏｎ」により前述の表４のように５ビットで３２個の状態（ｓｔａｔｅ）を表現するＭＣＳインデックス（ＩＭＣＳ）をシグナリングすることができる。
【０２３９】
【化２６】
0005995850.tif 000063
に対して、
【０２４０】
【化２７】
0005995850.tif 000064
をシグナリングすると、ＤＣＩフォーマット０の「ＣＱＩ  ｒｅｑｕｅｓｔ」ビットは１に設定され、４ＲＢ以下
【０２４１】
【化２８】
0005995850.tif 000065
の伝送が設定され、ＰＵＳＣＨデータ再伝送におけるリダンダンシバージョン１（ＲＶ１）が指示され、変調次数
【０２４２】
【化２９】
0005995850.tif 000066
に設定される。すなわち、ＣＱＩのみを伝送する場合には変調手法としてＱＰＳＫのみを用いることができる。
【０２４３】
３ＧＰＰ  ＬＴＥ−ＡシステムにおいてＳＵ−ＭＩＭＯは最大８個のレイヤーを用いて信号を伝送し、ＭＵ−ＭＩＭＯのためには最大２個のレイヤーを用いて信号を伝送することができる。受信端においてはＳＵ−ＭＩＭＯとＭＵ−ＭＩＭＯの伝送方法に関わらずに同じ動作で信号を復調する。
【０２４４】
受信端は送信端に信号伝送のための情報（ＣＳＩなど）を提供するが、一般に、ＣＳＩ情報を報告する場合にはＳＵ−ＭＩＭＯ伝送を仮定する。一般に、ＳＵ−ＭＩＭＯベースのＣＳＩ情報はセル−内干渉（ｉｎｔｒａ−ｃｅｌｌ  ｉｎｔｅｒｆｅｒｅｎｃｅ）に対する考慮無しで計算されるため、ＳＵ−ＭＩＭＯベースのＣＳＩ情報を用いてＭＵ−ＭＩＭＯ伝送を試みると、ＣＱＩ不整合（ｍｉｓｍａｔｃｈ）により性能低下が生じうる。したがって、ＭＵ−ＭＩＭＯ伝送の性能を向上させるために、ＭＵ−ＭＩＭＯ伝送に適したプリコーダを報告する方案について考慮する必要がある。
【０２４５】
端末がＳＵ−ＭＩＭＯ伝送において最大の効率が得られる伝送ランクを基地局に報告する場合に、例えば、ランク−８ベースのコードブックインデックスとＣＱＩが計算されて報告される場合に、該フィードバック情報はランク−８伝送には適合するが、ランク−１／２を持つ端末を多重化して伝送するＭＵ−ＭＩＭＯ伝送には適合しないことがある。したがって、性能低下を防止するためには、ＳＵ−ＭＩＭＯ伝送のためのＣＳＩ情報の他、ＭＵ−ＭＩＭＯ伝送のためのＣＳＩ情報も報告されなければならない。
【０２４６】
一方、受信端が送信端にＣＳＩ情報を報告する方法として、大きく２つの方法を考慮することができる。その一つは、約束された時間に約束されたリソースを用いてＣＳＩ情報を報告する方法であり、もう一つは、送信端の指示に応じて特定時間にＣＳＩ情報を報告する方法である。約束された時間にＣＳＩ情報を報告する方法では、３ＧＰＰ  ＬＴＥリリース−８システムのように、周期的ＣＱＩ報告をＰＵＣＣＨを通じて伝送することができる（周期的ＣＳＩが報告されるタイミングにＰＵＳＣＨデータが伝送される場合には、ＣＳＩがデータと多重化して伝送されうる）。一方、送信端の指示に応じて特定時間にＣＳＩ情報を報告する方法では、下りリンク制御チャネルに含まれる上りリンク伝送のための制御情報（例えば、ＤＣＩフォーマット０）中に非周期的ＣＳＩ報告要請フィールドを設定することによって、ＰＵＳＣＨを通じてＣＳＩを報告することができる。
【０２４７】
（実施例１）
本実施例１では、ＰＵＳＣＨを通じて報告される非周期的（ａｐｅｒｉｏｄｉｃ）ＣＳＩ報告方式でＳＵ−ＭＩＭＯとＭＵ−ＭＩＭＯ伝送を效果的に支援できるＣＳＩ情報報告方案について説明する。本実施例１は、端末が推薦する（ＵＥ  ｒｅｃｏｍｍｅｎｄｅｄ）ＣＳＩ及び制限されたランクに関するＣＳＩを同時に報告する方案（実施例１−Ａ）と、端末が推薦するＣＳＩ及び制限されたランクに関するＣＳＩのうち一つを報告する方案（実施例１−Ｂ）とに大別される。
【０２４８】
（実施例１−Ａ）
本実施例１−Ａは、端末が推薦するＣＳＩ及び制限されたランクに関するＣＳＩを同時に報告する方案に関する。
【０２４９】
受信端（すなわち、端末）が測定できるランクの範囲をランク−Ｎと仮定するとき、受信端はランク−１乃至ランク−Ｎに対するＣＱＩを計算して、最大の収率が得られるランクを選択する。ここで、受信端がランク−Ｍ（例えば、Ｍ＝３）以上のランクを選択する場合に、ランク−Ｍよりも小さいランク（例えば、ランク−１及び２）に関する情報（これはＭＵ−ＭＩＭＯ伝送のために必要な情報である）を追加に報告することができる。このとき、制限されたランク（ｒｅｓｔｒｉｃｔｅｄ  ｒａｎｋ）が設定され、最大ランク内でランク適応（ｒａｎｋ  ａｄａｐｔａｔｉｏｎ）ができる場合には、ランク指示子が要求される。仮に、制限されたランクが１または２のように限定的な値に決定されると、ランク指示子無しでＰＭＩ及びＣＱＩ値のみが報告されればいい。
【０２５０】
一方、端末が推薦するランクがＭ（例えば、Ｍ＝２）以下の値であると、端末が推薦するＣＳＩのみ報告される。端末が推薦するランクがＭ（例えば、Ｍ＝２）よりも大きい値であると、端末が推薦するランクに関するＣＳＩに加えて、制限されたランクに関するＣＳＩも報告される。
【０２５１】
（実施例１−Ｂ）
本実施例１−Ｂは、端末が推薦するＣＳＩ及び制限されたランクに関するＣＳＩのうち一つを報告する方案に関する。
【０２５２】
受信端が測定できるランクの範囲をランク−Ｎと仮定するとき、一般に、受信端はランク−１乃至ランク−Ｎに対するＣＱＩを計算して、最大の収率が得られるランクを選択する。ここで、受信端がランク−Ｍ以上（例えば、Ｍ＝３）のランクを報告すると、送信端ではＭＵ−ＭＩＭＯ伝送を行うためにＭよりも低いランクのＣＳＩ情報が必要される。この場合、送信端は、受信端が計算して報告しうる範囲よりも低い範囲のランク情報を報告するように要請することができる。これに関する本発明の種々の実施例について以下に説明する。
【０２５３】
（実施例１−Ｂ−１）
ＰＤＣＣＨのＤＣＩフォーマットに指示子を定義することによって、基地局が所望する範囲のランク情報を報告するように指示する方案を考慮することができる。
【０２５４】
上りリンク伝送のための制御情報にＣＱＩ属性を指示する指示子を定義することによって、送信端が指定する範囲におけるランクのＣＱＩを報告するように受信端に指示することができる。
【０２５５】
例えば、３ＧＰＰ  ＬＴＥリリース−８で定義するＤＣＩフォーマット０には「ＣＱＩ要請フィールド」が定義されている。ＣＱＩ要請フィールドが１の値を有する場合に、端末はＣＳＩ情報を伝送する。この時、伝送されるＣＳＩ情報にはＲＩ、ＰＭＩ、ＣＱＩが含まれる。一般に、ランク情報は、端末が好む値で選択する。
【０２５６】
拡張されたアンテナ構成を有するシステム（例えば、３ＧＰＰ  ＬＴＥリリース−１０システム）において本発明によって上りリンク伝送のために新しく定義されるＤＣＩフォーマット（例えば、ＤＣＩフォーマット４と称する。）では、基地局がＣＱＩ要請をするとき、端末が好むランクを優先的に報告し、もし基地局がランクを指示すると、基地局が設定した（ｅＮＢ  ｃｏｎｆｉｇｕｒｅｄ）ランクに基づいて端末がＣＳＩを報告するようにすることができる。ここで、基地局が指示するランクは、特定ランク値を指定してもよく、最大ランク値を指定してもよく、最大ランク値に対するインデックスを指示してもよく、約束された（あらかじめ決定された）ランク値を用いるという指示子であってもよく、約束された最大ランク値を用いるという指示子であってもよい。
【０２５７】
基地局が設定したランク（または、制限されたランク）を使用する旨を示す指示子は、ＤＣＩフォーマットに含めることができる。例えば、ＤＣＩフォーマットに定義されているフィールドのうちＣＱＩ要請フィールドが活性化されると、当該ＤＣＩフォーマット内で使用されない他のフィールドを、基地局が設定したランクを用いるための指示子に変えて解釈（すなわち、再使用）することができる。または、他のフィールドとの組み合わせを、基地局が設定したランクに対する指示子の用途に用いてもよい。
【０２５８】
例えば、ＤＣＩフォーマット４のビットフィールドを表１９のように定義することができる。
【０２５９】
【表１９】
0005995850.tif 000067
表１９で、ＣＱＩ要請フィールドが活性化されると、第２伝送ブロック（ＴＢ）に対するＭＣＳ及びＲＶフィールドは使用されない。この場合、第２ＴＢに対するＭＣＳ及びＲＶフィールドを、基地局が設定するランク（または、制限されたランク）を指示する用途に再使用することができる。
【０２６０】
（実施例１−Ｂ−２）
ＰＤＣＣＨのＤＣＩフォーマットの種類によって、報告するランクの範囲が設定される方案を考慮することができる。
【０２６１】
上りリンク伝送のための制御情報を、単一レイヤー伝送を支援するためのＤＣＩフォーマットと多重レイヤー伝送を支援するためのＤＣＩフォーマットとに分類することができる。例えば、単一アンテナ伝送は単一レイヤー伝送であり、このためにＤＣＩフォーマット０が定義されている。また、単一レイヤーであるが、特定割当方法を支援するために新しいＤＣＩフォーマット（例えば、ＤＣＩフォーマット０Ａと称する。）が定義されてもよく、単一レイヤーであるが、単一レイヤープリコーダ指示子を含む新しいＤＣＩフォーマット（例えば、ＤＣＩフォーマット０Ｂと称する。）が定義されてもよい。また、多重−アンテナ伝送のためのＤＣＩフォーマットを定義することができ、例えば、多重−伝送ブロックの伝送のために新しいＤＣＩフォーマット（例えば、ＤＣＩフォーマット４と称する。）を定義することができる。それぞれのＤＣＩフォーマットにはＣＱＩ要請フィールドを定義することができる。ここで、単一伝送ブロックを支援するためのＤＣＩフォーマットのＣＱＩ要請フィールドが活性化される場合に、端末は「制限されたランク」でＣＱＩを計算して報告するようにすることができる。そして、多重−伝送ブロックを支援するためのＤＣＩフォーマットのＣＱＩ要請フィールドが活性化される場合に、端末は測定及び受信可能な範囲内のランクでＣＱＩを計算して報告するようにすることができる。
【０２６２】
言い換えると、ＤＣＩフォーマット０、０Ａ、０Ｂのような単一伝送ブロックを支援するＤＣＩフォーマットからＣＱＩ要請が指示されると、端末は制限されたランク内でＣＱＩを計算し、ＤＣＩフォーマット４のような多重伝送ブロックを支援するＤＣＩフォーマットからＣＱＩ要請が指示されると、端末が測定及び受信可能な範囲のランクでＣＱＩを計算して報告するようにすることができる。
【０２６３】
ここで、制限されたランクは、端末が測定可能な範囲のランクとは独立した値に設定することができる。制限されたランクは、ＲＲＣシグナリングで指示されてもよく、固定された値に決定されてもよい。例えば、制限されたランクは最大ランク２に設定されてもよい。
【０２６４】
（実施例１−Ｂ−３）
伝送されるＰＵＳＣＨの番号によって報告される情報の種類を異なるように設定する方案を考慮することができる。
【０２６５】
既存の３ＧＰＰ  ＬＴＥリリース−８では、ＤＣＩフォーマット０のＣＱＩ要請フィールドが１に設定される場合に、ＰＤＣＣＨを通じてＤＣＩを受信した時点（ｎ番目のサブフレーム）からｋ個のサブフレームが経過した時点であるｎ＋ｋ番目のサブフレームでＰＵＳＣＨを伝送するようになる。ＦＤＤの場合、ｋ＝４に設定される。
【０２６６】
仮に、非周期的ＣＱＩを要請するＣＱＩ要請フィールドが活性化されたＤＣＩフォーマットを受信した時点であるｎ番目のサブフレームを基準に、ｎが偶数か奇数かによって、報告するＣＳＩ情報が異なるようにすることができる。例えば、ｎ番目のサブフレームが偶数のサブフレームであると、端末が推薦するランクのＣＳＩが報告され、奇数のサブフレームであると、制限されたランクのＣＳＩが報告されるようにすることができる。または、ｎ番目のサブフレームが奇数のサブフレームであると、端末が推薦するランクのＣＳＩが報告され、偶数のサブフレームであると、制限されたランクのＣＳＩが報告されてもよい。
【０２６７】
一方、もし非周期的ＣＱＩを要請するＣＱＩ要請フィールドが活性化されたＤＣＩフォーマットをｎ番目のサブフレームで受信してＣＳＩが報告される時点であるｎ＋ｋ番目のサブフレームを基準に、ｎ＋ｋが偶数か奇数かによって、報告するＣＳＩ情報が異なるようにしてもよい。例えば、ｎ＋ｋ番目のサブフレームが偶数のサブフレームであると、端末が推薦するランクのＣＳＩが報告され、奇数のサブフレームであると、制限されたランクのＣＳＩが報告されてもよい。または、ｎ＋ｋ番目のサブフレームが奇数のサブフレームであると、端末が推薦するランクのＣＳＩが報告され、偶数番目のサブフレームであると、制限されたランクのＣＳＩが報告されてもよい。
【０２６８】
拡張されたアンテナ構成を支援するシステム（例えば、３ＧＰＰ  ＬＴＥ−Ａシステム）で新しく定義される伝送モードに、本実施例１で提案するようなＳＵ−ＭＩＭＯとＭＵ−ＭＩＭＯ伝送を效果的に支援できるＣＳＩ報告方案を適用することができる。
【０２６９】
（実施例２）
本実施例２では、端末が推薦する（ＵＥ  ｒｅｃｏｍｍｅｎｄｅｄ）ランクが制限されたランク（ｒｅｓｔｒｉｃｔｅｄ  ｒａｎｋ）よりも高い場合に、端末が推薦するランクに基づいて選択されたプリコーダを用いて、制限されたランクに合うプリコーダを選択する方案について説明する。
【０２７０】
ランク−Ｎを有するプリコーダはＮ個のプリコーディングベクトルの組み合わせで構成される。Ｎ個のベクトルのうちの一部ベクトルを使用すると、低いランクの伝送が可能になる。このようにプリコーダの一部ベクトルを用いることを「サブセット選択（ｓｕｂｓｅｔ  ｓｅｌｅｃｔｉｏｎ）」と称することができる。
【０２７１】
基地局が端末から報告されたプリコーダに対してサブセット選択を行う方法には、任意のベクトルを無作為で選択する方法、あらかじめ定められた（すなわち、約束された）規則によってサブセットを選択する方法、報告する側（端末）で好むベクトルを報告する方法などを考慮することができる。ここで、任意のベクトルを選択する方法や約束された規則によってサブセットを選択する方法は別途のシグナリング無しで行うことができる。一方、報告する側で好むベクトルを報告する方法は、報告する側（端末）が報告を受ける側（基地局）にサブセット選択に関する情報を提供しなければならない。
【０２７２】
約束された規則によってサブセットを選択する方法において適用されうる規則の例示について以下に説明する。
【０２７３】
一例として、プリコーダの１番目の列（ｃｏｌｕｍｎ）から順に選択する規則を適用することができる。例えば、ランク−１の場合は１番目の列を一つを選択し、ランク−２の場合には１番目の列及び２番目の列の選択することができる。
【０２７４】
他の例として、伝送ブロック（ＴＢ）がマッピングされるレイヤーを考慮してサブセットを選択する規則を適用することができる。例えば、ＴＢがマッピングされるレイヤーのうち、Ｍ−番目のレイヤーに該当するプリコーダを選択することができる。例えば、２個のＴＢ（ＴＢ１及びＴＢ２）が４個のレイヤー（レイヤー１、レイヤー２、レイヤー３、レイヤー４）にマッピングされる場合に、ＴＢ１はレイヤー１及びレイヤー２にマッピングされ、ＴＢ２はレイヤー３及びレイヤー４にマッピングされると仮定する。このとき、プリコーダサブセット選択においてＭ＝１と与えられると、ＴＢ１のマッピングされる１番目のレイヤー（すなわち、レイヤー１）及びＴＢ２のマッピングされる１番目のレイヤー（すなわち、レイヤー３）に該当するサブセットを、２個のプリコーダとして選択することができる。
【０２７５】
一方、報告する側で好むベクトルを報告する方法において適用されうるシグナリング方案の例示について以下に説明する。
【０２７６】
一例として、プリコーダのサブセットをビットマップ形式で報告することができる。例えば、ランク−Ｎの場合に、Ｎ個のベクトルをＮ個のビットで構成されたビットマップを用いて、端末の好むプリコーダベクトルを基地局に報告することができる。
【０２７７】
他の例として、プリコーダのサブセットのうち一つのベクトルを好むことを報告する場合には、ｌｏｇ２（Ｎ）のビットを用いて（ここで、Ｎ＝ランク）、端末の好むプリコーダベクトルを基地局に報告することができる。
【０２７８】
前述したような種々の方案によってプリコーダが選択される場合に、選択されたプリコーダに該当するＣＱＩを計算して報告することができる。ＳＵ−ＭＩＭＯ伝送のためにランク−Ｎプリコーダが選択され、選択されたプリコーダに合わせてＣＱＩを計算することができる。このとき、ランク−Ｎプリコーダから一部プリコーダベクトルが選択される場合に、選択されたサブセットに該当するＣＱＩを再び計算することができる。例えば、ランク−４のためのプリコーダが選択されると、このプリコーダによりランク−４に対するＣＱＩを計算することができる。また、ランク−４プリコーダに基づいて２個のプリコーダベクトルが選択されると、ランク−２に対するＣＱＩを計算することができる。
【０２７９】
このようにプリコーダ選択がなされる場合に適用可能なフィードバック方案の例示について以下に説明する。
【０２８０】
第一に、ＲＩ‐ＰＭＩ１‐ＣＱＩ１‐ＰＭＩ２‐ＣＱＩ２をフィードバックする方案を考慮することができる。ここで、ＲＩはＰＭＩ１（または、Ｐｒｅｃｏｄｅｒ  １）に該当するランク情報であり、ＣＱＩ１は、ＰＭＩ１に基づいて計算された値である。ＰＭＩ２（または、Ｐｒｅｃｏｄｅｒ  ２）は、ＰＭＩ１から選択されたプリコーダであり、ＣＱＩ２は、ＰＭＩ２に基づいて計算された値である。ここで、ＰＭＩ１、ＰＭＩ２、ＣＱＩ１及びＣＱＩ２のそれぞれは一つ以上が伝送されうる。
【０２８１】
第二に、ＲＩ‐ＰＭＩ１‐ＣＱＩ１‐ＣＱＩ２をフィードバックする方案を考慮することができる。ここで、ＲＩは、ＰＭＩ１（またはＰｒｅｃｏｄｅｒ  １）に該当するランク情報であり、ＣＱＩ１はＰＭＩ１に基づいて計算された値である。ＣＱＩ２は、ＰＭＩ２（またはＰｒｅｃｏｄｅｒ  ２）に基づいて計算された値である。ＰＭＩ２は、ＰＭＩ１から選択されたプリコーダであり、約束された規則によってＰＭＩ２が選択される場合にＰＭＩ２は報告されない。すなわち、ＰＭＩ２を報告せずにＣＱＩ２のみを報告することができる。ここで、ＰＭＩ１、ＣＱＩ１及びＣＱＩ２のそれぞれは一つ以上伝送されうる。
【０２８２】
第三に、ＲＩ‐ＰＭＩ１‐ＣＱＩ１‐ＰＳＩ（Ｐｒｅｃｏｄｅｒ  Ｓｅｌｅｃｔｉｏｎ  Ｉｎｄｉｃａｔｏｒ）‐ＣＱＩ２をフィードバックする方案を考慮することができる。ここで、ＲＩは、ＰＭＩ１（またはＰｒｅｃｏｄｅｒ  １）に該当するランク情報であり、ＣＱＩ１は、ＰＭＩ１に基づいて計算された値である。ＰＭＩ２（またはＰｒｅｃｏｄｅｒ  ２）は、ＰＭＩ１から選択されたプリコーダであり、選択されたＰＭＩ２の値を知らせるためにＰＳＩを報告することができる。ＣＱＩ２はＰＭＩ２に基づいて計算された値である。ここで、ＰＭＩ１、ＣＱＩ１及びＣＱＩ２のそれぞれは一つ以上伝送されうる。
【０２８３】
上記のようなフィードバック方案の適用において、報告されるチャネル（すなわち、ＰＵＳＣＨまたはＰＵＣＣＨ）によってフィードバック情報が同時に報告されてもよく、異なる周期で報告されてもよい。例えば、ＰＵＳＣＨを用いたフィードバック報告では、ＲＩ、ＰＭＩ及びＣＱＩが一つのチャネルを通じて報告され、上記のようにＰＭＩ１の一部サブセットとして選択されたＰＭＩ２が報告される場合には、ＰＭＩ２及びＣＱＩ２が一つのチャネルを通じて同時に報告されてもよい。または、ＰＵＣＣＨを用いたフィードバック報告では、‘ＲＩ’と‘ＰＭＩ及びＣＱＩ’がそれぞれ異なった周期で報告されてもよく、上記のようにＰＭＩ１の一部サブセットとして選択されたＰＭＩ２が報告される場合には、‘ＰＭＩ２及びＣＱＩ２’がさらに異なった周期で報告されてもよい。
【０２８４】
（実施例３）
本実施例３では制限されたランクに関するプリコーダ情報が伝送される場合にフィードバック情報の伝送タイミングを決定する方案について説明する。
【０２８５】
一般に、ＭＵ−ＭＩＭＯ伝送のためには、一人のユーザー観点では低いランクのプリコーダを用い、空間的に相関関係の少ないユーザーを多重化して伝送することが好ましい。ＭＵ−ＭＩＭＯ伝送の場合にも、端末はＭＵ−ＭＩＭＯとＳＵ−ＭＩＭＯを区別せずに、ＳＵ−ＭＩＭＯを仮定して、自身に最大の収率が期待されるランク値を決定して報告することができる。端末が推薦する（ＵＥ  ｒｅｃｏｍｍｅｎｄｅｄ）ランクと当該ランクに基づくプリコーダが選択されて報告される場合に、高いランクのプリコーダと当該プリコーダに基づくＣＱＩが計算されて報告されうる。このように高いランクのプリコーダが報告されるとき、ＭＵ−ＭＩＭＯ伝送をするためには、報告されたプリコーダのサブセットを用いて低いランクのプリコーダを構成したり、低いランクのプリコーダを追加に報告する方案を考慮することができる。
【０２８６】
まず、基地局が、端末から報告されたプリコーダのサブセットを選択してＭＵ−ＭＩＭＯ伝送をする場合について説明する。端末が推薦するランクによるプリコーダのサブセットをＭＵ−ＭＩＭＯ伝送のためのプリコーダとして用いる場合に、基地局がＭＵ−ＭＩＭＯ伝送をするためにはＣＱＩを必要とする。基地局は、端末が推薦するランクによるプリコーダに基づいて計算されたＣＱＩが報告されるから、このＣＱＩをＭＵ−ＭＩＭＯのためのＣＱＩとして用いることを考慮することができる。しかし、端末が推薦するランクによるプリコーダに基づいて計算されたＣＱＩが示すチャネル状態は、当該プリコーダのサブセットを用いて伝送する状況でのチャネル状態とは異なることがある。そのため、基地局が、端末が推薦するランクによるプリコーダに基づいて計算されたＣＱＩをＭＵ−ＭＩＭＯのためのＣＱＩとして用いる場合に、ＣＱＩ不整合（ｍｉｓｍａｔｃｈ）が発生することがある。したがって、ＭＵ−ＭＩＭＯ性能改善のためには、プリコーダのサブセットに基づいて計算されたＣＱＩが報告されることが好ましい。
【０２８７】
次に、端末が低いランクのプリコーダを追加に報告する場合について説明する。低いランクを有するプリコーダが報告されるとき、当該プリコーダに基づいて計算されたＣＱＩが共に報告されることが好ましい。
【０２８８】
既存の方式によってチャネル情報報告のために基地局が端末に割り当てる上りリンク制御チャネル（ＰＵＣＣＨ）のリソースは制約的であり、ＰＵＣＣＨを用いては、端末が推薦するランクに対するプリコーダ及びそれに基づいて計算されたＣＱＩ情報を報告することができる。したがって、本実施例で提案するようにプリコーダサブセット及びそれに基づいて計算されたＣＱＩを報告したり、制限されたランクに対するプリコーダ及びそれに基づいて計算されたＣＱＩを報告するためには、これらの追加的なフィードバック情報が報告されるタイミング及び／またはリソースを新しく定義する必要がある。
【０２８９】
（実施例３−Ａ）
制限されたランクに基づくプリコーダ及びそれに基づいて計算されたＣＱＩを報告するオフセットを設定する方案について以下に説明する。
【０２９０】
周期的ＰＵＣＣＨフィードバック報告の場合に、ＲＩとＰＭＩ／ＣＱＩ伝送に対するタイミングが定義されている。一般に、ＲＩとＰＭＩ／ＣＱＩ情報は互いに異なったサブフレームで報告される。特に、ＲＩはＰＭＩ／ＣＱＩよりも長い周期で報告される。ランクが報告される場合に、次のランクが報告されるまでは、以前に報告されたランクに該当するＰＭＩ／ＣＱＩ情報が当該伝送周期に合わせて報告される。
【０２９１】
前述したように、高いランクが報告される場合には、低いランクを有するＰＭＩ及びそれに基づいて計算されたＣＱＩが報告されたり、または、高いランクを有するプリコーダのサブセット及びそれに基づいて計算されたＣＱＩが報告される必要がある。このように低いランクを有するＰＭＩ／ＣＱＩ情報を、制限されたランクのＰＭＩ／ＣＱＩ情報と表現することができる。
【０２９２】
制限されたランクのＰＭＩ／ＣＱＩが報告されるタイミングは、高いランクのＰＭＩ／ＣＱＩが報告されるタイミングの一部にすることができる。すなわち、ランクが報告される周期において、高いランクのＰＭＩ／ＣＱＩが報告される時点の一部時点を、制限されたランクのＰＭＩ／ＣＱＩを報告する時点として用いることができる。制限されたランクのＰＭＩ／ＣＱＩは、端末が推薦するランクのＰＭＩ／ＣＱＩ報告周期よりも長い周期で（すなわち、低い頻繁で）報告され、端末が推薦するランクのＰＭＩ／ＣＱＩが報告されるタイミングに対して所定のオフセットをもって報告されうる。特に、制限されたランクのＰＭＩ／ＣＱＩが伝送されるタイミングに対するオフセットは、制限されたランクのＰＭＩ／ＣＱＩが、端末の推薦するランクのＰＭＩ／ＣＱＩが伝送されるタイミングよりも遅くなるように設定することができる。
【０２９３】
一方、ランク情報が伝送されるサブフレームのタイミングオフセットは、端末の推薦するランクのＰＭＩ／ＣＱＩが伝送されるサブフレームを基準に、同一のサブフレームまたは前のサブフレームとなるように設定することができる。したがって、制限されたランクのＰＭＩ／ＣＱＩの伝送がランク情報の伝送と衝突しないように（すなわち、同一のサブフレームで伝送されないように）するために、制限されたランクのＰＭＩ／ＣＱＩは、端末の推薦するランクのＰＭＩ／ＣＱＩが伝送されるサブフレームを基準に、後のサブフレームで報告されるように設定することができる。制限されたランクのＰＭＩ／ＣＱＩの伝送タイミングに対するオフセットは、０以外の整数（ｉｎｔｅｇｅｒ）（すなわち、正の整数または負の整数）に設定することができる。
【０２９４】
図２２及び図２３を参照して、制限されたランクのＰＭＩ／ＣＱＩ伝送タイミング及びオフセットの例示について説明する。図２２及び図２３で、Ｎｓは、スロットインデックスを表し、０，１，…，Ｎｓの値を有する。すなわち、図２２及び図２３の例示では、１０個のサブフレームで構成される一つの無線フレームを示しており、
【０２９５】
【化３０−１】
0005995850.tif 000068
は、サブフレームインデックスに対応する。
【０２９６】
図２２では、端末が推薦するランクによるＣＱＩ／ＰＭＩはＮｐの周期で伝送され、ＲＩは、端末が推薦するランクによるＣＱＩ／ＰＭＩ周期の整数倍の周期（Ｎｐ×ＭＲＩ）で伝送され、ＲＩが端末の推薦するランクによるＣＱＩ／ＰＭＩ伝送タイミングに比べて所定のオフセット（Ｎｏｆｆｓｅｔ，ＲＩ）だけ早いタイミングで伝送されることを示している。前述した本発明の実施例のように、制限されたランクのＰＭＩ／ＣＱＩは、端末が推薦するランクによるＣＱＩ／ＰＭＩ伝送タイミングに比べて所定のオフセット（Ｎｏｆｆｓｅｔ，ＣＱＩ）だけ遅いタイミングで伝送され、端末が推薦するランクによるＣＱＩ／ＰＭＩ伝送周期に比べて長い周期で伝送されている。
【０２９７】
図２３では、端末が推薦するランクによるＣＱＩ／ＰＭＩとしてＷＢ  ＣＱＩ／ＰＭＩ及びＳＢ  ＣＱＩが伝送されることを示している。ＷＢ  ＣＱＩ／ＰＭＩ及びＳＢ  ＣＱＩはＮｐの周期で交互に伝送され、ＷＢ  ＣＱＩ／ＰＭＩの伝送周期はＨ×Ｎｐとすることができる。ＲＩは、端末が推薦するランクによるＷＢ  ＣＱＩ／ＰＭＩ周期の整数倍の周期（Ｈ×Ｎｐ×ＭＲＩ）で伝送され、ＲＩは、端末が推薦するランクによるＣＱＩ／ＰＭＩ伝送タイミングに比べて所定のオフセット（Ｎｏｆｆｓｅｔ，ＲＩ）だけ早いタイミングで伝送されている。また、前述した本発明の実施例のように、制限されたランクのＰＭＩ／ＣＱＩは、端末が推薦するランクによるＣＱＩ／ＰＭＩ伝送タイミングに比べて所定のオフセット（Ｎｏｆｆｓｅｔ，ＣＱＩ）だけ遅いタイミングで伝送され、端末が推薦するランクによるＣＱＩ／ＰＭＩ伝送周期に比べて長い周期で伝送されることが示されている。
【０２９８】
（実施例３−Ａ−１）
制限されたランクに基づくＰＭＩ／ＣＱＩに関するフィードバックモードの一例について以下に説明する。
【０２９９】
本実施例によれば、制限されたランクのＰＭＩ／ＣＱＩを報告するためのフィードバックモードは、端末が推薦するランクのＰＭＩ／ＣＱＩのフィードバックモードに従うことができる。例えば、端末が推薦するランクのＰＭＩ／ＣＱＩのフィードバックモードがＷＢ  ＰＭＩ／ＷＢ  ＣＱＩで伝送されるモードの場合に、制限されたランクのＰＭＩ／ＣＱＩも、ＷＢ  ＰＭＩ／ＷＢ  ＣＱＩで伝送されればいい。または、端末が推薦するランクのＰＭＩ／ＣＱＩのフィードバックモードがＷＢ  ＰＭＩ／ＳＢ  ＣＱＩで伝送されるモードの場合に、制限されたランクのＰＭＩ／ＣＱＩも、ＷＢ  ＰＭＩ／ＳＢ  ＣＱＩで伝送されればいい。
【０３００】
また、帯域循環（ｂａｎｄ  ｃｙｃｌｉｎｇ）のような方式でＳＢ  ＣＱＩが報告される場合に、ＷＢ  ＣＱＩが報告され、それぞれのＢＰ（Ｂａｎｄｗｉｄｔｈ  Ｐａｒｔ）に関するＳＢ  ＣＱＩが全て報告される一つの循環（ｃｙｃｌｅ）を考慮することができる。この場合、ＷＢ  ＣＱＩ及びそれぞれのＢＰに関するＳＢ  ＣＱＩが報告される一つの循環（ｃｙｃｌｅ）内で、制限されたランクのＰＭＩ／ＣＱＩを報告することができる。すなわち、ＲＩ報告周期の間において、１周期以上の周期を有する帯域循環報告周期（ｂａｎｄ  ｃｙｃｌｉｃ  ｒｅｐｏｒｔｉｎｇ  ｐｅｒｉｏｄ）のうち少なくとも一つの周期を、制限されたランクのＰＭＩ／ＣＱＩを報告する周期に設定することができる。
【０３０１】
図２４を参照して、制限されたランクのＰＭＩ／ＣＱＩの報告周期の例示について説明する。図２４で、ＲＩ報告周期（Ｈ×Ｎｐ×ＭＲＩ）の間においてＷＢ  ＣＱＩ及びそれぞれのＢＰに関するＣＱＩが報告される帯域循環報告周期のうち一つは、
【０３０２】
【化３０−２】
0005995850.tif 000069
値１乃至４に該当する。図２４の例示では、前述した本発明の実施例のように、帯域循環報告周期のうち一つで、制限されたランクのＰＭＩ／ＣＱＩを伝送することができる。
【０３０３】
（実施例３−Ａ−２）
制限されたランクに基づくＰＭＩ／ＣＱＩのフィードバックモードの他の例について以下に説明する。
【０３０４】
本実施例によれば、制限されたランクのＰＭＩ／ＣＱＩのフィードバックモードは、端末が推薦するランクのＰＭＩ／ＣＱＩのフィードバックモードにかかわらず、常に一定のフィードバックモードを有するように設定することができる。例えば、制限されたランクのＰＭＩ／ＣＱＩは、常にＷＢ  ＰＭＩ及びＷＢ  ＣＱＩを報告するフィードバックモードを有するように設定することができる。
【０３０５】
（実施例３−Ｂ−１）
多重−単位（ｍｕｌｔｉｐｌｅ  ｇｒａｎｕｌａｒ）プリコーダが定義される場合のフィードバック方案に関する本発明の一実施例について説明する。
【０３０６】
多重−単位プリコーダは、異なった２個のコードブック（Ｗ１及びＷ２）の組み合わせで構成可能である。Ｗ１とＷ２は種々のコードブックで構成されうる。これにより、基地局では、プリコーダに関する異なった種類のフィードバック指示子（Ｗ１及びＷ２）を受信して全体プリコーダを選択することができる。プリコーダに関する異なった情報（Ｗ１及びＷ２）は、異なったタイミングに報告されてもよい。例えば、Ｗ１は長−期間（ｌｏｎｇ−ｔｅｒｍ）で報告され、Ｗ２は短−期間（ｓｈｏｒｔ−ｔｅｒｍ）報告されてもよい。Ｗ１が長−期間で報告されるとき、ランク情報と共に報告されてもよい。または、Ｗ１はＷ２と共に報告されてもよい。すなわち、多重−単位プリコーダが適用される場合に、表２０のようにフィードバック情報の伝送タイミングを設定することができる。
【０３０７】
【表２０】
0005995850.tif 000070
表２０のモード（１）のように、ランク情報（ＲＩ）及びＷＢ  Ｗ１が同一の時点（Ｔ１）で伝送され、その後の任意の時点（Ｔ２）でＷＢ  Ｗ２及びＷＢ  ＣＱＩが伝送されうる。または、表２０のモード（２）のように、ランク情報（ＲＩ）がＴ１で伝送され、その後の任意の時点（Ｔ２）でＷＢ  Ｗ１、ＷＢ  Ｗ２及びＷＢ  ＣＱＩが伝送されてもよい。
【０３０８】
このようにプリコーダに関する指示子Ｗ１及びＷ２が異なったタイミングまたは同一のタイミングで報告される状況で、制限されたランクのＰＭＩ／ＣＱＩをフィードバックする場合を考慮することができる。制限されたランクのＰＭＩ／ＣＱＩが報告される場合には、制限されたランクに適合したＷ１及びＷ２を選択してフィードバックすることができる。また、選択されたＷ１及びＷ２に基づいて計算されたＣＱＩをフィードバックすることができる。ここで、Ｗ１、Ｗ２及びＣＱＩは、同じ時点（一つのサブフレーム）で報告することができる。
【０３０９】
図２５及び図２６を参照して、多重−単位プリコーダが適用される場合に、制限されたランクのＰＭＩ／ＣＱＩを含むフィードバック方案について説明する。
【０３１０】
図２５では、ＲＩ及びＰＭＩ１（すなわち、ＷＢ  Ｗ１）が同時に伝送され、その後の時点でＷＢ  ＰＭＩ２（すなわち、ＷＢ  Ｗ２）及びＷＢ  ＣＱＩが伝送されることを示している。ここでも伝送されるＰＭＩ１、ＰＭＩ２及びＣＱＩは、端末が推薦するランクによって選択及び計算されるフィードバック情報である。また、制限されたランクのＰＭＩ／ＣＱＩは、端末が推薦するランクによるＣＱＩ／ＰＭＩ伝送タイミングに比べて所定のオフセット（Ｎｏｆｆｓｅｔ，ＣＱＩ）だけ遅いタイミングで伝送されている。図２５では、制限されたランクによるＰＭＩ１、ＰＭＩ２及びＣＱＩが、
【０３１１】
【化３１−１】
0005995850.tif 000071
のインタイミングで伝送されている。
【０３１２】
図２６では、ＲＩが伝送され、その後の時点でＷＢ  ＰＭＩ１（すなわち、ＷＢ  Ｗ１）、ＷＢ  ＰＭＩ２（すなわち、ＷＢ  Ｗ２）及びＷＢ  ＣＱＩが同時に伝送されることを示している。ここで、伝送されるＰＭＩ１、ＰＭＩ２及びＣＱＩは、端末が推薦するランクによって選択及び計算されるフィードバック情報である。また、制限されたランクのＰＭＩ／ＣＱＩは、端末が推薦するランクによるＣＱＩ／ＰＭＩ伝送タイミングに比べて所定のオフセット（Ｎｏｆｆｓｅｔ，ＣＱＩ）だけ遅いタイミングで伝送されている。図２６では、制限されたランクによるＰＭＩ１、ＰＭＩ２及びＣＱＩが、
【０３１３】
【化３１−２】
0005995850.tif 000072
のタイミングで伝送されている。
【０３１４】
（実施例３−Ｂ−２）
多重−単位（ｍｕｌｔｉｐｌｅ  ｇｒａｎｕｌａｒ）プリコーダが定義される場合のフィードバック方案に関する本発明の他の実施例について説明する。
【０３１５】
基地局が多重−単位プリコーダ指示子（すなわち、Ｗ１及びＷ２）を受信する場合に、プリコーダ種類指示（Ｐｒｅｃｏｄｅｒ  Ｔｙｐｅ  Ｉｎｄｉｃａｔｉｏｎ；ＰＴＩ）ビットを用いて異なったフィードバックモードを指示することができる。
【０３１６】
一つのフィードバックモードは、ＲＩ、Ｗ１及びＷ２／ＣＱＩが互いに異なったサブフレームで伝送され、Ｗ１、Ｗ２及びＣＱＩはＷＢ情報に設定されるモードである。他のフィードバックモードは、Ｗ２とＣＱＩが同一のサブフレームで報告され、報告されるサブフレームによってＷ２／ＣＱＩの周波数単位（ｇｒａｎｕｌａｒｉｔｙ）がＷＢまたはＳＢであるモードである。すなわち、表２１のようにフィードバックモードを定義することができる。
【０３１７】
【表２１】
0005995850.tif 000073
表２１で、ＰＴＩが０の値を有する場合には、Ｔ１でＲＩが伝送され、その後の任意の時点（Ｔ２）でＷＢ  Ｗ１が伝送され、その後の任意の時点（Ｔ３）でＷＢ  Ｗ２及びＷＢ  ＣＱＩが伝送されるモードによってフィードバックが行われる。表２１で、ＰＴＩが１の値を有する場合には、Ｔ１でＲＩが伝送され、その後任意の時点（Ｔ２）でＷＢ  Ｗ１及びＷＢ  ＣＱＩが伝送され、その後の任意の時点（Ｔ３）でＳＢ  Ｗ２及びＳＢ  ＣＱＩが伝送されるモードによってフィードバックが行われる。
【０３１８】
ランク情報のフィードバック周期に合わせて表２１のモード（１）またはモード（２）を決定することができる。ＰＴＩによりモード（１）またはモード（２）が決定されると、ＣＱＩ周期に合わせて、ＷＢ  Ｗ１、ＷＢ  Ｗ２／ＷＢ  ＣＱＩを報告したり（モード（１））、またはＷＢ  Ｗ２／ＷＢ  ＣＱＩ、ＳＢ  Ｗ２／ＳＢ  ＣＱＩを報告することができる（モード（２））。報告される周期の基準は、ＷＢ  Ｗ２／ＷＢ  ＣＱＩの伝送タイミングにすることができる。ＷＢ  Ｗ２／ＷＢ  ＣＱＩの伝送タイミングに対するオフセットにより他のフィードバック情報の伝送タイミングを決定することができる。
【０３１９】
本実施例に係るフィードバック方案において、ＷＢ  Ｗ１がフィードバックされる周期及びオフセットの設定方案について以下に説明する。
【０３２０】
第一の方案として、ＷＢ  Ｗ１の伝送周期は、ＰＴＩ／ＲＩが伝送される周期よりも長い周期に（すなわち、低い頻繁に）することができる。また、ＷＢ  Ｗ１の周期は、ＷＢ  Ｗ２／ＷＢ  ＣＱＩが伝送される周期の整数倍に設定することができる。また、ＷＢ  Ｗ１伝送タイミングは、基準タイミング（すなわち、ＷＢ  Ｗ２／ＷＢ  ＣＱＩの伝送サブフレーム）に対するオフセット値で設定することができる。
【０３２１】
第二の方案として、ＷＢ  Ｗ１の伝送タイミングは、基準タイミング（すなわち、ＷＢ  Ｗ２／ＷＢ  ＣＱＩの伝送サブフレーム）に対するオフセット値で設定することができる。そして、ＰＴＩ／ＲＩフィードバック情報においてＰＴＩが所定の値（０または１）に設定される場合に、ＰＴＩ／ＲＩ伝送タイミングの直後にＷＢ  Ｗ１が一度伝送されるものと設定することができる。
【０３２２】
本実施例に係るフィードバック方案において、制限されたランクのＰＭＩ／ＣＱＩがフィードバックされる方案について以下に説明する。前述のＷＢ  Ｗ１、ＷＢ  Ｗ２、ＷＢ  ＣＱＩ、ＳＢ  Ｗ２及びＳＢ  ＣＱＩは、端末が推薦するランクによって選択及び計算されるフィードバック情報であり、これらに加えて、制限されたランクのＰＭＩ／ＣＱＩを伝送することができる。ＲＩと一緒に報告されるＰＴＩが０に設定される場合、制限されたランクのＰＭＩ／ＣＱＩとしてＷＢ  ＰＭＩ／ＷＢ  ＣＱＩを報告することができる。制限されたランクのＷＢ  Ｗ１、ＷＢ  Ｗ２及びＷＢ  ＣＱＩは同一のタイミングに報告する。端末が推薦するランクによるＷＢ  Ｗ２＋ＷＢ  ＣＱＩが報告されるサブフレームのうち一部サブフレームで、制限されたランクのＷＢ  Ｗ１、ＷＢ  Ｗ２及びＷＢ  ＣＱＩを同時に報告することができる。
【０３２３】
または、ＲＩと一緒に報告されるＰＴＩが１に設定される場合に、制限されたランクのＰＭＩ／ＣＱＩを報告することができる。このとき、制限されたランクのＰＭＩ／ＣＱＩを報告する方案として２つの方案を考慮することができる。
【０３２４】
一つの方案として、制限されたランクのＰＭＩ／ＣＱＩとして制限されたランクのＷＢ  Ｗ１、ＷＢ  Ｗ２及びＷＢ  ＣＱＩのみを報告することを考慮することができる。
【０３２５】
他の方案として、制限されたランクのＷＢ  Ｗ１、ＷＢ  Ｗ２及びＷＢ  ＣＱＩを一つのサブフレームで報告し、制限されたランクのＳＢ  Ｗ２及びＳＢ  ＣＱＩを他のサブフレームで報告し、これらの伝送タイミングは帯域循環（ｂａｎｄ  ｃｙｌｉｃ）報告周期に合わせて設定することもできる。
【０３２６】
（実施例４）
本実施例４では、全体プリコーダを構成する互いに異なったプリコーダインデックスのビット数を決定する方案について説明する。
【０３２７】
上記の表１１乃至表１８では、３ＧＰＰ  ＬＴＥシステムにおいて８個の伝送アンテナを有する基地局でＣＳＩ報告のために定義されたコードブックを定義している。上記表１１乃至表１８のようなＣＳＩ報告のためのコードブックでは２つのフィードバック報告によってコードブック要素（ｃｏｄｅｂｏｏｋ  ｅｌｅｍｅｎｔ）を決定することができる。表１１乃至表１８では、このような２つのフィードバック報告値をｉ１及びｉ２で表現したが、これは、上述したプリコーダインデックスＷ１（またはＰＭＩ１）及びＷ２（またはＰＭＩ２）にそれぞれ対応する概念である。２つの報告値は、互いに異なったタイミングを有し、且つ互いに異なった周波数単位（ｆｒｅｑｕｅｎｃｙ  ｇｒａｎｕｌａｒｉｔｙ）を有するように設定することができる。そして、コードブックを構成する要素の個数（＃  ｏｆ  ｅｌｅｍｅｎｔ）は、伝送のために端末が推薦するランクの数によってそれぞれ異なる値を有するように設定され、下記の表２２のように表すことができる。
【０３２８】
【表２２】
0005995850.tif 000074
表２２によれば、ｉ１は、ランクによって１６、４または１の要素（ｅｌｅｍｅｎｔ）を有するように定義され、ｉ２は、ランクによって１６、８または１の要素を有するように定義される。そして、フィードバックのためにｉ１を０乃至４ビットで表現し、ｉ２を０乃至４ビットで表現することができる。ランクによるｉ１及びｉ２の表現可能な最大ビット数（Ｍａｘｉｍｕｍ  ｂｉｔｓ）は、表２３のように表すことができる。
【０３２９】
【表２３】
0005995850.tif 000075
フィードバック情報を報告するために定義される制御チャネルの容量の限界により、ＣＳＩ報告のためのｉ１及びｉ２を表現できるビットに制約が適用されることがある。すなわち、ＣＳＩ報告のためにはｉ１及びｉ２の両方を伝送しなければならないが、ｉ１のための指示子（ｉｎｄｉｃａｔｏｒ）及び／またはｉ２のための指示子がＲＩまたはＣＱＩと同時に伝送される場合には、既存の３ＧＰＰ  ＬＴＥリリース−８またはリリース−９で定義しているＲＩまたはＣＱＩを報告するチャネルのエラー率（ｅｒｒｏｒ  ｒａｔｅ）並みのエラー率を有するようにしながらフィードバック情報を送ることを考慮することができる。
【０３３０】
ｉ１のための指示子及び／またはｉ２のための指示子がＲＩまたはＣＱＩと同時に伝送される場合としては、例えば、一つのサブフレームでＲＩを報告し、他のサブフレームでｉ１のための指示子、ｉ２のための指示子及びＣＱＩが同時に報告される場合を考慮することができる。他の例として、一つのサブフレームでＲＩ及びｉ１のための指示子を同時に報告し、他のサブフレームでｉ２のための指示子及びＣＱＩを同時に伝送する場合を考慮することもできる。
【０３３１】
既存の３ＧＰＰ  ＬＴＥリリース−８またはリリース−９ではＲＩのために最大２ビットの伝送を仮定しており、ＰＵＣＣＨを用いたＲＩ伝送にはＡＣＫ／ＮＡＣＫと同じコーディング方法を用いることができる。また、ＣＱＩ／ＰＭＩを報告するためには最大１１ビットの伝送を仮定しており、そのために、１３ビットまで支援可能なＲＭ（Ｒｅｅｄ−Ｍｕｌｌｅｒ）コードを用いてコーディングを行うことができる。
【０３３２】
拡張されたアンテナ構成を支援するシステム（例えば、３ＧＰＰ  ＬＴＥリリース−１０システム）でｉ１／ｉ２／ＣＱＩが同時に報告されることを仮定すると、ランク−１または２の場合に最大１５（＝４＋４＋７）ビットが要求される。１５ビット伝送のためには、既存のＲＭコードを拡張するコーディング方法を適用したり、既存に定義されている畳み込み符号（ｃｏｎｖｏｌｕｔｉｏｎ  ｃｏｄｅ）を使って制御信号を報告することを考慮することができる。また、既存のシステムで定義している最大ビットサイズと同じレベルにさせるために、ｉ１とｉ２のための指示子ビットのサイズを減らすことも考慮することができる。
【０３３３】
表２４は、ｉ１／ｉ２／ＣＱＩが同時に報告されるときに要求されるビット数を整理したものであり、ｉ１及びｉ２のための指示子ビットが０乃至４の場合に、一つのサブフレームで伝送されるビット数を表す。また、ランクによってｉ１またはｉ２のための指示子ビットの数が全体集合（フルセット（ｆｕｌｌ  ｓｅｔ））の場合もあり、部分集合（サブセット（ｓｕｂｓｅｔ））の場合もある。例えば、ｉ１の指示子ビットが４、ｉ２の指示子ビットが４の場合に、ランク−１とランク−２の伝送のためには両方とも、コードブックのフルセットを用いることができる。または、ｉ１（またはＷ１）のために２ビットが用いられ、ｉ２（またはＷ２）のために４ビットが用いられる場合に、ランク−１または２では、ｉ１のサブセット、ｉ２のフルセットを用いることができ、ランク−３では、ｉ１及びｉ２の両方もフルセットを用いることができる。表２４で、Ｆは、フルセットを表し、Ｓはサブセットを表す。また、表２４におけるＦ／Ｆ、Ｆ／Ｓ、Ｓ／ＦまたはＳ／Ｓという表現において、「／」の前に表示されるものはｉ１に対するビットを、‘／’の後に表示されるものはｉ２に対するビットを意味する。
【０３３４】
【表２４】
0005995850.tif 000076
ＰＵＣＣＨを用いたフィードバック伝送において既存のコーディング方法を適用したり、既存のフィードバックチャネル並みのエラー率を得るために、一つのサブフレームで１３ビット以下のビットを伝送することが考えられる。ここで、少なすぎる個数のコードブック要素を含むサブセットを用いる場合は、実際のチャネル状態に適合したＣＳＩを表現するためのコードブック要素が当該サブセットに含まれる確率が低くなるため、伝送の収率が低下することがある。そのため、フィードバックビットの数を減少させながらも適度レベルのサブセットを用いなければならない。
【０３３５】
例えば、ランク−１及びランク−２のためにｉ１及びｉ２はそれぞれ最大４ビットが要求されるが、（ｉ１指示子のためのビット／ｉ２指示子のためのビット）が（４／３）、（４／２）、（３／３）、（３／２）、（２／３）、（２／２）などとなるインデックスのサブセットを用いることを考慮することができる。
【０３３６】
また、ランクによってインデックスのサブセットが用いられてもよく、フルセットが用いられてもよい。例えば、最大１１ビットのレベルに合わせるためには、ｉ１／ｉ２のために２ビット／２ビットを用いることを考慮することができる。このとき、ランク−１乃至４では２ビット／２ビットが用いられ、ランク−５乃至７では２ビット／０ビットが用いられ、ランク−８では０ビット／０ビットが用いられることを考慮することができる。または、最大１３ビットのレベルに合わせるために、ｉ１／ｉ２のために３ビット／２ビットを用いることを考慮することができる。このとき、ランク−１乃至２では３ビット／２ビットが用いられ、ランク−３では２ビット／４ビットが用いられ、ランク−４では２ビット／３ビットが用いられ、ランク−５乃至７では２ビット／０ビットが用いられ、ランク−８では０ビット／０ビットが用いられることを考慮することができる。表２５は、ランク別にｉ１／ｉ２のために使用可能なビット数を例示する。
【０３３７】
【表２５】
0005995850.tif 000077
表２６は、表２５におけるｉ１／ｉ２ビット数の好適な組み合わせを表すものである。
【０３３８】
【表２６】
0005995850.tif 000078
表２７は、は、ＲＩとｉ１インデックスとが一つのサブフレームで同時に伝送され、他のサブフレームでｉ２インデックスとＣＱＩとが同時に伝送される場合に必要とされるビットを示すものである。
【０３３９】
【表２７−１】
0005995850.tif 000079
【０３４０】
【表２７−２】
0005995850.tif 000080
【０３４１】
【表２７−３】
0005995850.tif 000081
端末が受信し得る最大ランクまたは基地局が伝送しようとする最大ランクによって、端末が報告する最大ランク数が決定されると、ランクを指示するためのビットを決定することができる。ＲＩとｉ１とが結合して同時に伝送される場合には、フィードバックに必要な最大ビットは７（＝３＋４）ビットになり、最小ビットは５（＝１＋４）ビットになり得る。
【０３４２】
ランク情報は他のフィードバック情報を選択及び計算する基盤となるため、ロバスト（ｒｏｂｕｓｔ）に伝送される必要があり、よって、ランクの伝送されるサブフレームに含まれるビット数を可能な限り減らして送ることが好ましい。このような伝送のためにｉ１指示子のビットを減らす方案について考慮することができる。このような事項を考慮してランク別にｉ１／ｉ２のために用いられ得るビット数を表２８に例示する。
【０３４３】
【表２８】
0005995850.tif 000082
ｉ１／ｉ２のための指示子のサブセットの設定において、例えば、好むランクによってｉ１及びｉ２のサブセットのサイズが異なるように設定されてもよい。他の例として、端末のカテゴリー（ＵＥ  ｃａｔｅｇｏｒｙ）によってｉ１及びｉ２のサブセットのサイズが異なるように設定されてもよい。端末のカテゴリーは端末の性能（ｃａｐａｂｉｌｉｔｙ）によって区別すればよい。
【０３４４】
（実施例５）
本発明によって互いに異なったプリコーダインデックス（ｉ１／ｉ２）を用いてコードブックサブセットを設定する方案について説明する。
【０３４５】
表２９は、上記の表１１のランク−１ＣＳＩ報告に適したコードブックを別の方式で表現したものである。ランク−１コードブックは、４  Ｔｘ  ＤＦＴベクトル
【０３４６】
【化３２】
0005995850.tif 000083
を基本にして構成され、位相
【０３４７】
【化３３】
0005995850.tif 000084
との組み合わせで表すことができる。ｉ１のインデックスが０乃至１５と定義され、ｉ２のインデックスが０乃至１５と定義される場合に、３２ＰＳＫ（Ｐｈａｓｅ  Ｓｈｉｆｔ  Ｋｅｙｉｎｇ）の位相を有する
【０３４８】
【化３４】
0005995850.tif 000085
とＱＰＳＫ（Ｑｕａｄｒａｔｕｒｅ  ＰＳＫ）の位相を有する
【０３４９】
【化３５】
0005995850.tif 000086
とによってコードブックを構成することができる。ここで、ｉ１の隣接したインデックス同士間では同一要素（ｅｌｅｍｅｎｔ）が反復して配置されうる。
【０３５０】
【表２９−１】
0005995850.tif 000087
【０３５１】
【表２９−２】
0005995850.tif 000088
したがって、コードブックのサブセットを構成するときは、
【０３５２】
【化３６】
0005995850.tif 000089
を構成するＤＦＴ行列の位相または
【０３５３】
【化３７】
0005995850.tif 000090
の位相に制限をおく方法、一つのｉ１に含まれるコードブック要素の互いに異なったｉ１のインデックスでは互いに異なったコードブック要素でｉ１を構成する方法などを考慮することができる。このような方法によってコードブックサブセットを構成することができる。
【０３５４】
ｉ１及びｉ２のサブセットを用いることに従って、
【０３５５】
【化３８】
0005995850.tif 000091
が有する位相が決定される。例えば、ｉ１の指示（ｉｎｄｉｃａｔｉｏｎ）のために３ビットが用いられ、インデックスは偶数（０，２，４，６，８，１０，１２，１４）の８個が用いられ、且つｉ２の指示のために３ビットが用いられ、インデックスは０，１，２，３，８，９，１０，１１の８個が用いられるとき、
【０３５６】
【化３９】
0005995850.tif 000092
のために１６ＰＳＫの位相を有する４Ｔｘ  ＤＦＴベクトルと
【０３５７】
【化４０】
0005995850.tif 000093
のためにＱＰＳＫを有するように構成することができる。
【０３５８】
このようにｉ１のための指示ビットとｉ２のための指示ビットが決定されるとき、各ビットに合うインデックスの組み合わせによって、
【０３５９】
【化４１】
0005995850.tif 000094
を構成する４Ｔｘ  ＤＦＴベクトルの位相と
【０３６０】
【化４２】
0005995850.tif 000095
を構成する位相を表３０のように示すことができる。
【０３６１】
【表３０】
0005995850.tif 000096
下記の表３１は、上記の表１２のランク−２  ＣＳＩ報告に適したコードブックを、別の方式で表現したものである。ランク−２  ＣＳＩ報告ではｉ１及びｉ２のためにそれぞれ１６個のインデックス（０乃至１５）を定義する。
【０３６２】
【表３１−１】
0005995850.tif 000097
【０３６３】
【表３１−２】
0005995850.tif 000098
【０３６４】
【表３１−３】
0005995850.tif 000099
【０３６５】
【表３１−４】
0005995850.tif 000100
コードブックサブセットを構成するに当たり、このようにｉ１のための指示ビットとｉ２のための指示ビットが決定されるとき、各ビットに合うインデックスの組み合わせによって、
【０３６６】
【化４３】
0005995850.tif 000101
を構成する４  Ｔｘ  ＤＦＴベクトルの位相と
【０３６７】
【化４４】
0005995850.tif 000102
を構成する位相を、表３０のように示すことができる。
【０３６８】
ｉ１及びｉ２のサブセットを用いることに従って、
【０３６９】
【化４５】
0005995850.tif 000103
が有する位相が決定される。表３１のようにｉ１のための指示ビットとｉ２のための指示ビットが決定されるとき、各ビットに合うインデックスの組み合わせによって、
【０３７０】
【化４６】
0005995850.tif 000104
を構成する４  Ｔｘ  ＤＦＴベクトルの位相と
【０３７１】
【化４７】
0005995850.tif 000105
を構成する位相を、表３２のように示すことができる。
【０３７２】
【表３２−１】
0005995850.tif 000106
【０３７３】
【表３２−２】
0005995850.tif 000107
これと類似の方式により、上記の表１３乃至表１８のランク−３乃至ランク−８に適したコードブックに対して、ｉ１／ｉ２で表現されるコードブックのサブセットを選択する方案を適用することができる。
【０３７４】
例えば、上記の表１３のランク−３コードブックのｉ２は、０から１５までの１６個の要素で構成されており、それぞれは２個のベクトルを用いて３個の直交するビーム（ｏｒｔｈｏｇｏｎａｌ  ｂｅａｍ）を生成する行列で構成される。２個のベクトルを用いて４つのタイプのランク−３コードブックを構成することができる。
【０３７５】
例えば、ｉ２が０、１、２及び３の場合に、４タイプ（タイプ−Ａ、タイプ−Ｂ、タイプ−Ｃ及びタイプ−Ｄ）のランク−３コードブックをそれぞれ次のように表現することができる。
【０３７６】
タイプ−Ａは、第１列（１ｓｔ  ｃｏｌｕｍｎ）が‘＋’の共通−位相（ｃｏ−ｐｈａｓｅ）を有する
【０３７７】
【化４８】
0005995850.tif 000108
で構成され、第２列（２ｎｄ  ｃｏｌｕｍｎ）が‘−’の共通−位相を有する
【０３７８】
【化４９】
0005995850.tif 000109
で構成され、第３列（３ｒｄ  ｃｏｌｕｍｎ）が‘−’の共通−位相を有する
【０３７９】
【化５０】
0005995850.tif 000110
で構成されるタイプを指す
【０３８０】
【化５１】
0005995850.tif 000111
【０３８１】
【化５２】
0005995850.tif 000112
【０３８２】
【化５３】
0005995850.tif 000113
。
【０３８３】
タイプ−Ｂは、第１列（１ｓｔ  ｃｏｌｕｍｎ）が‘＋’の共通−位相（ｃｏ−ｐｈａｓｅ）を有する
【０３８４】
【化５４】
0005995850.tif 000114
で構成され、第２列（２ｎｄ  ｃｏｌｕｍｎ）が‘−’の共通−位相を有する
【０３８５】
【化５５】
0005995850.tif 000115
で構成され、第３列（３ｒｄ  ｃｏｌｕｍｎ）が‘−’の共通−位相を有する
【０３８６】
【化５６】
0005995850.tif 000116
で構成されるタイプを指す
【０３８７】
【化５７】
0005995850.tif 000117
【０３８８】
【化５８】
0005995850.tif 000118
【０３８９】
【化５９】
0005995850.tif 000119
。
【０３９０】
タイプ−Ｃは、第１列（１ｓｔ  ｃｏｌｕｍｎ）が‘＋’の共通−位相（ｃｏ−ｐｈａｓｅ）を有する
【０３９１】
【化６０】
0005995850.tif 000120
で構成され、第２列（２ｎｄ  ｃｏｌｕｍｎ）が‘＋’の共通−位相を有する
【０３９２】
【化６１】
0005995850.tif 000121
で構成され、第３列（３ｒｄ  ｃｏｌｕｍｎ）が‘−’の共通−位相を有する
【０３９３】
【化６２】
0005995850.tif 000122
で構成されるタイプを指す
【０３９４】
【化６３】
0005995850.tif 000123
【０３９５】
【化６４】
0005995850.tif 000124
【０３９６】
【化６５】
0005995850.tif 000125
。
【０３９７】
タイプ−Ｄは、第１列（１ｓｔ  ｃｏｌｕｍｎ）が‘＋’の共通−位相（ｃｏ−ｐｈａｓｅ）を有する
【０３９８】
【化６６】
0005995850.tif 000126
で構成され、第２列（２ｎｄ  ｃｏｌｕｍｎ）が‘＋’の共通−位相を有する
【０３９９】
【化６７】
0005995850.tif 000127
で構成され、第３列（３ｒｄ  ｃｏｌｕｍｎ）が‘−’の共通−位相を有する
【０４００】
【化６８】
0005995850.tif 000128
で構成されるタイプを指す
【０４０１】
【化６９】
0005995850.tif 000129
【０４０２】
【化７０】
0005995850.tif 000130
【０４０３】
【化７１】
0005995850.tif 000131
。
【０４０４】
上の例示で、コードブックに用いられる２個のベクトルは、
【０４０５】
【化７２】
0005995850.tif 000132
である。ｉ２＝０とｉ２＝２に対しては、第１列のためにベクトル
【０４０６】
【化７３】
0005995850.tif 000133
が用いられ、ｉ２＝１とｉ２＝３に対しては、第１列のためにベクトル
【０４０７】
【化７４】
0005995850.tif 000134
が用いられる。また、ｉ２＝０とｉ２＝１に対しては、第２列及び第３列に２個の互いに異なったベクトル、すなわち、
【０４０８】
【化７５】
0005995850.tif 000135
を用いることで２列間に直交性を持たせることができる。一方、ｉ２＝２とｉ２＝３に対しては、第２列及び第３列の両方に一つのベクトル、すなわち、
【０４０９】
【化７６】
0005995850.tif 000136
を用いながら、異なった共通−位相成分（‘＋’及び‘−’）を用いることで直交性を持たせることができる。
【０４１０】
次に、上記の表１３のランク−３コードブックにおいてｉ２＝０，１，２，３の場合とｉ２＝４，５，６，７の場合とを比較すると、コードブックを構成するベクトルが異なっていることがわかる。すなわち、ｉ２＝０，１，２，３に対しては
【０４１１】
【化７７】
0005995850.tif 000137
ベクトルが用いられるが、ｉ２＝４，５，６，７に対しては
【０４１２】
【化７８】
0005995850.tif 000138
ベクトルが用いられる。
【０４１３】
上に定義したタイプＡ乃至Ｄを用いて、ランク−３コードブック生成行列を下の表３３のように表現することもできる。
【０４１４】
【表３３】
0005995850.tif 000139
コードブック指示に必要なビットサイズを減らすための方法にサブ−サンプリング（ｓｕｂ−ｓａｍｐｌｉｎｇ）を適用することを考慮することができる。
【０４１５】
例えば、ランク−３コードブックを構成する２個の指示ビットサイズを、表３４のようなビットに減らすことを考慮することができる。
【０４１６】
【表３４】
0005995850.tif 000140
コードブック指示のための全体ビットサイズを４ビットにする３つの方案（すなわち、ｉ１＋ｉ２＝０＋４、１＋３または２＋２）を考慮することができる。このうち、ｉ１を０ビットにすると、すなわち、１個の要素で構成するようになると、ビームの解像度（ｂｅａｍ  ｒｅｓｏｌｕｔｉｏｎ）が低下して性能が大幅に低くなることがある。以下では、ｉ１を０ビットにする方案以外の方案について説明する。
【０４１７】
まず、ｉ１のために１ビットが割り当てられ、ｉ２のために３ビットが割り当てられる場合に、ｉ１のサブセット及びｉ２のサブセットを構成する方案について説明する。
【０４１８】
ｉ１及びｉ２の全体インデックスからサブセットを選択して用いるとき、いずれのインデックスを選択するかによって生成可能なコードブックの要素が異なってくるので、良い性能を有するコードブックが構成されるようにインデックスを適切に選択することが要求される。
【０４１９】
ｉ１が１ビットで割り当てられる場合に、ｉ１のインデックス（０，１，２，３）の中から２個のインデックスを選択することができる。コードブックを構成する材料に用いられうるベクトルの個数は、ｉ１のインデックス（０，１，２，３）の中からいずれを選択するかによって１２個または１６個となる。例えば、ｉ１のインデックス（０，１，２，３）の中から（０，１）を選択すると、
【０４２０】
【化７９】
0005995850.tif 000141
（ｍ＝０，２，４，６，８，１０，１２，１４，１６，１８，２０，２２）の１２個のベクトルが使用可能である。他の例として、ｉ１のインデックス（０，１，２，３）の中から（０，２）を選択すると、
【０４２１】
【化８０】
0005995850.tif 000142
（ｍ＝０，２，４，６，８，１０，１２，１４，１６，１８，２０，２２，２４，２６，２８，３０）の１６個のベクトルが使用可能である。すなわち、ｉ１＝（０，１）のとき、ｉ１＝０とｉ１＝１に対して重複したベクトルを用いる場合があり、Ｉ１＝（０，２）のときは、ｉ１＝０とｉ１＝２に対して互いに異なったベクトルを用いることとなる。したがって、ビーム解像度（ｂｅａｍ  ｒｅｓｏｌｕｔｉｏｎ）の観点ではＩ１＝（０，２）を用いることが好ましい。
【０４２２】
一方、ｉ２が３ビットで割り当てられる場合に、０乃至１５の１６個のｉ２のインデックスの中から８個のインデックスを選択することができる。８個のインデックスを選択する第一の方法は、ビーム解像度を上げるために、様々なベクトルを含むようにｉ２のインデックスを選択することであり、第二の方法は、ランク−３要素を生成する４タイプ（タイプ−Ａ、Ｂ、Ｃ、Ｄ）を全て含むように選択することである。
【０４２３】
第一の方法は、例えば、ｉ２のインデックスの（０，１，２，３）、（４，５，６，７）、（８，９，１０，１１）、（１２，１３，１４，１５）の４つのグループから２個ずつ選択して８個のインデックスを取る方式とすることができる。例えば、ｉ２のインデックスとして（０，２）、（４，６）、（８，１０）、（１２，１４）の８個を選択すると、８個のベクトルを用いてタイプ−Ａ／タイプ−Ｃの方法を適用したランク−３コードブック要素を生成することができる。他の例として、ｉ２のインデックスとして（１，３）、（５，７）、（９，１１）、（１３，１５）の８個を選択すると、８個のベクトルを用いてタイプ−Ｂ／タイプ−Ｄの方法を適用したランク−３コードブック要素を生成することができる。
【０４２４】
第二の方法は、例えば、（０，１，２，３）、（４，５，６，７）、（８，９，１０，１１）、（１２，１３，１４，１５）の４個のグループから２個のグループを選択して８個のインデックスを取る方式とすることができる。ランク−３コードブックを構成する行列を見ると、共通−位相（ｃｏ−ｐｈａｓｅ）成分として＋１及び−１が用いられることがわかる。また、共通−位相成分により８  Ｔｘ  ＤＦＴベクトルを形成し得るベクトルが存在する。例えば、０、８、１６、２４番のベクトルの場合は、共通−位相成分として＋１を用いると８  Ｔｘ  ＤＦＴベクトルを形成することができる。他の例として、４、１４、２０、２８番のベクトルの場合は、共通−位相成分として−１を用いると８  Ｔｘ  ＤＦＴベクトルを形成することができる。共通−極性を持つ（ｃｏ−ｐｏｌａｒｉｚｅｄ）アンテナ構成を考慮すると、８  Ｔｘ  ＤＦＴベクトルを用いる方が高い性能を達成することができる。
【０４２５】
ランク−３コードブックを構成する行列で用いられる共通−位相成分は＋１及び−１であるから、この共通−位相成分を用いて８  Ｔｘ  ＤＦＴベクトルを形成し得る０、８、１６、２４、４、１４、２０、２８番のベクトルを含むようにｉ２インデックスを選択することが好ましい。例えば、ｉ２のインデックスとして（０，１，２，３）、（８，９，１０，１１）を選択することができる。
【０４２６】
次に、ｉ１のために２ビットが割り当てられ、ｉ２のために２ビットが割り当てられる場合に、ｉ２のサブセットを構成する方案について以下に説明する。ｉ１は、０、１、２及び３のインデックスが存在するので、２ビットを用いて全てのインデックスを表現することができる。
【０４２７】
例えば、ｉ２のインデックス０乃至１５を（０，１，２，３）、（４，５，６，７）、（８，９，１０，１１）、（１２，１３，１４，１５）の４個のグループに区分する場合に、ｉ２のインデックスのサブセットを選択する方法として、一つのグループを選択して該グループの４個の要素を全て使用したり、４個のグループのそれぞれから１個ずつインデックスを選択して４個の要素を構成したり、または、４個のグループから２個のグループを選択し、選択されたグループのそれぞれから２個ずつインデックスを選択して４個の要素を構成する方法などを考慮することができる。
【０４２８】
ランク−３コードブック要素を構成する４つのタイプ−Ａ／Ｂ／Ｃ／Ｄのうち２つのタイプを選択的に使用できる場合の数は６であり、それぞれの場合は、（Ａ，Ｂ）、（Ａ，Ｃ）、（Ａ，Ｄ）、（Ｂ，Ｃ）、（Ｂ，Ｄ）、（Ｃ，Ｄ）である。
【０４２９】
また、ｉ２のインデックスの４個のグループから２個のグループを選択する場合の数は６である。ｉ２のインデックスグループの先頭ベクトルの数字で当該グループを指す場合に、それぞれのグループは０、４、８、１２番のグループと表現でき、４個のグループから２個のグループを選択するそれぞれの場合は、（０，４）、（０，８）、（０，１２）、（４，８）、（４，１２）、（８，１２）である。
【０４３０】
したがって、ランク−３コードブック要素構成方法に対する６つの場合と、ベクトルグループを選択する６つの場合との組み合わせにより、総３６個のｉ２インデックスのサブセットを構成する方法が生成される。
【０４３１】
上述した本発明の例示によって、ランク−３コードブックに対して、ｉ１のために１ビットが割り当てられ、ｉ２のために３ビットが割り当てられる場合、及びｉ１のために２ビットが割り当てられ、ｉ２のために２ビットが割り当てられる場合に、ｉ１のサブセット及びｉ２のサブセットを構成した例示は、下の表３５のように示すことができる。
【０４３２】
【表３５】
0005995850.tif 000143
ランク４に対するコードブックを構成する場合にも、次のような方法のサブサンプリングを考慮することができる。例えば、前述したランク−３コードブックを構成する２個の指示子（ｉ１及びｉ２）のビットサイズを、下の表３６のように減らすことを考慮することができる。
【０４３３】
【表３６】
0005995850.tif 000144
ランク−４コードブックについても、前述したランク−３コードブックでサブセットを選択するのと類似の原理によって、ｉ１及びｉ２のインデックスのサブセットを選択することができる。重複する説明は明瞭性のために省略する。
【０４３４】
ランク−４コードブックに対して、ｉ１のために１ビットが割り当てられ、ｉ２のために３ビットが割り当てられる場合、及びｉ１のために２ビットが割り当てられ、ｉ２のために２ビットが割り当てられる場合に、ｉ１のサブセット及びｉ２のサブセットを構成した例示を下の表３７のように示すことができる。
【０４３５】
【表３７】
0005995850.tif 000145
一方、上記のように選択されたコードブックサブセットは、ＰＵＳＣＨ報告において用いられてもよい。例えば、ＰＵＳＣＨ報告モード１−２のように各サブ帯域別にＰＭＩを報告するモードにおいて、ＰＭＩに対するフィードバックオーバーヘッドを減らすための方法にｉ１／ｉ２のサブセットを用いることができる。このとき、ｉ１に対してはＷＢで一つのインデックスが報告され、ｉ２に対してはＳＢ別にインデックスが報告されるとよい。
【０４３６】
また、３ＧＰＰ  ＬＴＥリリース−１０システムでは、新しいＰＵＳＣＨ報告モードとして、ＳＢ  ＣＱＩとＳＢ  ＰＭＩが報告されるモードを考慮することができる。このような報告モードでも、コードブックを表すための報告ビットを減らすための方案としてコードブックサブセットを用いることができる。このとき、ｉ１に対してはＷＢで一つのインデックスが報告され、ｉ２に対してはＳＢ別にインデックスが報告されるとよい。
【０４３７】
（実施例６）
本実施例６では、多重制御情報のＰＵＣＣＨ周期的報告モードを定義し、制御情報の報告時に適用可能な伝送優先順位（ｐｒｉｏｒｉｔｙ）を決定する方案について説明する。
【０４３８】
上記の表５と関連して説明したように、端末は、ＰＵＣＣＨ報告モード（モード１−０、１−１、２−０、２−１）によって種々の制御情報（ＲＩ、ＰＭＩ、ＣＱＩ）をＰＵＣＣＨを用いて周期的にフィードバックすることができ、端末の周期的フィードバックは、上位層によって半−静的に（ｓｅｍｉ−ｓｔａｔｉｃａｌｌｙ）設定可能である。下りリンク伝送が単一アンテナ伝送、伝送ダイバーシティ伝送、閉−ループ空間多重化伝送、二重（ｄｕａｌ）レイヤー伝送などのうちいずれであるかによって、当該下りリンク伝送に対して適宜のＰＵＣＣＨ報告モードが適用されるとよい。また、ＰＵＣＣＨ報告モードに関するＣＱＩ／ＰＭＩ／ＲＩフィードバックタイプは４つに区別可能である。タイプ１は、端末が選択したサブバンドに対するＣＱＩフィードバックである。タイプ２は、ＷＢ  ＣＱＩフィードバック及びＷＢ  ＰＭＩフィードバックである。タイプ３は、ＲＩフィードバックである。タイプ４は、ＷＢ  ＣＱＩフィードバックである。
【０４３９】
一方、既存の３ＧＰＰ  ＬＴＥリリース−８またはリリース−９システムでは、上りリンク伝送において種々の制御情報が衝突する場合（すなわち、制御情報が同じサブフレームで伝送されるように設定される場合）に落とし（ｄｒｏｐ）可能な制御情報について定義している。
【０４４０】
具体的に、ＰＵＣＣＨを用いたフィードバックにおいて、ＲＩ伝送とＷＢ  ＣＱＩ／ＰＭＩとが衝突（ｃｏｌｌｉｓｉｏｎ）する場合（すなわち、同じサブフレームで伝送されるように設定される場合）には、ＷＢ  ＣＱＩ／ＰＭＩを落とすことができる。または、ＰＵＣＣＨを用いたフィードバックにおいて、ＲＩ伝送とＳＢ  ＣＱＩとが衝突する場合には、ＳＢ  ＣＱＩを落とせばよい。また、肯定（ｐｏｓｉｔｉｖｅ）ＳＲとＲＩ／ＰＭＩ／ＣＱＩとが衝突する場合には、ＲＩ／ＰＭＩ／ＣＱＩを落とせばよい。また、サブフレームバンドリング動作（ｂｕｎｄｌｉｎｇ  ｏｐｅｒａｔｉｏｎ）が適用される上りリンク−共有チャネル（ＵＬ−ＳＣＨ）と周期的ＲＩ／ＰＭＩ／ＣＱＩ報告とが衝突する場合には、そのサブフレームで周期的ＣＱＩ／ＰＭＩ／ＲＩ報告を落とすことができ、周期的ＣＱＩ／ＰＭＩ及び／またはＲＩを該当サブフレームのＰＵＳＣＨ伝送と多重化せずに済む。また、ＰＵＳＣＨが伝送されないサブフレームでＨＡＲＱ−ＡＣＫとＲＩ／ＰＭＩ／ＣＱＩとが衝突し、且つ上位レイヤーから提供される所定のパラメータ（ｓｉｍｕｌｔａｎｅｏｕｓＡｃｋＮａｃｋＡｎｄＣＱＩ）値が１の場合には、ＰＵＣＣＨ上でＣＱＩ／ＰＭＩ／ＲＩをＨＡＲＱ−ＡＣＫと多重化し、それ以外の場合にはＣＱＩ／ＰＭＩ／ＲＩを落とせばよい。
【０４４１】
このように、３ＧＰＰ  ＬＴＥリリース−８／９では多重の制御情報が一つのサブフレームの時間に同時に伝送されなければならない場合には、制限された制御情報が報告されるように定義している。制御情報等の衝突時に適用される伝送優先順位は、ＳＲ、ＨＡＲＱ−ＡＣＫ、ＵＬ−ＳＣＨ（サブフレームバンドリング動作の場合）＞ＲＩ＞ＷＢ  ＣＱＩ／ＰＭＩ、ＷＢ  ＣＱＩ、ＳＢ  ＣＱＩと整理することができる。
【０４４２】
拡張されたアンテナ構成を支援するシステムでは、プリコーダに対する２個の異なったインデックス（ｉ１及びｉ２）がフィードバックされることを考慮することができる。これにより、ＲＩ、Ｉ１、Ｉ２、ＣＱＩの衝突時の伝送優先順位を決定することが必要である。これら制御情報の伝送優先順位を決定するに先立って、これら制御情報を報告するタイミングを定義する報告モードを定義する必要がある。
【０４４３】
（ＰＵＣＣＨ報告モードの例示）
まず、周期的ＣＱＩ／ＰＭＩ／ＲＩ伝送において、ＣＱＩ、ＣＱＩ／ＰＭＩ、好むサブ帯域選択及びＣＱＩ情報は、最後に報告された（ｔｈｅ  ｌａｓｔ  ｒｅｐｏｒｔｅｄ）周期的ＲＩに基づいて計算でき、サブ帯域選択及びＣＱＩ値は、最後に報告された周期的ＷＢ  ＰＭＩ及びＲＩに基づいて計算できる。また、２個のプリコーダインデックス（Ｉ１及びＩ２）は、異なるタイミングに報告されてもよく、同一タイミングに報告されてもよい。このような事項を考慮して、例えば、フィードバック情報の伝送において表３８のような報告モードを考慮することができる。
【０４４４】
【表３８】
0005995850.tif 000146
表３８で、Ｉ１とＩ２は、プリコーダ要素（ｐｒｅｃｏｄｅｒ  ｅｌｅｍｅｎｔ）で構成されたコードブックのインデックスを意味する。また、ＰＴＩは、プリコーダ種類指示（Ｐｒｅｃｏｄｅｒ  Ｔｙｐｅ  Ｉｎｄｉｃａｔｉｏｎ）ビットを意味する。
【０４４５】
表３８のＭｏｄｅ  １−１−１で、プリコーダインデックスＩ１は、現在サブフレームで伝送されるＲＩに基づいて計算及び選択されたプリコーダのインデックスを表す。プリコーダインデックスＩ２は、最後に報告されたＲＩ及び最後に報告されたＩ１に基づいて計算及び選択されたプリコーダのインデックスを表す。ＣＱＩは、最後に報告されたＲＩ、最後に報告されたＩ１及び現在報告されるＩ２に基づいて計算された値を表す。
【０４４６】
表３８のＭｏｄｅ  １−１−２で、プリコーダインデックスＩ１及びＩ２は、最後に報告されたＲＩに基づいて計算及び選択されたプリコーダのインデックスを表す。ＣＱＩは、最後に報告されたＲＩ、現在報告されるＩ１及びＩ２に基づいて計算された値を表す。
【０４４７】
表３８のＭｏｄｅ  ２−１（１）で、プリコーダインデックスＩ１は、最後に報告されたＲＩに基づいて計算及び選択されたプリコーダインデックスを表す。プリコーダインデックスＩ２は、最後に報告されたＲＩ及び最後に報告されたＩ１に基づいて計算及び選択されたプリコーダインデックスを表す。ＣＱＩは、最後に報告されたＲＩ、最後に報告されたＩ１及び現在報告されるＩ２に基づいて計算された値を表す。（ＲＩ＋ＰＴＩ）の伝送周期の間に（Ｉ１）と（Ｉ２＋ＣＱＩ）が報告される時に、（Ｉ１）は一回報告され、（Ｉ２＋ＣＱＩ）は多数回報告されうる。または、（ＲＩ＋ＰＴＩ）の伝送周期の間に（Ｉ１）と（Ｉ２＋ＣＱＩ）が報告される時に、（Ｉ１）は２回報告され、（Ｉ２＋ＣＱＩ）は多数回報告されうる。または、（Ｉ１）は連続して報告されてもよい。または、（Ｉ１）は（Ｉ２＋ＣＱＩ）と交互に報告されてもよい。または、（Ｉ１）は（ＲＩ＋ＰＴＩ）が報告された直後に報告され、次の（ＲＩ＋ＰＴＩ）が報告される前に報告されてもよい。
【０４４８】
表３８のＭｏｄｅ  ２−１（２）で、プリコーダインデックスＩ２は、最後に報告されたＲＩに基づいて計算及び選択されたプリコーダインデックスを表す。プリコーダインデックスＩ２は、最後に報告されたＲＩ及び最後に報告されたＩ１に基づいて計算及び選択されたプリコーダインデックスを表す。ＣＱＩは、最後に報告されたＲＩ、最後に報告されたＩ１及び現在報告されるＩ２に基づいて計算された値を表す。ＳＢ  ＣＱＩとＳＢ  Ｉ２は、最後に報告されたＲＩと最後に報告されたＩ１に基づいて計算及び選択された値及びインデックスを表す。
【０４４９】
以下に、上記の表３８のＭｏｄｅ  ２−１について具体的に説明する。
【０４５０】
上記の表３８のＭｏｄｅ  ２−１（Ｍｏｄｅ  ２−１（１）及び２−１（２））は、上記の表５のＰＵＣＣＨ報告モード２−１を拡張した形態の報告モードに相当しうる。上記の表５のＰＵＣＣＨ報告モード２−１は、３ＧＰＰ  ＬＴＥリリース−８／９システムで定義されるＰＵＣＣＨ報告モードで、ＷＢ  ＰＭＩ／ＣＱＩ及びＳＢ  ＣＱＩを報告するモードと定義される。ここで、ＳＢ  ＣＱＩは、ＢＰから選択されたＳＢのＣＱＩを意味する。ＢＰは、システム帯域幅のサブセットであり、システム帯域幅内で定義されうるＢＰを時間順に循環的（ｃｙｃｌｉｃ）に選択してＢＰのＣＱＩを報告するから、ＳＢ  ＣＱＩは多数個報告されうる。すなわち、（ＲＩ）−（ＷＢ  ＰＭＩ／ＣＱＩ）−（１番目のＢＰでのＳＢ  ＣＱＩ）−（２番目の２  ＢＰでのＳＢ  ＣＱＩ）−…−（ｎ番目のＢＰでのＳＢ  ＣＱＩ）のような時間順にＲＩ／ＰＭＩ／ＣＱＩを報告することができる。この時、ＲＲＣシグナリングを通じてＰＭＩ／ＣＱＩの報告周期とオフセットが決定されると、ＷＢ  ＰＭＩ／ＣＱＩ及びＳＢ  ＣＱＩを、設定された報告周期に合わせて報告することができる。そして、ＲＩは、ＷＢ  ＰＭＩ／ＣＱＩが報告される周期を基準に整数倍の周期を有するように設定し、オフセット指示子を用いてＷＢ  ＰＭＩ／ＣＱＩの伝送タイミングに比べて、設定されたオフセットだけのサブフレームの前で報告されるように設定することができる。
【０４５１】
拡張されたアンテナ構成を支援するシステム（例えば、３ＧＰＰ  ＬＴＥリリース−１０システム）におけるＰＵＣＣＨ報告モードのために、前述したような表５のＰＵＣＣＨ報告モード２−１を拡張した形態の報告モードを定義することができる。
【０４５２】
３ＧＰＰ  ＬＴＥリリース−８／９システムで、ＰＵＣＣＨ報告モードに対するＣＱＩ／ＰＭＩ／ＲＩフィードバックタイプとして４つのフィードバックタイプ（すなわち、タイプ１は、端末の選択したサブバンドに対するＣＱＩフィードバックであり、タイプ２は、ＷＢ  ＣＱＩフィードバック及びＷＢ  ＰＭＩフィードバックであり、タイプ３は、ＲＩフィードバックであり、タイプ４は、ＷＢ  ＣＱＩフィードバックである。）が定義されるのと同様に、３ＧＰＰ  ＬＴＥリリース−１０システムでもＰＵＣＣＨ報告モードに対して例えば４つのＣＱＩ／ＰＭＩ／ＲＩフィードバックタイプを定義することができる。例えば、報告タイプ１は、ＲＩ／ＰＴＩフィードバックであり、報告タイプ２は、ＷＢ  Ｉ１フィードバックであり、報告タイプ３は、ＷＢ  Ｉ２／ＣＱＩフィードバックであり、報告タイプ４は、ＳＢ  Ｉ２／ＣＱＩフィードバックと定義することができる。タイプ１のＰＴＩの設定に従って、報告に用いられるタイプを決定することができる。例えば、タイプ１のＰＴＩ＝０であれば、タイプ１−タイプ２−タイプ３が報告に用いられ、タイプ１のＰＴＩ＝１であれば、タイプ１−タイプ３−タイプ４が報告に用いられると定義することができる。これにより、上記の表３８のＭｏｄｅ  ２−１（１）及びＭｏｄｅ  ２−１（２）を定義することができる。
【０４５３】
２個の伝送アンテナの伝送または４個の伝送アンテナの伝送の場合と同様に、一つのプリコーダインデックスを用いてプリコーダ要素を指示する場合には、ＰＴＩを常に１に設定（ｓｅｔｔｉｎｇ）して、タイプ１−タイプ３−タイプ４が報告に用いられるように定義することができる。本方式が３ＧＰＰ  ＬＴＥリリース−８／９システムにおける報告方式と異なる点は、タイプ４でＳＢ  ＰＭＩ／ＣＱＩが伝送されるという点である。３ＧＰＰ  ＬＴＥリリース−１０システムにおけるタイプ４の伝送が、３ＧＰＰ  ＬＴＥリリース−８／９システムと類似に動作するようにするために、システム帯域幅内の一つ以上のＢＰに対して循環的に報告し、ＢＰ内で好むＳＢに対するＰＭＩ／ＣＱＩを報告するものと定義することができる。このような場合、タイプ３またはタイプ４の報告周期は、３ＧＰＰ  ＬＴＥリリース−８／９システムにおけるＰＭＩ／ＣＱＩの周期設定と同じ方法で決定することができる。例えば、タイプ３とタイプ４は、ＰＭＩ／ＣＱＩのために設定された周期に合わせて報告できる。そして、タイプ１のための周期も、３ＧＰＰ  ＬＴＥリリース−８／９システムにおけるＲＩの周期設定と同じ方法で決定できる。例えば、タイプ１の報告周期は、タイプ３が報告される周期を基準に整数倍の関係を有するように設定することができる。そして、タイプ３が報告されるサブフレームを基準に特定個数だけ前のサブフレームでタイプ１が伝送されるようにオフセット値を設定することができる。
【０４５４】
一方、８個の伝送アンテナ伝送のように、２個の異なるプリコーダインデックスを用いてプリコーダ要素を指示する場合には、ＰＴＩの値によって（タイプ１−タイプ２−タイプ３）または（タイプ１−タイプ３−タイプ４）を報告することができる。ＰＴＩによって２つの異なるフィードバックタイプの集合を選択するとき、それぞれのフィードバックタイプのための報告周期を決定しなければならない。それぞれのフィードバックタイプに適用される報告周期を知らせるための具体的な方案について以下に説明する。
【０４５５】
第一の方案として、ＰＴＩの指示（ｉｎｄｉｃａｔｉｏｎ）によらずにタイプ１（ＲＩ＋ＰＴＩ）の周期が設定される場合に、タイプ１（ＲＩ＋ＰＴＩ）の周期は、ＰＴＩ＝１の時のタイプ３（すなわち、タイプ１‐タイプ３‐タイプ４順の報告モードにおいてのタイプ３）を基準に設定することができる。
【０４５６】
第二の方案として、ＰＴＩの指示（ｉｎｄｉｃａｔｉｏｎ）によらずにタイプ１（ＲＩ＋ＰＴＩ）の周期が設定される場合に、タイプ１（ＲＩ＋ＰＴＩ）の周期は、ＰＴＩ＝０の時のタイプ３（すなわち、タイプ１‐タイプ２‐タイプ３順の報告モードにおいてのタイプ３）を基準に設定することができる。
【０４５７】
第三の方案として、ＰＴＩの指示によらずにタイプ１（ＲＩ＋ＰＴＩ）の周期が設定される場合に、タイプ１（ＲＩ＋ＰＴＩ）の周期は、ＰＴＩ＝０の時のタイプ２（すなわち、タイプ１‐タイプ２‐タイプ３順の報告モードにおいてのタイプ２）を基準に設定することができる。
【０４５８】
第四の方案として、タイプ１（ＲＩ＋ＰＴＩ）の周期をＰＴＩの指示によって異なるように設定することができる。例えば、ＰＴＩ＝１の場合に、一つのタイプ３（ＷＢ  Ｉ２／ＣＱＩ）、及び一つまたは複数のタイプ４（ＳＢ  Ｉ２／ＣＱＩ）の伝送のための一つの循環（ｏｎｅ  ｃｙｃｌｅ）が設定されるとき、タイプ１（ＲＩ＋ＰＴＩ（＝１））の周期は、該一つの循環の整数倍に設定することができる。一方、ＰＴＩ＝０の場合に、一つのタイプ２（ＷＢ  Ｉ１）及び一つのタイプ３（ＷＢ  Ｉ２／ＣＱＩ）の伝送のための一つの循環が設定されるとき、タイプ１（ＲＩ＋ＰＴＩ（＝０））の周期は、該一つの循環の整数倍に設定することができる。このようにＰＴＩ＝０とＰＴＩ＝１の時に要求される最小循環が互いに異なるように設定することができる。
【０４５９】
第五の方案として、ＰＴＩ＝１のときにＣＱＩ／ＰＭＩ伝送のために必要な区間（ｄｕｒａｔｉｏｎ）と、ＰＴＩ＝０のときにＣＱＩ／ＰＭＩ伝送のために必要な区間とが異なる場合に、より長い区間を有する方の区間を基準に、短い区間を有する方でフィードバック情報の反復的な伝送が行われるようにしてもよい。例えば、ＰＴＩ＝０のときに１個のタイプ２（ＷＢ  Ｉ１）及び１個のタイプ３（ＷＢ  Ｉ２／ＣＱＩ）の伝送が要求され、ＰＴＩ＝１のときに１個のタイプ３（ＷＢ  Ｉ２／ＣＱＩ）及び複数個のタイプ４（ＳＢ  Ｉ２／ＣＱＩ）の伝送が要求されるとすれば、ＰＴＩ＝０の場合が短い区間に該当し、ＰＴＩ＝１の場合が長い区間に該当する。この場合、長い区間の長さに対応する分だけ、短い区間を繰り返すことができる。すなわち、ＰＴＩ＝０の場合のタイプ２及び／またはタイプ３が繰り返し伝送されるようにすることができる。ここで、タイプ２が報告された後にタイプ３が反復的に報告されるようにしてもよく、タイプ２、タイプ３の両方が反復的に報告されてもよい。
【０４６０】
第六の方案として、ＰＴＩ＝１のときにＣＱＩ／ＰＭＩ伝送のために必要な区間（ｄｕｒａｔｉｏｎ）と、ＰＴＩ＝０のときにＣＱＩ／ＰＭＩ伝送のために必要な区間とが異なる場合に、より短い区間を有する方の区間を基準にして長い区間を有する方の一部の報告内容を落としたり、次のタイプ１伝送区間で伝送するようにしてもよい。例えば、ＰＴＩ＝０のときに１個のタイプ２（ＷＢ  Ｉ１）及び１個のタイプ３（ＷＢ  Ｉ２／ＣＱＩ）の伝送が要求され、ＰＴＩ＝１のときに１個のタイプ３（ＷＢ  Ｉ２／ＣＱＩ）及び複数個のタイプ４（ＳＢ  Ｉ２／ＣＱＩ）の伝送が要求される場合に、ＰＴＩ＝０の場合が短い区間に該当し、ＰＴＩ＝１の場合が長い区間に該当する。この場合、長い区間を有するＰＴＩ＝１の方で一部の情報（例えば、タイプ４）を落とし、１個のタイプ３及び１個のタイプ４を報告するようにすることができる。また、タイプ４がバンド循環方式でＣＱＩ／ＰＭＩを報告する場合では、タイプ１伝送区間によって異なるＢＰのＣＱＩ／ＰＭＩが伝送されるようにしてもよい。
【０４６１】
一方、前述した３ＧＰＰ  ＬＴＥリリース−１０システムで適用可能なＰＵＣＣＨ報告モードの例示についてより具体的に説明する。
【０４６２】
３ＧＰＰ  ＬＴＥリリース−１０システムで種々の下りリンク伝送モードが定義されることに応じて、下りリンク伝送のためのＣＳＩをＰＵＣＣＨを用いて伝送するために様々なＰＵＣＣＨフィードバック報告モードを定義することができる。このとき、互いに異なった２個のプリコーダインデックス（Ｉ１及びＩ２）（本明細書では、Ｉ１及びＩ２をそれぞれ、ＰＭＩ１及びＰＭＩ２と称することもあり、それぞれＷ１及びＷ２と称することもある。）を用いること、及び既存の３ＧＰＰ  ＬＴＥリリース−８／９で定義されたＰＵＣＣＨ報告モードを基本的に用いることを考慮することができる。ＰＵＣＣＨ伝送リソースには制約があるため、コードブックサブサンプリング（ｓｕｂ−ｓａｍｐｌｉｎｇ）などを用いた報告ビット幅最適化（ｒｅｐｏｒｔｉｎｇ  ｂｉｔｗｉｄｔｈ  ｏｐｔｉｍｉｚａｔｉｏｎ）を考慮したＰＵＣＣＨ報告モードを設計することが要求される。以下では、３ＧＰＰ  ＬＴＥリリース−１０システムに適用可能なＰＵＣＣＨフィードバック報告モードに対して本発明で提案する例示を説明する。
【０４６３】
まず、ＰＵＣＣＨ報告ビットのサイズは、（３ＧＰＰ  ＬＴＥリリース−８のように）１１ビットを越えないように設定することができる。これを考慮して、それぞれのＰＵＣＣＨ報告モードのビットサイズが適切に設定されるようにしなければならない。また、３ＧＰＰ  ＬＴＥリリース−８システムでのＰＭＩ伝送に関するＰＵＣＣＨ報告モード（上記表５のＰＵＣＣＨ報告モード１−１、２−１）の拡張（ｅｘｔｅｎｓｉｏｎ）として３ＧＰＰ  ＬＴＥリリース−１０システムに適用されるＰＵＣＣＨ報告モードを定義することができる。これにより、３つの新しいＰＵＣＣＨ報告モードを定義することができる。
【０４６４】
上記表５のＰＵＣＣＨ報告モード１−１の一つの拡張形態としてＰＵＣＣＨモード−Ａを定義し、上記表５のＰＵＣＣＨ報告モード１−１の他の拡張形態としてＰＵＣＣＨモード−Ｂを定義し、上記表５のＰＵＣＣＨ報告モード２−１の拡張形態としてＰＵＣＣＨモード−Ｃを定義することができる。モード−Ａ、Ｂ、Ｃはそれぞれ、上記表３８のＭｏｄｅ  １−１−１、１−１−２、２−１に対応する。これら３つのＰＵＣＣＨ報告モードにおいて一つのタイミング（サブフレーム）で伝送される制御情報を報告タイプで表現することができる。以下ではＰＵＣＣＨ報告モード−Ａ、Ｂ及びＣのそれぞれで伝送される報告タイプについて説明する。
【０４６５】
ＰＵＣＣＨ報告モード−Ａでは、２個の報告タイプ（タイプ−５及びタイプ−２ａ）を用いることができる。タイプ−５は、ジョイントコーディングされたＲＩ及びＷ１フィードバックであり、タイプ−２ａは、ＷＢ  ＣＱＩ及びＷ２フィードバックである。
【０４６６】
ＰＵＣＣＨ報告モード−Ｂでは２個の報告タイプ（タイプ−３及びタイプ−２ｂ）を用いることができる。タイプ−３は、ＲＩフィードバックであり、タイプ−２ｂは、ＷＢ  ＣＱＩ、Ｗ１及びＷ２フィードバックである。
【０４６７】
ＰＵＣＣＨ報告モード−Ｃでは４個の報告タイプ（タイプ−６、タイプ−２ａ、タイプ−７及びタイプ−８）を用いることができる。タイプ−６は、ジョイントコーディングされたＲＩ及びＰＴＩフィードバックであり、タイプ−２ａは、ＷＢ  ＣＱＩ及びＷ２フィードバックであり、タイプ−７は、ＷＢ  Ｗ１フィードバックであり、タイプ−８は、選択された帯域の指示子を含むＳＢ  ＣＱＩ及びＷ２フィードバックである。
【０４６８】
これらの種々の報告タイプは異なったサブフレームで報告されるので、プリコーダインデックスＷ１及びＷ２が互いに異なったタイミングに報告されるＰＵＣＣＨ報告モード−Ａ及びＣでは、全体プリコーディング行列及びそれに基づいて計算されるＣＱＩを決定するために、複数個のサブフレーム（ＴＴＩ）が要求される。
【０４６９】
以下では、ＰＵＣＣＨ報告モードのサブサンプリングについて説明する。まず、既存のＰＵＣＣＨ報告モード１−１の拡張に該当するＰＵＣＣＨ報告モード−Ａ及びＢについて説明する。
【０４７０】
ＰＵＣＣＨ報告モード−Ａ及びＢに対してコードブックサブサンプリングが適用されない場合に、報告タイプに対するフィードバックオーバーヘッド（すなわち、要求されるビット数）をランク値によって整理すると、下の表３９のように表すことができる。
【０４７１】
【表３９】
0005995850.tif 000147
表３９で、ＰＵＣＣＨモード−Ｂにおける一部のタイプ−２報告は１１ビットを超えるので、ＰＵＣＣＨ伝送ビットの制限を越えることになる。したがって、下の表４０のように、ＰＵＣＣＨモード−Ｂにおいてタイプ−２報告に対してコードブックサブサンプリングを適用することができる。
【０４７２】
【表４０】
0005995850.tif 000148
表３９の例示で、タイプ−２ａ報告は１１ビットを超えず、サブサンプリングを必要としないが、タイプ−５報告は、タイプ−３報告に比べて２倍のビットを必要とする。タイプ−５及びタイプ−３報告がランク情報を運ぶ（ｃａｒｒｙ）ので、これらの報告タイプはロバストな信頼性（ｒｏｂｕｓｔ  ｒｅｌｉａｂｉｌｉｔｙ）を有しなければならない。ランク情報はＰＵＣＣＨ報告において高い優先順位を有し、同じサブフレームで複数個のタイプが報告されなければならない場合に、ＲＩ伝送サブフレームでＣＱＩ及びＰＭＩは落ちる（ｄｒｏｐ）ことがある。このような点を考慮すると、ランクフィードバックの信頼性を高めるためにタイプ−５報告にもコードブックサブサンプリングが適用されるとよい。
【０４７３】
タイプ−５報告へのサブサンプリングの適用は、例えば、表４１乃至表４４のように示すことができる。表４１及び表４２は、最大ランク２の場合に関する例示であり、表４３は、最大ランク４の場合に関する例示であり、表４４は、最大ランク８の場合に関する例示である。
【０４７４】
【表４１】
0005995850.tif 000149
【０４７５】
【表４２】
0005995850.tif 000150
【０４７６】
【表４３】
0005995850.tif 000151
【０４７７】
【表４４】
0005995850.tif 000152
表４１の例示は、ＲＩに対するタイプ−５のビットを５ビットに固定し、Ｗ１はフルセットとして用い得るため、システム性能を向上させることができる。
【０４７８】
表４２の例示は、ＲＩに対するタイプ−５のビットとして４ビットを用いるため、表３６の例示に比べてよりロバストにＲＩを伝送することができる。一方、Ｗ１のフルセットを用いるのではなく、サブサンプリングされたＷ１を用いるので、システム性能の面では表４０の例示に比べて低い性能を示すことがある。一方、表４２、表４３及び表４４の例示によって構成される場合には、最大ランクにかかわらずに、ランク１及び２のＷ１、Ｗ２が同一セットで構成されるので、入れ子（ｎｅｓｔｅｄ）特性を有することができる。
【０４７９】
上述したＰＵＣＣＨモード−Ａとモード−Ｂとを対比すると、ＰＵＣＣＨモード−Ａに対するコードブックサブサンプリングにより、共通−位相特性（ｃｏ−ｐｈａｓｅ  ｐｒｏｐｅｒｔｙ）を維持しながらビーム単位（ｂｅａｍ  ｇｒａｎｕｌａｒｉｔｙ）を減らすことができる。一方、ＰＵＣＣＨモード−Ｂに対するコードブックサブサンプリングにより、ＰＵＣＣＨモード−Ａに比べてより精密なビーム単位が提供されるが、共通−位相特性は低くなる。
【０４８０】
次に、既存のＰＵＣＣＨ報告モード２−１の拡張に該当するＰＵＣＣＨ報告モード−Ｃについて説明する。
【０４８１】
ＰＵＣＣＨモード−Ｃに要求されるフィードバックオーバーヘッド（フィードバックビット数）は表４１のように表すことができる。
【０４８２】
【表４５】
0005995850.tif 000153
表４５で示すように、タイプ−６の報告において、ＰＴＩ＝１のランク２乃至４ではタイプ−８報告のために要求されるビットが１１ビットを超えるので、これに対してコードブックサブサンプリングを適用することができる。前述のＰＵＣＣＨモード−Ｂに用いられたコードブックサブサンプリングと類似の原理をタイプ−８のＷ２に適用することができる。また、表４５に示すように、ＰＵＣＣＨモード−ＣのＲＩフィードバック信頼性は、１ビットのＰＴＩ指示によって前述のＰＵＣＣＨモード−Ｂに比べて低くなる。また、Ｗ１報告の動作周期（ｄｕｔｙ  ｃｙｃｌｅ）はＲＩの動作周期に比べて長くなる。このような点を考慮して、報告されるタイプに対する報告タイミング及び優先順位を決定することができる。
【０４８３】
（フィードバック情報の優先順位）
上記のようにフィードバック情報の伝送タイミングに関する報告モードが定義される場合に、それぞれのモードで制御情報が衝突する場合に落としうる制御情報について以下に説明する。
【０４８４】
下りリンクチャネルに関するＣＱＩ／ＰＭＩ／ＲＩ情報を上りリンクチャネルを通じて報告することができる。各制御情報の伝送優先順位は、各制御情報の属性（報告周期、適用される帯域幅、他の制御情報の選択／計算のベースになるか等）によって決定すればいいので、以下では、各制御情報の属性についてまず説明する。
【０４８５】
ＲＩは、報告されうる最大レイヤーの個数によってＲＩビットが決定される。ＲＩは一般にＣＱＩ／ＰＭＩに比べて長−期間（ｌｏｎｇ−ｔｅｒｍ）で報告され、一つの搬送波観点でシステム帯域幅（ＷＢ）単位に適用可能である。
【０４８６】
ＰＭＩは、下りリンク伝送に適用されるプリコーディング行列の集合であるコードブックの指示子として伝送されうる。コードブックは単一インデックスで表現されてもよく、異なった２個のインデックス（すなわち、Ｉ１及びＩ２）で表現されてもよい。例えば、３ＧＰＰ  ＬＴＥリリース−８／９で２伝送アンテナまたは４伝送アンテナのために定義されたコードブックでは、単一インデックスでプリコーダ要素を決定することができる。拡張されたアンテナ構成を支援する３ＧＰＰ  ＬＴＥリリース−１０で新しく定義される８伝送アンテナ伝送のために定義されたコードブックでは、異なった２個の指示子（Ｉ１、Ｉ２）を用いてプリコーダ要素を決定することができる。Ｉ１及びＩ２を用いる場合に、各インデックスが報告される周期及び適用される周波数帯域幅を互いに異なるように定義することができる。Ｉ１は、例えば、コードブックの行インデックス（ｒｏｗ  ｉｎｄｅｘ）を表すものとも説明することができる。Ｉ１は、比較的長−期間の周期または短−期間（ｓｈｏｒｔ−ｔｅｒｍ）の周期で報告され、一つの搬送波の観点で定義されるシステム帯域幅（ＷＢ）に適用することができる。一方、Ｉ２は、例えば、コードブックの列インデックス（ｃｏｌｕｍｎ  ｉｎｄｅｘ）を表すものとも説明することができる。Ｉ２は、比較的短−期間の周期で報告され、一つの搬送波の観点で定義されるシステム帯域幅（ＷＢ）に適用されてもよく、サブ帯域（ＳＢ）単位に適用されてもよい。
【０４８７】
もし、伝送周期の観点でＩ１指示子がＩ２指示子よりも長−期間の周期で報告される場合に、Ｉ１指示子はＩ２指示子に比べて高い優先順位で報告されなければならない。言い換えると、Ｉ１及びＩ２報告が同じサブフレームで設定される場合に、Ｉ１を伝送し、Ｉ２を落とす（ｄｒｏｐ）ことができる。
【０４８８】
ＣＱＩ情報は、決定されたプリコーダに基づいて計算される値であり、Ｉ２指示子と一緒に報告されてもよい。
【０４８９】
以下では、上記表３８のＰＵＣＣＨ報告モードを取り上げてフィードバック情報の伝送優先順位について具体的に説明する。
【０４９０】
上記表３８のＭｏｄｅ  １−１−１−は、ＷＢに適用されるＲＩ及びＩ１が長−期間で報告され、ＷＢに適用されるＩ２及びＣＱＩが短−期間で報告されると定義することができる。そのため、上記表３８のＭｏｄｅ  １−１−１で、（ＲＩ＋Ｉ１）と（Ｉ２＋ＣＱＩ）の伝送タイミングが衝突する場合に、（Ｉ２＋ＣＱＩ）を落とすことができる。すなわち、長−期間で報告されるＲＩ及びＩ１は、短−期間で報告されるＩ２及びＣＱＩよりも高い優先順位で報告されるようにすることができる。
【０４９１】
上記表３８のＭｏｄｅ  １−１−２は、ＷＢに適用されるＲＩが長−期間で報告され、ＷＢに適用されるＩ１、Ｉ２及びＣＱＩが短−期間で報告されると定義することができる。上記表３８のＭｏｄｅ  １−１−２で、（ＲＩ）と（Ｉ１＋Ｉ２＋ＣＱＩ）の報告周期が衝突する場合に、（Ｉ１＋Ｉ２＋ＣＱＩ）を落とすことができる。すなわち、長−期間で報告されるＲＩは、短−期間で報告されるＩ１、Ｉ２及びＣＱＩ情報よりも高い優先順位で報告されるようにすることができる。
【０４９２】
上記表３８のＭｏｄｅ２−１では、ＲＩがＰＭＩ／ＣＱＩよりも高い優先順位を有するようにすることを考慮することができる。すなわち、上記表３８のＭｏｄｅ２−１（１）で、（ＲＩ＋ＰＴＩ）と（Ｉ１）または（Ｉ２＋ＣＱＩ）の報告周期が衝突する場合には、（Ｉ１）または（Ｉ２＋ＣＱＩ）を落とすことができる。また、上記表３８のＭｏｄｅ２−１（２）で、（ＲＩ＋ＰＴＩ）と（Ｉ２＋ＣＱＩ）＿ＷＢまたは（Ｉ２＋ＣＱＩ）＿ＳＢとが衝突する場合には、（Ｉ２＋ＣＱＩ）＿ＷＢまたは（Ｉ２＋ＣＱＩ）＿ＳＢを落とすことができる。
【０４９３】
また、上記表３８のＭｏｄｅ２−１では、ＰＴＩの指示（ｉｎｄｉｃａｔｉｏｎ）にしたがって、後続して報告される情報の属性を決定することができる。ＰＴＩが０を指示する場合（すなわち、Ｍｏｄｅ２−１（１））では、ＷＢに適用されるＩ１が報告され、ＷＢに適用されるＩ２及びＣＱＩが報告される。この時、Ｉ１はＩ２及びＣＱＩよりも長−期間で報告されてもよく、同じ周期で報告されてもよい。一方、ＰＴＩが１を指示する場合（すなわち、Ｍｏｄｅ２−１（２））では、ＷＢに適用されるＩ２及びＣＱＩが報告され、ＳＢに適用されるＩ２及びＣＱＩが報告される。この時、ＷＢに適用されるＩ２及びＣＱＩは、ＳＢに適用されるＩ２及びＣＱＩよりも長−期間で報告される。Ｍｏｄｅ２−１で、ＰＴＩはＲＩと一緒に報告され、長−期間で報告される。
【０４９４】
Ｍｏｄｅ２−１で、（ＲＩ、ＰＴＩ）、（Ｉ１）＿ＷＢ、（Ｉ２、ＣＱＩ）＿ＷＢ及び（Ｉ２、ＣＱＩ）＿ＳＢ伝送周期をみると、（Ｉ１）＿ＷＢは（ＲＩ、ＰＴＩ）よりも長−期間で報告されてもよい。したがって、Ｍｏｄｅ２−１のような場合では、（Ｉ１）＿ＷＢの情報は（ＲＩ、ＰＴＩ）＿ＷＢに比べて高い優先順位で報告されるようにすることが好ましい。すなわち、（Ｉ１）＿ＷＢと（ＲＩ、ＰＴＩ）＿ＷＢとが衝突する場合に、（ＲＩ、ＰＴＩ）＿ＷＢを落とすことができる。
【０４９５】
（実施例７）
本実施例７では、多重搬送波（または、キャリアアグリゲーション）が適用される場合において、多重制御情報が報告される時に適用されうる伝送優先順位を決定する方案について説明する。以下の説明において、多重搬送波またはキャリアアグリゲーションが適用されるという意味は、１個より多い搬送波（または、サービングセル）が設定（ｃｏｎｆｉｇｕｒｅ）されることを指す。すなわち、本実施例は、端末に複数個の搬送波（またはセル）が設定される場合に適用可能である。
【０４９６】
多重搬送波伝送において、下りリンクに設定される複数個の搬送波に関する制御情報を上りリンク搬送波を用いて端末から基地局に報告するとき、特定目的のために設定された一つの搬送波（例えば、ＵＬ  Ｐ−ｃｅｌｌ）を用いて制御情報を報告することができる。この場合、下りリンクのそれぞれの搬送波のための制御情報の伝送周期は、それぞれの搬送波別に独立して設定されうる。すなわち、肯定ＳＲ／ＨＡＲＱ−ＡＣＫ／ＣＱＩ／ＰＭＩ／ＲＩなどをそれぞれの搬送波別に独立的な伝送周期で上りリンク搬送波を用いて報告することができる。もし、一つの上りリンク搬送波により制御情報が搬送されるとすれば、異なる種類の制御情報が互いに衝突する場合があり、このような場合にいずれの制御情報に伝送優先順位を与えるかを決定する必要がある。以下では、下りリンク多重−搬送波伝送を效果的に支援するための本発明の制御情報伝送方案について説明する。
【０４９７】
第一の方案として、肯定ＳＲまたは下りリンク多重−搬送波のためのＨＡＲＱ−ＡＣＫ情報が報告されるタイミングと、ＣＱＩ／ＰＭＩ／ＲＩが報告されるタイミングとが一致する場合には、ＣＱＩ／ＰＭＩ／ＲＩを落とすことができる。
【０４９８】
第二の方案として、下りリンク個別搬送波のＣＱＩ／ＰＭＩ／ＲＩ情報は独立した伝送周期で報告されるように設定し、下りリンク搬送波の優先順位によってＣＱＩ／ＰＭＩ／ＲＩ報告の優先順位を決定することができる。例えば、搬送波−Ａが搬送波−Ｂに比べて、報告に対する優先順位が高いとすれば、搬送波−Ａに対するＣＱＩ／ＰＭＩ／ＲＩと搬送波−Ｂに対するＣＱＩ／ＰＭＩ／ＲＩとが衝突する場合には、搬送波−Ｂに対するＣＱＩ／ＰＭＩ／ＲＩを落とすことができる。
【０４９９】
第三の方案として、多重−搬送波伝送において下りリンク多重−搬送波のためのＣＱＩ／ＰＭＩ／ＲＩが報告される周期にＣＱＩ／ＰＭＩ／ＲＩが互いに衝突する場合に、いずれの情報が落ちるかを決定することができる。いずれの下りリンク搬送波に対するものかにかかわらず、フィードバック情報の属性に基づいて優先順位を与えることができる。ＣＱＩ／ＰＭＩは、最後に報告されたＲＩに基づいて計算及び選択されうる。プリコーダに対して多重インデックス（例えば、Ｉ１及びＩ２）を報告する場合に、それぞれのプリコーダは最後に報告されたＲＩに基づいて計算及び選択され、Ｉ２と共に伝送されるＣＱＩは、最後に報告されたＲＩ、最後に報告されたＩ１及び現在伝送されるＩ２に基づいて計算されうる。または、Ｉ１／Ｉ２と共に報告されるＣＱＩは、最後に報告されたＲＩ及び現在報告されるＩ１／Ｉ２に基づいて計算されうる。これを考慮して、より長−期間の周期で報告される制御情報に相対的に高い優先順位を付与できる。例えば、Ｉ１が最も高い優先順位を有し、ＲＩがその次の優先順位を有し、Ｉ２及びＣＱＩがその次の優先順位を有するように設定するこができる。低い優先順位の制御情報が高い優先順位の制御情報と同じタイミングに伝送されるように設定された場合に、低い優先順位の制御情報を落とし、高い優先順位の制御情報を伝送することができる。
【０５００】
多重搬送波が設定された場合にＰＵＣＣＨを用いた周期的ＣＳＩ報告の優先順位に関する上記の方案を整理すると、次の通りである。
【０５０１】
まず、端末に１個より多いサービングセル（ｍｏｒｅ  ｔｈａｎ  ｏｎｅ  ｓｅｒｖｉｎｇ  ｃｅｌｌ）が設定される場合に、端末は、任意のサブフレームで（ｉｎ  ａｎｙ  ｇｉｖｅｎ  ｓｕｂｆｒａｍｅ）ただ一つのサービングセルに対するチャネル状態情報（ＣＳＩ）を伝送することができる。
【０５０２】
任意のサブフレームでフィードバック情報の属性によって第１サービングセルのフィードバック情報が第２サービングセルのフィードバック情報よりも高い優先順位を有すると、より低い優先順位の第２サービングセルのフィードバック情報を落とすことができる。フィードバック情報の優先順位は、例えば、ＲＩまたは長−期間報告周期を有するＰＭＩ（または、広帯域ＰＭＩ（Ｗ１またはＩ１））を含むＣＳＩが、他のＣＳＩに比べて高い優先順位を有することができる。他のＣＳＩでは、長−期間報告周期を有する（または広帯域属性の）ＰＭＩ及び／またはＣＱＩが、短−期間報告周期を有する（またはサブ帯域属性の）ＰＭＩ及び／またはＣＱＩに比べて高い優先順位を有することができる。
【０５０３】
（実施例８）
本実施例８では、多重の制御情報が報告される時、ある制御情報が落ちる場合に関する報告方案について説明し、ＲＩまたはＩ１（ＰＭＩまたはＷ１）が落ちる場合に関する具体的な報告方案について説明する。
【０５０４】
本実施例８では、例示的に一つの搬送波の側面でＲＩまたはＩ１落ちの場合の報告方案について説明するが、これに制限されるものではない。例えば、本実施例８の内容は、本文書で説明する多重搬送波（または、１個より多いサービングセル）が設定される端末でフィードバック情報（例えば、ＣＳＩ）の衝突時に優先順位に基づいて所定のフィードバック情報が落ちる例示にも適用することができる。例えば、ＣＳＩ情報の属性に基づく優先順位、またはサービングセルに対する既に定義された優先順位によって落ちる情報がＲＩまたはＩ１（長−期間広帯域属性のＰＭＩまたはＷ１）である場合における具体的なＣＳＩ報告方案として、以下に説明する例示を適用することができる。
【０５０５】
以下では、ＣＱＩ／ＰＭＩ／ＲＩが上記表３８のＭｏｄｅ２−１（すなわち、Ｍｏｄｅ２−１（１）及びＭｏｄｅ２−１（２））によってＰＵＣＣＨを通じて周期的に報告される場合を仮定して、制御情報落ちが適用される場合の報告方案について説明する。
【０５０６】
図２７及び表４６を参照してＭｏｄｅ２−１での制御情報伝送方案について具体的に説明する。図２７は、Ｍｏｄｅ２−１の場合にＲＩ／ＰＭＩ／ＣＱＩが報告されるタイミングを示す例示である。表４６は、Ｍｏｄｅ２−１の場合にＲＩ／ＰＭＩ／ＣＱＩ報告のタイミング及び属性を説明するためのものである。
【０５０７】
【表４６】
0005995850.tif 000154
Ｉ１、Ｉ２及びＣＱＩは、報告されるＲＩの指示（ｉｎｄｉｃａｔｉｏｎ）にしたがって決定されうる。表４６のＣａｓｅ  １では、ランク−Ｎという情報が報告されると、これに基づいてランク−ＮのためのコードブックからＩ１が選択されて報告される。その後、選択されたＩ１に基づいてＩ２が選択され、ＣＱＩが計算されて報告される。その後、ランク値が変わってＲＩ値がランク−Ｍと報告されると、以降はランク−Ｍに基づいてＩ１、Ｉ２が選択されてＣＱＩが計算される。
【０５０８】
一方、表４６のＣａｓｅ  ２−１及びＣａｓｅ  ２−２は、ＲＩが落ちた場合の制御フィードバック情報属性を示すものである。表４６のＣａｓｅ  ２−１及び２−２は、ＲＩが落とされたとき、Ｉ１及びＩ２、ＣＱＩが参照するＲＩの情報を表す。Ｉ１、Ｉ２及びＣＱＩは、最も最近に報告されたＲＩのランク値に基づいて選択／計算されると定義すれば、ＲＩが落ちる状況でもＩ１、Ｉ２及びＣＱＩの選択／計算には問題がない。すなわち、Ｃａｓｅ  ２−１でランク−Ｍを表すＲＩが落ちる場合に、端末は最後に報告されたＲＩランク値（すなわち、Ｎ）に基づいてＩ１、Ｉ２及びＣＱＩを選択／計算すればいい。また、Ｃａｓｅ  ２−２のようにＰＴＩが０または１に設定されても、最後に報告されたランク値に基づいてＩ１、Ｉ２及びＣＱＩを選択／計算することができる。ここで、ＰＴＩ  １の場合のＲＩは、ＰＴＩ  ０の場合のＲＩで報告されたランク情報と同じランク情報を報告することが好ましい。
【０５０９】
一方、Ｉ１が落ちる場合を考慮することができる。Ｉ１情報はＩ２の選択とＣＱＩ計算のための情報として用いられる。ランク情報が変わる瞬間にＩ１が落ちると、Ｉ２選択とＣＱＩ計算に混乱が起こる。例えば、表４６のＣａｓｅ  ３−１及びＣａｓｅ  ３−２のように、ランク情報がＮからＭに変わる状況でランク−ＭベースのＩ１が落ちると、以降、選択／計算されるべきＩ２、ＣＱＩ情報においてはランク−ＭベースのＩ１情報がないため、選択／計算に問題が発生する。したがって、Ｉ１が落ちる場合に対するＩ１選択及びＣＱＩ計算における不明瞭性を解消することが要求される。
【０５１０】
以下では、Ｉ１が落ちる場合のＩ２及びＣＱＩの選択／計算に対する本発明の例示について説明する。
【０５１１】
（実施例８−Ａ）
Ｉ２／ＣＱＩ計算がランクＭに基づいて行われるべき場合に、以前に報告されたランクＭに対するＩ１のうち、最も最近に報告されたＩ１（ｆｏｒ  ｒａｎｋ−Ｍ）に基づいてＩ２及びＣＱＩを計算することができる。または、Ｉ２／ＣＱＩ計算がランクＭに基づいて行われるべき場合に、ランク−ＭベースのＩ１をあらかじめ−定義（ｐｒｅ−ｄｅｆｉｎｅ）して用いてもよい。言い換えると、最も最近に報告されたＩ１（第１ＰＭＩ）が最も最近に報告されたＲＩと異なるＲＩを仮定して計算された場合や、または、最も最近に報告されたＩ１がない（または落ちた）場合には、Ｉ２（第２ＰＭＩ）またはＣＱＩは、あらかじめ定義されたＩ１（第１ＰＭＩ）に基づいて選択／計算すればいい。例えば、あらかじめ定義されたＩ１（第１ＰＭＩ）は、最も最近に報告されたＲＩを条件とするコードブックサブセット制限（ｃｏｄｅｂｏｏｋ  Ｓｕｂｓｅｔ  Ｒｅｓｔｒｉｃｔｉｏｎ）のビットマップパラメータで許容される最小のインデックスを持つＩ１（第１ＰＭＩ）と定義することができる。これにより、以前に報告されたランクＭに対するＩ１がない場合にもランク−Ｍに対するＩ２及びＣＱＩを選択／計算することができる。これを表４７のように整理することができる。
【０５１２】
【表４７】
0005995850.tif 000155
（実施例８−Ｂ）
ランクがＮからＭに変更されるとき、ランク−Ｍに対するＩ１が落ちる場合には、最も最近に報告されたＩ１のランクの情報をオーバーライド（ｏｖｅｒｒｉｄｅ）することができる。
【０５１３】
例えば、ランク−Ｍを指示するＲＩが伝送され、ランク−Ｍに対するＩ１報告が落ち、且つ後続してランク−Ｍに基づくＩ２／ＣＱＩが選択／計算されなければならない場合に、最も最近に報告されたＩ１がランク−Ｎに基づいて選択された指示子である場合を仮定することができる。この場合には、最も最近に報告されたＲＩに基づくランク情報（すなわち、ランク−Ｍ）を無視し、最も最近に報告されたＩ１及び該Ｉ１のランク値（ランク−Ｎ）に基づいてＩ２／ＣＱＩを計算することができる。また、次のＲＩ（依然としてランク−Ｍを表す）伝送周期で報告されるＰＴＩ指示によってＷＢ  Ｉ２、ＣＱＩとＳＢ  Ｉ２／ＣＱＩが報告されなければならない場合にも、ランク−Ｍに基づいて選択されたＩ１が落ちた状態であるから、この場合にも、最も最近に報告されたＩ１及びそのＩ１のランクに基づいてＩ２／ＣＱＩを計算すればいい。これを整理すると、表４８のようになる。
【０５１４】
【表４８】
0005995850.tif 000156
（実施例８−Ｃ）
Ｉ１が落ちる場合には、その次のＲＩ報告周期にはＰＴＩ＝０を指示してＩ１が報告されるようにすることができる。これを整理すると、表４９のようになる。
【０５１５】
【表４９】
0005995850.tif 000157
（実施例８−Ｄ）
Ｉ１が落ちる場合に、Ｉ１の報告をずらしてＩ１を報告するようにすることができる。例えば、Ｉ１の報告タイミングに続くＮ番目のサブフレームでＩ１を報告するようにすることができる。
【０５１６】
例えば、Ｎ番目のサブフレームは、元のＩ１報告タイミング以後のＣＱＩ報告タイミングのうち一つになるようにＮ値が設定されうる。ＣＱＩが報告されることに約束された周期のうち任意のタイミングで、そもそも伝送されるべき制御情報に代えて、落ちたＩ１が報告されてもよい。例えば、図２８（ａ）に示すように、Ｉ１が報告された後にＩ２／ＣＱＩが報告されることになっていたとすれば、Ｉ２／ＣＱＩを報告する代わりにＩ１を報告することができる。または、Ｉ１が落ちた直後のＣＱＩ報告タイミングで、落ちたＩ１が報告されてもよい。または、図２８（ｂ）に示すように、元のＩ１報告タイミングの直後のサブフレームで、落ちたＩ１が報告されるようにＮ値が設定されてもよい。これを整理すると、表５０のようになる。
【０５１７】
【表５０】
0005995850.tif 000158
（実施例９）
本実施例９では、多重の制御情報が報告される場合における制御情報伝送の優先順位について説明し、且つ多重−搬送波伝送の場合における制御情報伝送の優先順位の具体的な設定方案について説明する。以下の説明において、多重搬送波またはキャリアアグリゲーションが適用されるという意味は、１個より多い搬送波（またはサービングセル）が設定（ｃｏｎｆｉｇｕｒｅ）されることを指す。すなわち、本実施例は、端末に複数個の搬送波（またはセル）が設定される場合に適用可能である。
【０５１８】
３ＧＰＰ  ＬＴＥシステムにおいて下りリンクチャネルを測定して上りリンクチャネルを用いて報告するとき、下りリンクチャネルに関する情報としてＲＩ／ＰＭＩ／ＣＱＩなどを報告することができる。ここで、ＰＵＣＣＨを用いて下りリンクチャネル情報を報告する場合に、ＣＱＩ／ＰＭＩが適用される周波数単位（ｆｒｅｑｕｅｎｃｙ  ｇｒａｎｕｌａｒｉｔｙ）によって大きく２つのモードを用いることができる。ＷＢに適用されるＣＱＩ／ＰＭＩを報告するモードはＰＵＣＣＨ報告モード１−１系列と呼び、ＷＢ  ＣＱＩ／ＰＭＩと一緒にＳＢ  ＣＱＩを報告するモードをＰＵＣＣＨ報告モード２−１系列と呼ぶことができる。ＰＵＣＣＨは、一度に送りうるチャネル容量に制約があるから、ランク、ＷＢ  ＣＱＩ／ＰＭＩ、ＳＢ  ＣＱＩは互いに異なったタイミングに報告されると定義すればよい。図２９では、各チャネル情報が報告されるタイミングの一例を示す。各チャネル情報が報告される周期を比較すると、ＲＩは相対的に長−期間周期で報告され、ＳＢ  ＣＱＩ／ＰＭＩ、ＳＢ  ＣＱＩは相対的に短−期間で報告される。
【０５１９】
多重−搬送波（キャリアアグリゲーション）伝送が適用されることを考慮すると、下りリンクの各搬送波の情報を測定して報告しなければならない。下りリンクチャネル情報は一つの上りリンク搬送波（例えば、ＵＬ  Ｐ−ｃｅｌｌ）を用いて報告でき、下りリンクの各搬送波に関する情報を報告するタイミングは、ＤＬ搬送波別に独立した伝送周期を有するように設定することができる。このような場合、一つの上りリンクの搬送波で報告しなければならないＤＬ搬送波に関する情報の報告タイミングが重なる（すなわち、異なったＤＬ搬送波に関する情報が同じ時間に報告される）場合がある。
【０５２０】
これを解決するために、各ＣＳＩ（ＲＩ／ＰＭＩ／ＣＱＩ）に優先順位を定め、優先順位の高い情報を伝送し、低い優先順位を有するチャネル情報は落とすことができる。図２９に示すように、ランク情報は比較的長−期間周期で報告され、ＣＱＩ／ＰＭＩ情報は比較的短−期間情報で報告されるから、相対的に長−期間周期で報告される情報に伝送優先順位を与えて、最新のチャネル情報が報告されるようにすることができる。
【０５２１】
３ＧＰＰ  ＬＴＥ−Ａシステムでは、８伝送アンテナ伝送に関するプリコーディング情報を表すために２個のインデックス（Ｉ１及びＩ２（またはＰＭＩ１（Ｗ１）及びＰＭＩ２（Ｗ２））を用いるコードブックを定義している。プリコーダ要素に関する情報を明確に決定するためには、２個のインデックスが全て報告されなければならない。Ｉ１は比較的長−期間／ＷＢの情報として報告され、Ｉ２は比較的短−期間／ＳＢ情報として報告されうる。既存の３ＧＰＰ  ＬＴＥリリース−８／９システムでのＣＳＩ報告と比較して、２個のコードブック指示子をどのような方式で報告するかを追加的に定義する必要がある。これについて、ＲＩ、Ｉ１、Ｉ２及びＣＱＩ情報を報告するために、下記のような、上記表３８のＭｏｄｅ２−１（１）及びＭｏｄｅ２−１（２）と同一のＰＵＣＣＨ報告モードを適用することができる。
【０５２２】
上記表３８のＭｏｄｅ２−１で説明した通り、ＰＴＩによって、次に報告される情報の属性が決定される。すなわち、ＲＩと共に伝送されるＰＴＩが０に設定されると、Ｗ１が伝送され、その後にＷＢ  Ｗ２とＣＱＩが伝送される。この時、Ｗ２とＣＱＩは先に報告されたＷ１に基づいて選択／計算される。ＰＴＩが１に設定されると、ＷＢ  Ｗ２／ＣＱＩが伝送され、その後にＳＢ  Ｗ２／ＣＱＩが伝送される。図３０は、Ｍｏｄｅ２−１によって、ＰＴＩ＝０の時、及びＰＴＩ＝１の時におけるのＣＳＩ報告タイミングを示す図である。
【０５２３】
ＣＳＩの報告周期を見ると、図３０に示すように、Ｗ１が相対的に少なく頻繁で報告され、ＲＩ＋ＰＴＩはＷ１に比べて比較的頻繁に報告される。そして、ＷＢ  Ｗ２／ＣＱＩとＳＢ  Ｗ２／ＣＱＩは頻繁に報告される。したがって、前述したように、多重−搬送波伝送において特定タイミングで伝送されるＣＳＩ情報を選択しなければならないとき、それぞれのＣＳＩ情報の伝送優先順位は、Ｗ１＞ＲＩ＋ＰＴＩ＞Ｗ２＝ＣＱＩと定義することができる。
【０５２４】
一方、上記表３８のＭｏｄｅ  １−１−１及びＭｏｄｅ  １−１−２のようなＰＵＣＣＨ報告モードを適用してもよい。このようなＰＵＣＣＨ報告モードでは、報告周期に基づいて各ＣＳＩのそれぞれのＣＳＩ情報の伝送優先順位を決定することができる。すなわち、上記表３８のＭｏｄｅ  １−１−１では（ＲＩ＋Ｉ１）＿ＷＢ＞（Ｉ２＋ＣＱＩ）＿ＷＢの優先順位が定義され、上記表３８のＭｏｄｅ  １−１−２では（ＲＩ）＿ＷＢ＞（Ｉ１＋Ｉ２＋ＣＱＩ）＿ＷＢの優先順位が定義される。
【０５２５】
ここで、多重−搬送波伝送が適用される場合には、第１ＤＬ搬送波に対する（ＲＩ＋Ｉ１）＿ＷＢと第２搬送波に対する（ＲＩ）＿ＷＢ伝送とが衝突することがある。Ｉ１は、場合によってはＲＩよりも相対的に長−期間の周期で報告される点を考慮すると、Ｉ１の落ちによる影響がより大きいこともあるから、Ｉ１の優先順位を高く設定することができる。すなわち、（ＲＩ＋Ｉ１）＞（ＲＩ）の優先順位を有するように設定することができる。
【０５２６】
上記表３８のような３つのフィードバックモード（Ｍｏｄｅ  １−１−１、Ｍｏｄｅ  １−１−２及びＭｏｄｅ  ２−１）を総合的に考慮すると、Ｉ１）＿ＷＢが最も高い優先順位を有するように設定すればよい。
【０５２７】
多重搬送波が設定された場合にＰＵＣＣＨを用いた周期的ＣＳＩ報告の優先順位に関する上記の方案を整理すると、下記の通りである。
【０５２８】
まず、端末に１個より多いサービングセル（ｍｏｒｅ  ｔｈａｎ  ｏｎｅ  ｓｅｒｖｉｎｇ  ｃｅｌｌ）が設定される場合に、端末は任意のサブフレームで（ｉｎ  ａｎｙ  ｇｉｖｅｎ  ｓｕｂｆｒａｍｅ）ただ一つのサービングセルに関するチャネル状態情報（ＣＳＩ）を伝送することができる。
【０５２９】
任意のサブフレームでフィードバック情報の属性によって第１サービングセルのフィードバック情報が第２サービングセルのフィードバック情報よりも高い優先順位を有すると、第２サービングセルのフィードバック情報をより低い優先順位により落とすことができる。フィードバック情報の優先順位は、例えば、ＲＩ、（ＲＩ＋Ｉ１）＿ＷＢ、（ＲＩ＋ＰＴＩ）またはＩ１＿ＷＢが、他のＣＳＩに比べて高い優先順位を有することができる。
【０５３０】
（実施例１０）
本実施例１０では、多重の制御情報が報告される場合における制御情報伝送の優先順位について説明し、ＲＩ及びＰＴＩが落ちる場合に対するフィードバック方案について、以下の実施例１０−Ａ及び１０−Ｂを用いて説明する。
【０５３１】
（実施例１０−Ａ）
上記表３８のＭｏｄｅ  ２−１のようなＰＵＣＣＨ報告モードが適用される場合に、ＲＩ＋ＰＴＩは種々の理由で落とすことがある。この場合には、最も最近に報告されたＲＩ＋ＰＴＩの指示にしたがって次に報告される情報を決定することができる。
【０５３２】
例えば、ＲＩ＋ＰＴＩ（＝０）が報告されると、続いて（Ｗ１）＿ＷＢが報告され、（Ｗ２＋ＣＱＩ）＿ＷＢが報告されるように設定される。この場合に、ＲＩ＋ＰＴＩ（＝０）が落ちると、続いて報告される情報は、最後に報告されたＰＴＩの値によって決定されうる。図３１では、ＲＩ＋ＰＴＩ（＝０）が落ちる場合に、最後に報告されたＰＴＩが１を指示するので、これによって（Ｗ２＋ＣＱＩ）＿ＷＢが報告され、（Ｗ２＋ＣＱＩ）＿ＳＢが報告される例示を示す。
【０５３３】
（実施例１０−Ｂ）
上記表３８のＭｏｄｅ  ２−１のようなＰＵＣＣＨ報告モードが適用される場合に、ＲＩ＋ＰＴＩが落ちると、最も最近に報告されたＲＩが指示するランク値にしたがって、後続して報告される情報を計算／選択することができる。
【０５３４】
例えば、ＲＩ（＝Ｍ）＋ＰＴＩが報告されると、後続して伝送されるＷ１、Ｗ２、ＣＱＩはランク−Ｍに基づいて選択／計算されて報告されなければならない。この場合に、ＲＩ（＝Ｍ）＋ＰＴＩが落ちると、後続して報告される情報は、最後に報告されたＲＩのランク値に基づいて選択／計算されうる。図３２では、ＲＩ（＝Ｍ）＋ＰＴＩが落ちる場合に、Ｗ１＿ＷＢがランク−Ｍではなく最後に報告されたＲＩ（＝Ｎ）によってランク−Ｎに基づいて選択及び報告されることを示している。この場合に、後続するＷ１／ＣＱＩは、ランク−Ｎ及びランク−Ｎに基づくＷ１に基づいて選択／計算される。もし、ＰＴＩの指示タイミングが決定されていると、ＰＴＩの指示は、決定されたタイミングによって報告されればよい。
【０５３５】
（実施例１１）
本実施例１１では、ＰＵＣＣＨ報告モードに適用可能なコードブックサブサンプリング方案、及びＭＵ−ＭＩＭＯ場合とＰＵＳＣＨ報告モードの定義について説明する。
【０５３６】
（実施例１１−Ａ）
拡張されたアンテナ構成を支援するシステム（例えば、３ＧＰＰ  ＬＴＥリリース−１０システム）において、既存のＰＵＣＣＨ報告モードの拡張として、上記の表３８のような３つのＰＵＣＣＨ報告モード（Ｍｏｄｅ  １−１−１、Ｍｏｄｅ  １−１−２、Ｍｏｄｅ  ２−１）（または、モード−Ａ、モード−Ｂ、モード−Ｃ）を適用することができる。
【０５３７】
Ｍｏｄｅ  １−１−１は、ジョイントコーディングされたＲＩ及びＩ１を報告し、広帯域ＣＱＩ及び広帯域Ｉ２を報告するモードである。Ｍｏｄｅ  １−１−２は、（ＲＩ）＿ＷＢ、（Ｉ１＋Ｉ２＋ＣＱＩ）＿ＷＢを伝送するモードである。Ｍｏｄｅ２−１は、ＰＴＩによって異なるフィードバック情報を伝送することができる。ＰＴＩ＝０の場合には（ＲＩ＋ＰＴＩ（０））、（Ｉ１）＿ＷＢ、（Ｉ２＋ＣＱＩ）＿ＷＢを伝送することができる。ＰＴＩ＝１の場合には、（ＲＩ＋ＰＴＩ（１））、（Ｉ２＋ＣＱＩ）＿ＷＢ、（Ｉ２＋ＣＱＩ）＿ＳＢを伝送することができる。一方、本明細書で、２個のプリコーダインデックスＩ１及びＩ２はそれぞれＷ１及びＷ２と表現されてもよい。
【０５３８】
以下では、それぞれのＰＵＣＣＨ報告モードに対してコードブックサブサンプリングを適用して報告帯域幅最適化を達成しながら、ＰＵＣＣＨフィードバックカバレッジ（ｃｏｖｅｒａｇｅ）を既存の３ＧＰＰ  ＬＴＥリリース−８／９と同一に維持する方案について説明する。
【０５３９】
ＰＵＣＣＨ報告モード１−１−１及び１−１−２に要求されるシグナリングオーバーヘッドは、上記の表３９と同一である（表３９で、Ｍｏｄｅ−ＡはＰＵＣＣＨ報告モード１−１−１に該当し、Ｍｏｄｅ−ＢはＰＵＣＣＨ報告モード１−１−２に該当する）。
【０５４０】
上記の表３９からわかるように、ＰＵＣＣＨ報告モード１−１−１でタイプ−５（ジョイントコーディングされたＲＩ及びＷ１）報告のために６ビットが要求される。ＲＩがＷ１とジョイントコーディングされながらＲＩ及びＷ１のために６ビットが割り当てられるため、ＲＩ伝送のカバレッジが既存の３ＧＰＰ  ＬＴＥリリース−８システムに比べて著しく低くなり、ＲＩ検出の失敗または性能の低下につながることがある。したがって、ＲＩのカバレッジを増加させるためにＷ１をサブサンプリングすることを考慮することができる。一方、Ｍｏｄｅ  １−１−１で、タイプ−２ａ（Ｗ２及びＣＱＩ）報告はタイプ−５報告に比べてより頻繁に更新されるため、タイプ−２ａ（Ｗ２及びＣＱＩ）を必ず保護する必要はないといえる。したがって、報告される帯域幅が１ビットサイズを超えない限り、Ｗ２に対するサブサンプリングは不要である。
【０５４１】
ＰＵＣＣＨ報告モード１−１−２では、ＲＩが他のＣＳＩ情報とジョイントコーディングされないため、ＲＩカバレッジが既存の３ＧＰＰ  ＬＴＥリリース−８システムと同一に維持されうる。しかし、上記の表３９に示すように、ランク１、２、３、４ではタイプ−２ｂ（Ｗ１＋Ｗ２＋ＣＱＩ）報告に対して１１ビットを超えるシグナリングオーバーヘッドが要求される。したがって、３ＧＰＰ  ＬＴＥリリース−８のＰＵＣＣＨフォーマット２を再使用するためにはコードブックサブサンプリングが必要となる。
【０５４２】
まず、ＰＵＣＣＨ報告モード１−１−１に適用可能なサブサンプリング方案について説明する。
【０５４３】
Ｗ１候補は、伝送ランクによって異なった個数にすることができる。すなわち、上記の表１１乃至表１８のように、Ｗ１の候補の個数を、ランク１乃至８に対してそれぞれ１６個、１６個、４個、４個、４個、４個、４個、１個にすることができる。ＲＩ及びＷ１がジョイントコーディングされて報告される場合に、要求されるシグナリングオーバーヘッドは６（＝ｃｅｉｌｉｎｇ（ｌｏｇ２（５３）））ビットである。ＲＩカバレッジを拡張するために、Ｗ１のサブサンプリングを用いてシグナリングオーバーヘッドを５または４ビットに減らすことを考慮することができる。Ｗ１のサブサンプリングの例示は、下の表５１のようである。
【０５４４】
【表５１】
0005995850.tif 000159
二重−段階（ｄｕａｌ−ｓｔａｇｅ）コードブック構造ではビームグループ間に重なる（ｏｖｅｒｌａｐｐｅｄ）ビームが存在するので、表５１のＡｌｔ−１方案のように、コードブックから奇数番のＷ１のみを除外する方式でＷ１に対してサブサンプリングを適用しても、コードブックの全てのビームを維持することができる。しかし、全体コードブックを構成するためのＷ１及びＷ２が異なったサブフレームで伝送されるため、サブサンプリングの適用されない全体コードブックを用いる場合に比べて性能低下が発生することはある。一方、上記の表５１のＡｌｔ−２方案のように、より多いビームを除外するサブサンプリングが適用される場合には、コードブックの全てのビームを維持する上記Ａｌｔ−１方案と違い、コードブックにおいていくつかのビームが用いられないことがあり、性能低下が発生する。
【０５４５】
表５２は、８×２  ＳＵ−ＭＩＭＯ方式の伝送において、コードブックサブサンプリングの適用によるＰＵＣＣＨ報告モード１−１−１のシステムレベル性能を示すものである。表５２では、ランク−１及び２に対してＷ１及びＷ２のビットとして４＋４を用いる場合を基準に、Ａｌｔ−１及びＡｌｔ−２方案が適用されるとき、交差−極性（ｃｒｏｓｓ−ｐｏｌａｒｉｚｅｄ）及び共通−極性（ｃｏ−ｐｏｌａｒｉｚｅｄ）アンテナ構成の場合における平均スペクトル効率（Ｓｐｅｃｔｒａｌ  Ｅｆｆｉｃｉｅｎｃｙ；ＳＥ）及びセル−境界（ｃｅｌｌ−ｅｄｇｅ）ＳＥを表す。表５２のＡｌｔ−１方案では平均ＳＥ及びセル−境界ＳＥの両方でわずかな（ｍａｒｇｉｎａｌ）性能低下が発生するが、Ａｌｔ−２方案ではセル−境界ＳＥで相対的に大きい性能低下が発生する。
【０５４６】
【表５２】
0005995850.tif 000160
表５２からわかるように、５ビットにサブサンプリングされたコードブックはシステム性能を維持するが、４ビットにサブサンプリングされたコードブックは、最大７％だけシステム性能を減少させる。したがって、Ａｌｔ−１方案は、Ａｌｔ−２方案に比べて、ＲＩカバレッジは相対的に小さくなるが、システム性能の観点でより好ましい。
【０５４７】
次に、ＰＵＣＣＨ報告モード１−１−２に適用可能なサブサンプリング方案について説明する。
【０５４８】
ＰＵＣＣＨ報告モード１−１−２のＷ１＋Ｗ２＋ＣＱＩ報告において、Ｗ１及びＷ２は同一サブフレームで報告される。したがって、報告帯域幅を１１ビット以下に維持するためにサブサンプリングを適用することができる。前述したように、Ｗ１に対して１ビットだけ減らすサブサンプリングが適用される場合（例えば、１６個のインデックスから８個のインデックスサブセットを選択する場合）にはコードブックの全てのビームを維持できるので、システム性能の低下が最小化する。しかし、１ビットよりも多いＷ１をサブサンプリングする場合には、コードブックから特定方向のビームグループが除外されるため、システム性能の低下が大きく発生する。したがって、ランク１乃至４に対して、Ｗ１から１ビットだけをサブサンプリングし、Ｗ２からより多いビットを除外するようにサブサンプリングすることが好ましい。以下の表５３は、ＰＵＣＣＨ報告モード１−１−２に適用されうるサブサンプリング方案の例示である。
【０５４９】
【表５３】
0005995850.tif 000161
表５３で、Ａｌｔ−１及びＡｌｔ−２方案の両方とも、全てのビームグループを失わないように、ランク１乃至４に対してＷ１に１ビットのみ減少される。これにより、Ｗ２は、要求される帯域幅によってサブサンプリングされる。
【０５５０】
表５４は、８×２  ＳＵ−ＭＩＭＯ方式の伝送において、表４２のＡｌｔ−１及びＡｌｔ−２方案が適用される場合にＰＵＣＣＨ報告モード１−１−２のシステムレベル性能を表すものである。表５４では、ランク−１及び２に対してＷ１及びＷ２のビットとして４＋４を用いる場合を基準に、Ａｌｔ−１及びＡｌｔ−２方案が適用される時に、交差−極性（ｃｒｏｓｓ−ｐｏｌａｒｉｚｅｄ）及び共通−極性（ｃｏ−ｐｏｌａｒｉｚｅｄ）アンテナ構成の場合に対する平均スペクトル効率（Ｓｐｅｃｔｒａｌ  Ｅｆｆｉｃｉｅｎｃｙ；ＳＥ）及びセル−境界（ｃｅｌｌ−ｅｄｇｅ）ＳＥを表す。
【０５５１】
【表５４】
0005995850.tif 000162
表５４に示すように、８伝送アンテナでのいくつかのビームステアリング（ｓｔｅｅｒｉｎｇ）ベクトルがＷ２サブサンプリングから除外されるため、交差−極性アンテナ構成に比べて共通−極性アンテナ構成で性能低下が相対的に大きく現れる。一方、交差−極性アンテナ構成に対してはわずかな（ｍａｒｇｉｎａｌ）性能低下が現れる。
【０５５２】
そのため、３ビットにサブサンプリングされたＷ１が用いられる場合に、サブサンプリングされたコードブックを用いることによって発生する性能低下は受け入れ可能なものと見なされる。したがって、ＰＵＣＣＨ報告モード１−１−２に対してＡｌｔ−１方案を適用することが好ましい。
【０５５３】
次に、ＰＵＣＣＨ報告モード２−１に適用可能なサブサンプリング方案について説明する。
【０５５４】
ＰＵＣＣＨ報告モード２−１では、４個の異なった報告タイプ（（ＲＩ＋ＰＴＩ）、（Ｗ１）＿ＷＢ、（Ｗ２＋ＣＱＩ）＿ＷＢ、（Ｗ２＋ＣＱＩ）＿ＳＢ）をフィードバックすることができる。報告タイプはＰＴＩ選択によって異なってくることがある。上記の表４５では、ＰＵＣＣＨモード２−１（表４１ではＭｏｄｅ−Ｃと表現する）の場合にそれぞれの報告タイプに要求されるシグナリングオーバーヘッドについて示す。表４５では、ＰＴＩ＝１での（Ｗ２＋ＣＱＩ）＿ＳＢ報告の場合に、端末が選択したサブ帯域に関するＬビット指示子を含むと仮定する。
【０５５５】
表４５に表すように、ＰＴＩとして１が指示される場合のランク２、３及び４の場合には、（Ｗ２＋ＣＱＩ）＿ＳＢ及びＳＢに対するＬビット指示子を報告するために要求されるオーバーヘッドが１１ビットを超えることになる。これに関するシグナリングオーバーヘッドを減少させないと、３ＧＰＰ  ＬＴＥリリース−８のＰＵＣＣＨフォーマット２を再使用することができない。そこで、シグナリングオーバーヘッド減少のために、次のような２つの方案を考慮できる。第一の方案（ｏｐｔｉｏｎ  １）は、Ｌ−ビットの選択された帯域指示子を使用せずに、あらかじめ約束されたＳＢ循環（ｃｙｃｌｉｎｇ）を新しく定義することである。第二の方案（ｏｐｔｉｏｎ  ２）は、Ｗ２をサブサンプリングすることによってＬ−ビットの選択された帯域指示子を再使用することである。
【０５５６】
方案１では、ＳＢ  ＣＱＩ及びＳＢ  Ｗ２をＰＵＣＣＨフォーマット２を用いて報告することができる。しかし、方案１によると、それぞれのサブバンドでのＣＱＩ報告周期を増加させることがあるので、あらかじめ定義されたＳＢ循環を用いることから、時間−選択的（ｔｉｍｅ−ｓｅｌｅｃｔｉｖｅ）チャネルにおいてより敏感に性能低下が生じうる。また、帯域幅部分（ＢＰ）報告区間（ｄｕｒａｔｉｏｎ）の循環の間においてＷＢ  ＣＱＩ及びＷＢ  Ｗ２が報告されなければならず、これにより、それぞれのサブバンドでのＣＱＩ報告周期をより増加させることがあり、より大きい性能低下が生じうる。
【０５５７】
方案２では、ＳＢ  ＣＱＩ及びＳＢ  Ｗ２がＬ−ビットの選択された帯域指示子と共に報告されるので、ランク２、３及び４では、報告のために要求されるビットの個数が１１を超えることになり、よって、Ｗ２サブサンプリングを適用することができる。Ｗ２サブサンプリングの一例を下の表４６に示す。
【０５５８】
【表５５】
0005995850.tif 000163
表５６は、８×２  ＳＵ−ＭＩＭＯ方式の伝送において、前述した２個の方案（ｏｐｔｉｏｎ  １及びｏｐｔｉｏｎ  ２）が適用される場合にＰＵＣＣＨ報告モード２−１のシステムレベル性能を表すものである。表５６では、２個の方案が適用されるとき、交差−極性（ｃｒｏｓｓ−ｐｏｌａｒｉｚｅｄ）及び共通−極性（ｃｏ−ｐｏｌａｒｉｚｅｄ）アンテナ構成の場合に対する平均スペクトル効率（Ｓｐｅｃｔｒａｌ  Ｅｆｆｉｃｉｅｎｃｙ；ＳＥ）及びセル−境界（ｃｅｌｌ−ｅｄｇｅ）ＳＥを表す。システム性能の測定のために、ＳＢ  ＣＱＩ及びＳＢ  Ｗ２が５ｍｓ報告周期で報告され、ＷＢ  Ｗ１は、４５ｍｓごとに更新されると仮定する。また、方案２に対しては２ビットにサブサンプリングされたＷ２が用いられると仮定する。
【０５５９】
【表５６】
0005995850.tif 000164
表５６のように、方案１は方案２に比べて平均ＳＥにおいて３乃至４％のシステム性能低下を示す。これは、方案１におけるＷＢ  ＣＱＩ／ＷＢ  Ｗ２報告動作周期が方案２における報告周期に比べてより長くなるためである。例えば、システム帯域幅が５ＭＨｚの場合にあらかじめ定義されたＳＢ循環が適用される場合の報告区間を示す図３３と同様に、方案１では、全てのサブ帯域に対するＣＳＩを報告するから、方案１におけるＷＢ  ＣＱＩ／ＷＢ  Ｗ２報告周期が方案２の周期に比べて長くなる。
【０５６０】
前述したように、方案２が方案１に比べて高い性能を示すので、端末が選択した帯域に対するＬ−ビット指示子を含み、Ｗ２サブサンプリングを適用する方が性能の観点でより好ましい。また、端末の帯域選択機能は既存のシステム（３ＧＰＰ  ＬＴＥリリース−８システム）で用いられたものであるため、方案２の具現の複雑性も減少する。
【０５６１】
したがって、ＰＵＣＣＨモードのそれぞれに適用される、本発明で提案するコードブックサブサンプリング方案によると、既存のＰＵＣＣＨフォーマット２を再使用しながらシステム性能の減少を最小化することができる。
【０５６２】
一方、以下の表５７は、上記の表５２、表５４及び表５６のシステム性能のシミュレーションに適用されたパラメータを示すものである。また、表５８、表５９及び表６０はそれぞれＰＵＣＣＨフォーマット１−１−１、１−１−２及び２−１のシステム性能のシミュレーションに適用されたパラメータを示すものである。
【０５６３】
【表５７】
0005995850.tif 000165
【０５６４】
【表５８】
0005995850.tif 000166
【０５６５】
【表５９】
0005995850.tif 000167
【０５６６】
【表６０】
0005995850.tif 000168
（実施例１１−Ｂ）
ＭＵ−ＭＩＭＯ伝送においては、送信端で送信するレイヤーの個数と受信端で受信するレイヤーの個数とに相違がある。また、受信端ではＳＵ−ＭＩＭＯと仮定してＣＳＩを報告するので、受信端が報告するチャネル情報が実際チャネル情報と整合しない（ｍｉｓｍａｔｃｈ）こともある。例えば、既存のＰＵＳＣＨ報告モード３−１を用いる場合にＭＵ−ＭＩＭＯでのチャネル状態情報を正確にフィードバックすることができず、ＣＱＩ報告を改善するための方案が要求される。
【０５６７】
これを解決するために、既存のＰＵＳＣＨ報告モード３−１において追加的にＭＵ−ＭＩＭＯに関するＣＱＩを報告するようにする方案を考慮することができる。これにより、ＳＵ−ＭＩＭＯモードとＭＵ−ＭＩＭＯモード間の柔軟な（ｆｌｅｘｉｂｌｅ）スケジューリングを許容し、システム性能を最適化することができる。しかし、ＳＵ−ＭＩＭＯモードとＭＵ−ＭＩＭＯモード間の動的スイッチング（ｄｙｎａｍｉｃ  ｓｗｉｔｃｈｉｎｇ）を支援するために、ＭＵ−ＭＩＭＯ  ＣＱＩはＳＵ−ＭＩＭＯ  ＣＱＩに付加してフィードバックされなければならず、ＭＵ−ＭＩＭＯ  ＣＱＩフィードバックのための追加的なオーバーヘッドが要求される。
【０５６８】
他の解決方案として、新しいＰＵＳＣＨ報告モードを適用することができる。例えば、ＲＩ、第１コードワード（ＣＷ）に関するＷＢ  ＣＱＩ、第２ＣＷに関するＷＢ  ＣＱＩ、ＷＢ  Ｗ１、ＳＢ  Ｗ２を伝送するＰＵＳＣＨ報告モード３−２を適用することができる。ＰＵＳＣＨ報告モード３−２によってより精密な周波数フィードバック単位（ｇｒａｎｕｌａｒｉｔｙ）に対するＰＭＩをフィードバックすることができ、フィードバック情報の正確性が向上する。ＰＵＳＣＨ報告モード３−２では追加的なＭＵ−ＭＩＭＯ  ＣＱＩフィードバックが要求されないが、より精密なＰＭＩフィードバック周波数単位を向上させるためにフィードバックオーバーヘッドが増加する。
【０５６９】
下の表６１は、４伝送アンテナ伝送において、ＰＵＳＣＨ報告モード３−１を適用するときに追加的なＭＵ−ＭＩＭＯＣＳＩと共にＰＵＳＣＨ報告モード３−１を適用する場合、及びＰＵＳＣＨ報告モード３−２を適用する場合に要求されるフィードバックオーバーヘッドを表すものである。表６１で、Ｎは、サブ帯域の個数を表し、Ｌは、選択された帯域を指示するために要求されるビットの個数を表す。
【０５７０】
【表６１】
0005995850.tif 000169
上記表６１に示すように、２つのＣＱＩ報告方案（ＭＵ−ＭＩＭＯ  ＣＱＩを伝送する方案とＰＵＳＣＨ報告モード３−２を用いる方案）とも、ＰＵＳＣＨ報告モード３−１に比べてフィードバックオーバーヘッドが大きく増加する。フィードバックオーバーヘッドはシステム帯域幅が広くなるほど一層増加する。したがって、上記のようなＣＱＩ報告方案を適用するためには充分の性能利得が存在しなければならない。
【０５７１】
以下の表６２乃至表６４では、４×２ＭＵ−ＭＩＭＯ伝送の場合に、それぞれのＣＱＩ改善方案によるシステムレベル性能を表す。表６２乃至表６４では、一つの端末に対して一つのレイヤーのみが割り当てられると仮定する。表６２及び表６３は、ＭＵ−ＭＩＭＯスケジューリングされる端末の最大個数が２個の場合であり、表６４は、ＭＵ−ＭＩＭＯスケジューリングされる端末の最大個数が４個の場合に関する。ＭＵ−ＭＩＭＯ  ＣＱＩ計算のために、端末はＳＵ−ＭＩＭＯ方式と類似にして好むビームベクトルを探し、他の干渉ビームベクトルはあらかじめ定義されたとする。これにより、共通−チャネル（ｃｏ−ｃｈａｎｎｅｌ）干渉を考慮して一つの好むビームベクトル及び他の干渉ビームベクトルによってプリコーダが形成され、このように形成されたプリコーダに基づいてＭＵ−ＭＩＭＯ  ＣＱＩ計算を行うことができる。
【０５７２】
【表６２】
0005995850.tif 000170
【０５７３】
【表６３】
0005995850.tif 000171
【０５７４】
【表６４】
0005995850.tif 000172
上記表６２乃至６４から、既存のＰＵＳＣＨ報告モード３−１に比べて上記のＣＱＩ改善方案が提供する性能利得が存在することがわかる。場合によっては、ＣＱＩ改善方案による性能利得が大きくないので、シグナリングオーバーヘッドを増加させるＣＱＩ改善方案を適用する代わりに既存のＰＵＳＣＨ報告モード３−１を用いることを考慮することもできる。
【０５７５】
以下の表６５は、サブ帯域の個数及びサブ帯域指示のために要求されるビット数を表すものである。
【０５７６】
【表６５】
0005995850.tif 000173
下の表６６は、上記表６２乃至表６４のシステム性能のシミュレーションに適用されたパラメータを整理したものである。
【０５７７】
【表６６−１】
0005995850.tif 000174
【０５７８】
【表６６−２】
0005995850.tif 000175
（実施例１２）
本実施例１２では、Ｗ１及びＷ２がジョイントコーディングされる場合に適用可能なＷ１及びＷ２のサブサンプリング方案について説明する。
【０５７９】
上記の表３８のＰＵＣＣＨ報告モード１−１−２の場合に、Ｗ１及びＷ２がＷＢ  ＣＱＩと共に伝送される（表３８では、Ｗ１及びＷ２をＩ１及びＩ２と表す）。既存の３ＧＰＰ  ＬＴＥリリース−８のＰＵＣＣＨ報告方式でのエラー発生確率と同じレベルを有するようにフィードバックモードを設定するために、それぞれのランクのプリコーダに対するビットは４ビットサイズを有するように設計することができる。
【０５８０】
例えば、表６７のようにそれぞれのランクによるＷ１及びＷ２のビット数を設定することができる。表５２で説明するＷ１及びＷ２に対するインデックスは、上記の表１１乃至表１４で表すコードブックに対するインデックス（ｉ１、ｉ２）に相当する。
【０５８１】
【表６７】
0005995850.tif 000176
（実施例１３）
本実施例１３では、ＰＵＣＣＨ報告モード２−１に適用可能なＷ２サブサンプリング方案について説明する。
【０５８２】
上記の表３８で説明したＰＵＣＣＨ報告モード２−１において、ＰＴＩ＝１の場合にＳＢ  ＣＱＩが伝送される時、ＳＢ  ＣＱＩは帯域幅部分（ＢＰ）内で選択されうる。すなわち、第１報告時間にＷＢ  ＣＱＩとＷＢ  Ｗ２が報告され、第２報告時間に、あるＢＰ内で選択されたＳＢ  ＣＱＩ、選択された帯域インデックス及びＳＢ  Ｗ２が報告される（表３８では、Ｗ１及びＷ２をＩ１及びＩ２と表す）。第３報告時間には、第２報告時間に考慮されたＢＰと異なるＢＰ内で選択されたＳＢ  ＣＱＩ、選択された帯域インデックス及びＳＢ  Ｗ２が報告される。
【０５８３】
ここで、ＳＢ  ＣＱＩは、４ビットまたは７ビットで表現される。選択された帯域インデックスは２ビットで表現され、ＳＢ  Ｗ２は４ビットで表現される。これを考慮すると、一つの報告時間（すなわち、一つのサブフレーム）で伝送されるべきビットの合計として１０または１３ビットが要求される。しかし、前述したように、ＰＵＣＣＨを用いて（例えば、ＰＵＣＣＨフォーマット２を用いる場合）伝送可能なフィードバック情報のビット数が１１ビットに制限されることを考慮すると、ランク−２以上において２ビットを減らさなければならない。
【０５８４】
Ｗ２において２ビットを減らす方案として、下の表６７のようなＷ２サブ帯域報告を適用することができる。表６８には、８伝送アンテナ伝送の場合に、ランク−２、３及び４においてＷ２サブサンプリングを適用する一例を示す。
【０５８５】
【表６８】
0005995850.tif 000177
また、Ｗ２のサブサンプリングを適用する場合に、Ｗ１及びＷ２によってプリコーダが特定されるので、プリコーダ要素の落ちを避けるためにＷ１に対してはサブサンプリングを適用しないことを考慮することができる。またはフィードバックオーバーヘッドをさらに軽減するために、Ｗ１が最大３ビットを有するように設定することもできる。表６９は、Ｗ２のサブサンプリングが適用される場合にＷ１のビット数設定の一例を表すものである。
【０５８６】
【表６９】
0005995850.tif 000178
本実施例１３において、Ｗ２を２ビットにサブサンプリングする具体的な方案として、上記の本発明の種々の実施例で説明した方案を適用することができる。
【０５８７】
（実施例１４）
本実施例１４では、多重−搬送波伝送のためのチャネル状態報告の具体的な方案について説明し、多重−搬送波伝送の場合にフィードバック情報の伝送優先順位を設定することによって、異なったフィードバック情報が衝突する場合にどのフィードバック情報を落とすかについて説明する。以下の説明において、多重搬送波またはキャリアアグリゲーションが適用されるという意味は、１個より多い搬送波（またはサービングセル）（ｍｏｒｅ  ｔｈａｎ  ｏｎｅ  ｓｅｖｉｎｇ  ｃｅｌｌ）が設定（ｃｏｎｆｉｇｕｒｅ）されるということを指す。すなわち、本実施例は、端末に複数個の搬送波（またはセル）が設定される場合に適用可能である。
【０５８８】
下りリンク多重−搬送波伝送に対する周期的ＣＱＩ／ＰＭＩ／ＲＩ報告において、既存の３ＧＰＰ  ＬＴＥリリース−８で定義されたように、上位層設定パラメータを用いてそれぞれの下りリンク搬送波に対して独立的に周期的フィードバック方式を設定することができる。
【０５８９】
ＰＵＣＣＨ及びＰＵＳＣＨが同時に設定されていない場合は、一つのサブフレームで一つのＤＬ搬送波のみに対する周期的ＣＱＩ／ＰＭＩ／ＲＩを報告することができる。いずれのＤＬ搬送波に対する周期的ＣＱＩ／ＰＭＩ／ＲＩを報告するかについて優先順位（ｐｒｉｏｒｉｔｙ）を設定することができる。優先順位設定では、報告モードまたはタイプに基づいて搬送波間の優先順位を設定することができる。仮に報告モード／タイプが一致する場合には、搬送波間の優先順位が上位層（例えば、ＲＲＣ）によって設定されるとよい。このようなフィードバック伝送の優先順位設定は、ＰＵＳＣＨ無しでフィードバックが伝送される場合、及びＰＵＳＣＨと共にフィードバックが伝送される場合の両方に適用可能である。一つのサブフレームで一つのＤＬ搬送波のみに対するＣＱＩ／ＰＭＩ／ＲＩが報告されるので、他のＤＬ搬送波に対するＣＱＩ／ＰＭＩ／ＲＩは落とすことができる。フィードバックされるものと決定される一つのＤＬ搬送波に対して、３ＧＰＰ  ＬＴＥリリース−８で定義するようなＲＩ、ＷＢ  ＣＱＩ／ＰＭＩ、ＳＢ  ＣＱＩが衝突する場合の優先順位設定（すなわち、ＲＩ＞ＷＢ  ＣＱＩ／ＰＭＩ、ＷＢ  ＣＱＩ、ＳＢ  ＣＱＩ）によってフィードバック情報を伝送することができる。
【０５９０】
ＰＵＣＣＨ及びＰＵＳＣＨが同時に設定されない場合に、ＨＡＲＱＡ／Ｎ情報無しで周期的ＣＱＩ／ＰＭＩ／ＲＩのみが伝送される時には、ＰＵＳＣＨが利用可能でないとＰＵＣＣＨを用いてＣＱＩ／ＰＭＩ／ＲＩを伝送することができる。一方、ＰＵＳＣＨが利用可能であると、ＰＵＳＣＨを用いてＣＱＩ／ＰＭＩ／ＲＩを伝送することができる。
【０５９１】
ＰＵＣＣＨを用いた周期的ＣＱＩ／ＰＭＩ／ＲＩ報告において、前述のような種々のＰＵＣＣＨ報告モード及び報告タイプを設定することができる。
【０５９２】
ＰＵＣＣＨ報告モードとして、２または４伝送アンテナ伝送に対しては、モード１−０、モード１−１、モード２−０、モード２−１を設定し、８伝送アンテナ伝送に対してはモード１−１−１、モード１−１−２、モード２−１を設定することができる。
【０５９３】
本明細書全体を通じて説明する内容において、８伝送アンテナ伝送のためのフィードバックモードは、３ＧＰＰ  ＬＴＥリリース−１０で定義する下りリンク伝送モード９のためのフィードバックモードと表現することができる。下りリンク伝送モード９は、８レイヤー伝送を支援する下りリンク伝送モードである。また、２または４伝送アンテナ伝送のためのフィードバックモードは、下りリンク伝送モード９以外の伝送モードに対して用いられるフィードバックモードと表現することができる。例えば、８伝送アンテナ伝送のための報告モード２−１は、伝送モード９に対して用いられると表現できる。また、前述したように、報告モード１−１−１は、伝送モード９のために設定された報告モード１−１の下位−モード（ｓｕｂ−Ｍｏｄｅ）１を意味し、報告モード１−１−２は、伝送モード９のために設定された報告モード１−１の下位−モード２を意味する。
【０５９４】
ＰＵＣＣＨ報告タイプを表７０のように設定することができる。
【０５９５】
【表７０】
0005995850.tif 000179
このようなＰＵＣＣＨ報告タイプに対して適用可能な優先順位について説明する。単一搬送波上での周期的ＣＳＩ報告においては、ＰＵＣＣＨ報告タイプ３、５または６が最も長い報告周期を有する。また、ＰＵＣＣＨ報告タイプ１、１ａ、２、２ａ、２ｂ及び４のフィードバック情報は、報告されたＲＩ、ｗｂ  １ｓｔ  ＰＭＩまたはＰＴＩに基づいて決定される。したがって、ＰＵＣＣＨ報告タイプ３、５または６がＰＵＣＣＨ報告タイプ１、１ａ、２、２ａ、２ｂ、２ｃまたは４と衝突する場合は、ＰＵＣＣＨ報告タイプ１、１ａ、２、２ａ、２ｂ、２ｃを低い優先順位により落とすことができる。一方、上記の実施例６で説明した通り、多重の制御情報の衝突時に適用される伝送優先順位は、ＳＲ、ＨＡＲＱ−ＡＣＫ、ＵＬ−ＳＣＨ（サブフレームバンドリング動作の場合）＞ＲＩ＞ＷＢ  ＣＱＩ／ＰＭＩ、ＷＢ  ＣＱＩ、ＳＢ  ＣＱＩを適用することができる。例えば、ＳＲ制御情報とＣＱＩ／ＰＭＩ／ＲＩとが同一のサブフレームで衝突する場合には、ＣＱＩ／ＰＭＩ／ＲＩが落ち、ＳＲが伝送される。
【０５９６】
前述の事項に基づいて、フィードバック優先順位設定について本発明で提案する実施例を説明する。
【０５９７】
方案１として、報告タイプを基準にフィードバック優先順位を決定することができる。
【０５９８】
方案２として、異なったＤＬ搬送波に対するフィードバックを行う時に、同じ報告タイプが衝突する場合には、報告モードによってフィードバック優先順位を決定することができる。
【０５９９】
方案３として、報告タイプをグループ化して報告タイプグループを基準にフィードバック優先順位を決定することができる。
【０６００】
方案４として、異なったＤＬ搬送波に対するフィードバックを行う時に、同一の報告タイプグループが衝突する場合には、報告モードによってフィードバック優先順位を決定することができる。
【０６０１】
前述したようなＰＵＣＣＨ報告モードは、複数の報告タイプの組み合わせで構成される。これを整理すると、表７１のようになる。表７１で、ｗｂは広帯域（ｗｉｄｅｂａｎｄ）に対するフィードバック情報を表し、ｓｂは、サブ帯域（ｓｕｂｂａｎｄ）に対するフィードバック情報を表し、１ｓｔ  ＰＭＩは、プリコーダインデックス１（すなわち、前述の説明でｉ１またはＷ２に対応する）を表し、２ｎｄ  ＰＭＩは、プリコーダインデックス２（すなわち、前述した説明でｉ２またはＷ２に対応する）を表す。
【０６０２】
【表７１】
0005995850.tif 000180
次に、伝送周期及びフィードバック情報の属性に基づいて報告タイプを下記表７２のようにグループ化できる。
【０６０３】
【表７２】
0005995850.tif 000181
上記表７１で、報告タイプグループＡは、ＲＩを含むフィードバック情報の集合で構成され、報告タイプグループＢは、ｗｂ  １ｓｔ  ＰＭＩを含むフィードバック情報の集合で構成され、報告タイプグループＣは、ｗｂ  ＣＱＩを含むフィードバック情報の集合で構成され、報告タイプグループＤは、ＳＢ  ＣＱＩを含むフィードバック情報の集合で構成される。
【０６０４】
これにより、前述の方案３で提案した通り、報告タイプグループによってフィードバック優先順位を設定することができる。各フィードバック情報の属性に基づいて優先順位を設定する本発明の例示について具体的に説明する。
【０６０５】
ＲＩ情報は間欠的に報告される情報である。ＲＩ情報が報告されないと、ＲＩは相当長い報告周期を有するから、次のＲＩ報告までは古い（または、誤った）ランク情報が適用され、性能劣化につながることがある。したがって、他のフィードバック情報と比較するとき、ＲＩが高い優先順位を有するように設定するとよい。報告タイプ３、５及び６のようにＲＩを含んでいるグループＡ（すなわち、ＲＩ報告グループ）がＣＱＩ／ＰＭＩを含むグループに比べて高いフィードバック優先順位を有するようにすることができる。
【０６０６】
次に、ｗｂ  １ｓｔ  ＰＭＩは、ＷＢ  ＣＱＩ／ｗｂ  ２ｎｄ  ＰＭＩ／ｓｂ  ＣＱＩ／ｓｂ  ２ｎｄ  ＰＭＩなどを選択／計算する基礎となる情報である。もしｗｂ  １ｓｔ  ＰＭＩが報告されないと、その後に報告されるＣＱＩ／ＰＭＩ情報を選択／計算し難い。したがって、ｗｂ  １ｓｔ  ＰＭＩは、ｗｂ  ＣＱＩ／ｗｂ  ２ｎｄ  ＰＭＩ／ｓｂ  ＣＱＩ／ｓｂ  ２ｎｄ  ＰＭＩよりも高いフィードバック優先順位を有するようにすることができる。ｗｂ  １ｓｔ  ＰＭＩの報告周期はＲＲＣシグナリングによって決定できるが、ＲＩ情報が報告される周期内で反復的に報告されるようにｗｂ  １ｓｔ  ＰＭＩの報告周期を決定すればよい。
【０６０７】
次に、ＷＢ  ＣＱＩとＳＢ  ＣＱＩ情報の優先順位を決定するにあたり、報告の頻度と依存性（ｄｅｐｅｎｄｅｎｃｙ）を考慮すればよい。２及び４伝送アンテナ伝送に対するＰＵＣＣＨフィードバックモード２−１で、ＷＢ  ＣＱＩ＋ＷＢ  ＰＭＩ情報が伝送された後、報告されたＷＢ  ＰＭＩに基づいてＳＢ  ＣＱＩを計算する。したがって、ＳＢ  ＣＱＩはＷＢ  ＣＱＩ＋ｗｂＰＭＩに依存性を有するといえる。また、ＳＢ  ＣＱＩ情報は性能を改善するための補助情報として認識され、ＷＢ  ＣＱＩ情報よりも頻繁に伝送される。したがって、ｗｂ  ＣＱＩ情報はＳＢ  ＣＱＩ情報よりも高い優先順位を有するように設定することができる。報告タイプ４、２、２ｂ、２ｃのようにｗｂ  ＣＱＩを含むグループＣ（すなわち、ｗｂ  ＣＱＩ報告グループ）は、報告タイプ１、１ａのようにＳＢ  ＣＱＩを含むグループＤ（すなわち、ｓｂ  ＣＱＩ報告グループ）に比べて高いフィードバック優先順位を有するように設定できる。
【０６０８】
前述の事項に基づいて、異なった報告タイプグループＡ、Ｂ、Ｃ、Ｄが同じサブフレームで衝突する場合に、種々の方式で優先順位設定を定義することができる。下記の表７３に優先順位設定の例示を表す。
【０６０９】
【表７３】
0005995850.tif 000182
表７３で、例示１は、ＲＩを含むグループが最も高い優先順位を有し、続いてｗｂ  １ｓｔ  ＰＭＩを含むグループ、ＷＢ  ＣＱＩを含むグループ、ＳＢ  ＣＱＩを含むグループの順に優先順位を設定する例示である。例示２は、ＲＩを含むグループとｗｂ  １ｓｔ  ＰＭＩを含むグループとが同じ優先順位を有し、続いてＷＢ  ＣＱＩを含むグループ、ＳＢ  ＣＱＩを含むグループの順に優先順位を設定する例示である。例示３は、ＲＩを含むグループが最も高い優先順位を有し、続いてｗｂ  １ｓｔ  ＰＭＩを含むグループとＷＢ  ＣＱＩを含むグループが同じ優先順位を有し、ｓｂ  ＣＱＩを含むグループが最も低い優先順位を有する例示である。例示４は、ｗｂ  １ｓｔ  ＰＭＩを含むグループが最も高い優先順位を有し、続いてＲＩを含むグループ、ＷＢ  ＣＱＩを含むグループ、ＳＢ  ＣＱＩを含むグループの順に優先順位を設定する例示である。
【０６１０】
一方、前述の方案４のように、同じ報告タイプグループに属したフィードバック情報に対して、報告モードによってフィードバック優先順位を設定することができる。例えば、８伝送アンテナ伝送に対する報告モード２−１は、２または４伝送アンテナ伝送に対する報告モード１−０、１−１、２−０または２−１、及び８伝送アンテナ伝送に対する報告モード１−１−１または１−１−２よりも高い優先順位を有するように設定できる。これにより、一つの報告タイプグループ内で各報告タイプの優先順位を決定することができる。
【０６１１】
例えば、グループＡ（ＲＩを含む報告タイプのグループ）には報告タイプ３、５及び６が属している。報告タイプ６は、８伝送アンテナ伝送のためのフィードバックモード２−１を構成するために用いられる。報告タイプ３は、２または４伝送アンテナ伝送のための報告モード１−０、１−１、２−０、２−１を構成するために用いられる。報告タイプ５は、８伝送アンテナ伝送のための報告モード１−１−１、１−１−２を構成するために用いられる。ここで、８伝送アンテナ伝送のための報告モード２−１では、ＲＩと共に伝送されるＰＴＩ値によって、後続して報告されるプリコーディングタイプが決定される。そのため、ＲＩ＋ＰＴＩは、ＲＩのみの伝送またはＲＩ＋ＰＭＩの伝送に比べて高い重要度を有するようにすることができる。
【０６１２】
また、グループＣ（ｗｂ  ＣＱＩを含む報告タイプのグループ）には報告タイプ４、２、２ｂ、２ｃが属している。報告タイプ４、２、２ｂは、ＳＢ  ＣＱＩ報告モード２−０、２−１及び８伝送アンテナ伝送のための報告モード２−１のために用いられる。また、報告タイプ４、２、２ｂは、ＷＢ  ＣＱＩ報告モード１−０、１−１及び８伝送アンテナ伝送のための報告モード１−１−１のために用いられる。ここで、ＳＢ  ＣＱＩ報告において報告タイプ４、２、２ｂは、その次に報告されるべきフィードバック情報のために常に用いなければならない情報であるから、高い重要度を有するように設定できる。したがって、同一の報告タイプのフィードバック情報であっても、どのフィードバックモードで伝送されるかによってその重要度を決定することができる。
【０６１３】
したがって、報告タイプグループ内でそれぞれの報告タイプの優先順位設定を例示すると、下記の表７４のようになる。
【０６１４】
【表７４】
0005995850.tif 000183
フィードバック優先順位設定について本発明で提案するさらなる実施例を以下に説明する。
【０６１５】
方案５として、報告タイプまたは報告タイプグループ別に優先順位を与え、同じ報告タイプグループに属した報告タイプ間に対しては、下りリンク搬送波別にＲＲＣ設定によって与えられる優先順位によって報告タイプの優先順位を設定することができる。
【０６１６】
方案６として、報告タイプまたは報告タイプグループ別に優先順位を与え、同じ報告タイプグループに属した報告タイプ間に対してはＲＲＣ設定によって優先順位を設定することができる。
【０６１７】
上記表７２のように報告タイプのグループが設定され、上記表７３の例示１のように報告タイプグループ間の優先順位が設定される場合（すなわち、Ａ＞Ｂ＞Ｃ＞Ｄ）に、多重−搬送波伝送の状況でそれぞれの下りリンク搬送波に対するフィードバック報告におけるそれぞれの報告タイプに対する優先順位は、報告タイプグループの優先順位にしたがって設定されてもよい。
【０６１８】
例えば、報告タイプ３、５または６が報告タイプ１、１ａ、２、２ａ、２ｂ、２ｃまたは４と衝突する場合に、低い優先順位の報告タイプ１、１ａ、２、２ａ、２ｂ、２ｃまたは４を落とすことができる。報告タイプ２ａが報告タイプ１、１ａ、２、２ｂ、２ｃまたは４と衝突する場合に、低い優先順位の報告タイプ１、１ａ、２、２ｂ、２ｃまたは４を落とすことができる。報告タイプ２、２ｂ、２ｃまたは４が報告タイプ１または１ａと衝突する場合に、低い優先順位の報告タイプ１、１ａを落とすことができる。
【０６１９】
次に、上記表７２ように報告タイプのグループが設定され、上記表７３の例示２のように報告タイプグループ間の優先順位が設定される場合（すなわち、Ａ＝Ｂ＞Ｃ＞Ｄ）に、多重−搬送波伝送の状況でそれぞれの下りリンク搬送波に対するフィードバック報告におけるそれぞれの報告タイプに対する優先順位は、報告タイプグループの優先順位にしたがって設定することができる。
【０６２０】
例えば、報告タイプ３、５、６または２ａが報告タイプ４、２、２ｂ、２ｃ、１または１ａと衝突される場合に、低い優先順位の報告タイプ４、２、２ｂ、２ｃ、１または１ａを落とすことができる。また、報告タイプ４、２、２ｂまたは２ｃが報告タイプ１または１ａと衝突される場合に、低い優先順位の報告タイプ１または１ａを落とすことができる。
【０６２１】
次に、上記表７２のように報告タイプのグループが設定され、上記表７３の例示３のように報告タイプグループ間の優先順位が設定される場合（すなわち、Ａ＞Ｂ＝Ｃ＞Ｄ）に、多重−搬送波伝送の状況でそれぞれの下りリンク搬送波に対するフィードバック報告におけるそれぞれの報告タイプに対する優先順位は、報告タイプグループの優先順位にしたがって設定することができる。
【０６２２】
例えば、報告タイプ３、５または６が報告タイプ２ａ、４、２、２ｂ、２ｃ、１または１ａと衝突する場合に、低い優先順位の報告タイプ２ａ、４、２、２ｂ、２ｃ、１または１ａを落とすことができる。また、報告タイプ２ａ、４、２、２ｂまたは２ｃが報告タイプ１または１ａと衝突する場合に、低い優先順位の報告タイプ１または１ａを落とすことができる。
【０６２３】
以下では、多重搬送波伝送の場合にいずの搬送波に対する周期的ＣＳＩ報告に優先順位を与えるかについて、前述した事項に基づいてより具体的に説明する。多重搬送波伝送の場合には、周期的ＣＳＩ報告において、周期的ＰＵＣＣＨ報告に関する上位層設定パラメータがそれぞれの下りリンク搬送波に対して独立して決定されるので、単一搬送波伝送の場合に比べて報告タイプ同士が衝突する場合がより様々に発生する。
【０６２４】
上記表７１のように下りリンク伝送モード９及びそれ以外の伝送モードに対するＰＵＣＣＨ報告モード及び報告タイプが設定される場合を仮定する。例えば、単一搬送波伝送に対する周期的ＣＳＩ報告においてはＰＵＣＣＨ報告タイプ１と２が衝突する場合が発生しないが、多重搬送波伝送ではそれらが衝突する場合がある。したがって、それに対する解決方案が要求される。
【０６２５】
多重搬送波伝送に対する周期的ＣＳＩ報告において、前述したように報告モードに基づく優先順位による下りリンク搬送波（またはＤＬ  ｃｅｌｌ）選択が可能である。しかし、報告モードに基づいて周期的ＣＱＩ／ＰＭＩ／ＲＩ報告に対するＤＬ搬送波選択の優先順位を適用することを前提条件として適用する場合に、活性化された（ａｃｔｉｖａｔｅｄ）ＤＬ搬送波に必須の（ｅｓｓｅｎｔｉａｌ）報告情報が頻繁に落ちる場合が生じうる。また、報告タイプの衝突の場合と同様に、周期的ＣＱＩ／ＰＭＩ／ＲＩ報告に対してＲＲＣ設定された規則にしたがってＤＬ搬送波選択の優先順位を適用することもできる点を考慮しなければならない。したがって、多重搬送波が設定される状況で報告モードに基づくＤＬ搬送波選択の優先順位を適用する場合に不明確性が存在することになる。一方、報告タイプにのみ基づいて報告優先順位を決定することは、重要なフィードバック情報の落ちを防止し、単純に具現可能であるという長所を有する。
【０６２６】
したがって、上記表７２のように報告タイプをグループ化し、報告タイプグループによるフィードバック優先順位をＡ＞Ｂ＝Ｃ＞Ｄのように適用することができる。その一方案として、キャリアアグリゲーションの場合に、最も高い優先順位を有する報告タイプ（報告タイプ３、５または６）がその優先順位を維持し、ＤＬ搬送波は報告タイプに基づく優先順位にしたがって決定することができる。
【０６２７】
次に、ｗｂ  １ｓｔ  ＰＭＩを含むＰＵＣＣＨ報告タイプ２ａの優先順位を決定することについて具体的に説明する。
【０６２８】
図３４は、上記表７１で説明した伝送モード９に関する周期的ＰＵＣＣＨ報告モード２−１の報告周期を示す図である。伝送モード９に関する周期的ＰＵＣＣＨ報告モード２−１の報告周期は、報告タイプ及びＰＴＩ設定によって決定することができる。図３４を参照すると、報告タイプ６（ＲＩ＋ＰＴＩ）は、
【０６２９】
【化８１】
0005995850.tif 000184
の報告周期を有することができる。図３４（ａ）に示すように、ＰＴＩ＝０の場合には、報告タイプ２ａ（ｗｂ  １ｓｔ  ＰＭＩ）が
【０６３０】
【化８２】
0005995850.tif 000185
の報告周期を有し、報告タイプ２ｂ（ｗｂ  ２ｎｄ  ＰＭＩ及びＷＢ  ＣＱＩ）が報告タイプ２ａ伝送以降の
【０６３１】
【化８３】
0005995850.tif 000186
タイミングで報告されうる。また、ＰＴＩ＝１の場合には、報告タイプ２ｂが
【０６３２】
【化８４】
0005995850.tif 000187
の報告周期を有し、報告タイプ１ａ（ｓｂ  ２ｎｄ  ＰＭＩ及びＳＢ  ＣＱＩ）が報告タイプ２ｂ伝送以降の
【０６３３】
【化８５】
0005995850.tif 000188
タイミングで報告されうる。図３４では、Ｍ＝２の場合に対する８アンテナポートのＣＳＩ−ＲＳを用いた下りリンク伝送モード９に関するＰＵＣＣＨ報告モード２−１の報告周期の一例を示している。
【０６３４】
図３４（ａ）に示すように、ＰＴＩ＝０の場合に報告タイプ２ａは報告タイプ２ｂと同じ周期を有することができる。また、図３４（ｂ）に示すように、ＰＴＩ＝１の場合に報告タイプ２ａの報告周期は報告タイプ２ｂの報告周期に比べてはるかに短いこともある。
【０６３５】
仮に、より長い報告周期を有する報告タイプがより高い優先順位を有するようにする優先順位規則を単純に適用するとすれば、報告タイプ２ｂが報告タイプ２ａに比べてより高い優先順位を有するはずである。しかし、８伝送アンテナ伝送に関するコードブック構造において、報告タイプ２ａ（ｗｂ  １ｓｔ  ＰＭＩ）が長−期間（ｌｏｎｇ−ｔｅｒｍ）空間チャネル情報を含んでおり、報告タイプ２ｂ（ｗｂ  ２ｎｄ  ＰＭＩ及びＷＢ  ＣＱＩ）が短−期間（ｓｈｏｒｔ−ｔｅｒｍ）空間チャネル情報にさらに関連している。したがって、報告タイプ２ａが、報告タイプ６（ＲＩ＋ＰＴＩ）を除く他の報告タイプよりも高い優先順位を有するようにすることが好ましい。したがって、多重−搬送波状況で伝送モード９に関するＰＵＣＣＨ報告モード２−１に対して、報告タイプ２ａが報告タイプ１、１ａ、２、２ｂ、２ｃ及び４に比べて高い優先順位を有するようにすることができる。
【０６３６】
前述に基づいて、多重搬送波伝送の場合に周期的ＣＱＩ／ＰＭＩ／ＲＩ報告に対するＤＬ搬送波（またはＤＬ  ｃｅｌｌ）選択の優先順位に関する全般的な規則を整理すると、下記の通りである。
【０６３７】
いずれのＤＬ搬送波のＣＳＩをフィードバックするかに対する優先順位として、ＣＳＩフィードバックの報告タイプに基づいて活性化されたＤＬ搬送波間の優先順位を定めることができる。そのために、上記表７２のように、ＲＩを含むグループＡ（報告タイプ３、５、６）、ＣＱＩ無しでｗｂ  １ｓｔ  ＰＭＩを含むグループＢ（報告タイプ２ａ）、ＷＢ  ＣＱＩを含むグループＣ（報告タイプ２、２ｂ、２ｃ、４）、及びＳＢ  ＣＱＩを含むグループＤ（報告タイプ１、１ａ）に報告タイプを分類し、各報告タイプグループの優先順位はＡ＞Ｂ＞Ｃ＞Ｄと定義することができる。仮に報告タイプの優先順位が同一であると、活性化されたＤＬ搬送波間にＲＲＣ設定された優先順位にしたがっていずれのＤＬ搬送波のＣＳＩをフィードバックするかを決定すればよい。このようにして決定されたＤＬ搬送波に対するＣＱＩ／ＰＭＩ／ＲＩを伝送し、他のＤＬ搬送波に対するＣＱＩ／ＰＭＩ／ＲＩは落とすことができる。
【０６３８】
もし、同じＰＵＣＣＨ報告タイプが衝突する場合には、上位層によって活性化されたＤＬ搬送波（ＤＬ  ｃｅｌｌ）間に最も高い優先順位が設定されるＤＬ搬送波のＰＵＣＣＨ報告タイプが報告され、他のＤＬ搬送波に対するＣＱＩ／ＰＭＩ／ＲＩは落とすことができる。例えば、ＤＬ搬送波（ＤＬ  ｃｅｌｌ）＃１に対するＣＳＩとしてＰＵＣＣＨ報告タイプ６が特定タイミングｘで伝送されるように設定された場合に、他のＤＬ搬送波（ＤＬ  ｃｅｌｌ）＃２に対するＣＳＩとしてＰＵＣＣＨ報告タイプ６が同一のタイミングｘで伝送されるように設定される場合が仮定できる。この場合、ＤＬ搬送波＃１に対してＲＲＣ−設定される優先順位がＤＬ搬送波＃２よりも高いと、ＤＬ搬送波＃１に対するＰＵＣＣＨ報告タイプ６を伝送し、他のＤＬ搬送波＃２に対するＰＵＣＣＨ報告タイプ６は落とすことができる。
【０６３９】
上のような本発明の提案に基づいて、報告タイプグループ間の優先順位がＡ＞Ｂ＞Ｃ＞Ｄに設定される場合に、一つ以上のＤＬ搬送波（またはＤＬ  ｃｅｌｌ）に対していずれのＤＬ搬送波のＣＳＩを伝送するかに関する優先順位設定方案を下記のように表現することができる。
【０６４０】
ＰＵＣＣＨ報告タイプ３、５または６がＰＵＣＣＨ報告タイプ１、１ａ、２、２ａ、２ｂ、２ｃまたは４と衝突する場合に、後者のＰＵＣＣＨ報告タイプ（１、１ａ、２、２ａ、２ｂ、２ｃまたは４）は低い優先順位を有し、落とすことができる。
【０６４１】
ＰＵＣＣＨ報告タイプ２ａがＰＵＣＣＨ報告タイプ１、１ａ、２、２ｂ、２ｃまたは４と衝突する場合に、後者のＰＵＣＣＨ報告タイプ（１、１ａ、２、２ｂ、２ｃまたは４）は低い優先順位を有し、落とすことができる。
【０６４２】
ＰＵＣＣＨ報告タイプ２、２ｂ、２ｃまたは４がＰＵＣＣＨ報告タイプ１または１ａと衝突する場合に、後者のＰＵＣＣＨ報告タイプ（１、１ａ）は低い優先順位を有し、落とすことができる。
【０６４３】
同じＰＵＣＣＨ報告タイプが衝突する場合には、活性化されたＤＬ搬送波（ＤＬ  ｃｅｌｌ）間に上位層によって設定される最も高い優先順位を有するＰＵＣＣＨ報告タイプを報告し、他のＤＬ搬送波に対するＣＱＩ／ＰＭＩ／ＲＩは落とすことができる。
【０６４４】
一方、上記表７２のように、ＲＩを含むグループＡ（報告タイプ３、５、６）、ＣＱＩ無しでｗｂ  １ｓｔ  ＰＭＩを含むグループＢ（報告タイプ２ａ）、ＷＢ  ＣＱＩを含むグループＣ（報告タイプ２、２ｂ、２ｃ、４）、及びＳＢ  ＣＱＩを含むグループＤ（報告タイプ１、１ａ）に報告タイプをグループ化し、報告タイプに基づいて活性化されたＤＬ搬送波間の優先順位を決定するにあたり、報告タイプグループの優先順位の他の設定による本発明の実施例について以下に説明する。
【０６４５】
一つの実施例として、報告タイプグループ間の優先順位がＡ＝Ｂ＞Ｃ＝Ｄに設定される場合には、報告タイプ３、５、６または２ａが、報告タイプ４、２、２ｂ、２ｃ、１または１ａと衝突すると、報告タイプ４、２、２ｂ、２ｃ、１または１ａは低い優先順位を有し、落とすことができる。ＰＵＣＣＨ報告タイプの優先順位が同一であると、活性化されたＤＬ搬送波（ＤＬ  ｃｅｌｌ）間にＲＲＣ−設定される優先順位によってフィードバック優先順位を決定すればよい。他のＤＬ搬送波に対するＣＱＩ／ＰＭＩ／ＲＩは落とすことができる。
【０６４６】
他の実施例として、報告タイプグループ間の優先順位がＡ＞Ｂ＞Ｃ＝Ｄに設定される場合には、ＰＵＣＣＨ報告タイプ３、５、または６がＰＵＣＣＨ報告タイプ２、２ａ、２ｂ、２ｃ、４、１または１ａと衝突すると、ＰＵＣＣＨ報告タイプ２、２ａ、２ｂ、２ｃ、４、１または１ａは低い優先順位を有し、落とすことができる。また、ＰＵＣＣＨ報告タイプ２ａがＰＵＣＣＨ報告タイプ２、２ｂ、２ｃ、４、１または１ａと衝突する場合に、ＰＵＣＣＨ報告タイプ２、２ｂ、２ｃ、４、１または１ａは低い優先順位を有し、落とすことができる。ＰＵＣＣＨ報告タイプの優先順位が同じ場合には、活性化されたＤＬ搬送波（ＤＬ  ｃｅｌｌ）間にＲＲＣ−設定される優先順位によってフィードバック優先順位を決定すればよい。他のＤＬ搬送波に対するＣＱＩ／ＰＭＩ／ＲＩは落とすことができる。
【０６４７】
上述の本実施例１４において、多重搬送波が設定された場合にＰＵＣＣＨを用いた周期的ＣＳＩ報告の優先順位に関する上の方案を整理すると、下記の通りになる。
【０６４８】
まず、端末に１個より多いサービングセル（ｍｏｒｅ  ｔｈａｎ  ｏｎｅ  ｓｅｒｖｉｎｇ  ｃｅｌｌ）が設定される場合に、端末は、任意のサブフレームで（ｉｎ  ａｎｙ  ｇｉｖｅｎ  ｓｕｂｆｒａｍｅ）ただ一つのサービングセルに対するチャネル状態情報（ＣＳＩ）を伝送することができる。
【０６４９】
任意のサブフレームでフィードバック情報の属性によって第１サービングセルのフィードバック情報が第２サービングセルのフィードバック情報よりも高い優先順位を有すると、より低い優先順位を有する第２サービングセルのフィードバック情報を落とすことができる。
【０６５０】
例えば、ＣＳＩに対するフィードバック情報の優先順位として、上記表７０の報告タイプ（またはＰＵＣＣＨ報告タイプ）に基づいて上記表７３の例示２を説明すると、次の通りである。
【０６５１】
任意のサブフレームで一つのサービングセルのＰＵＣＣＨ報告タイプ３、５、６または２ａが他のサービングセルのＰＵＣＣＨ報告タイプ１、１ａ、２、２ｂ、２または４と衝突する場合に、後者のＣＳＩ（すなわち、ＰＵＣＣＨ報告タイプ１、１ａ、２、２ｂ、２または４）はより低い優先順位を有し、落とすことができる。
【０６５２】
任意のサブフレームで一つのサービングセルのＰＵＣＣＨ報告タイプ２、２ｂ、２ｃまたは４が他のサービングセルのＰＵＣＣＨ報告タイプ１または１ａと衝突する場合に、後者のＣＳＩ（すなわち、ＰＵＣＣＨ報告タイプ１または１ａ）はより低い優先順位を有し、落とすことができる。
【０６５３】
任意のサブフレームで同じ優先順位を有するＰＵＣＣＨ報告タイプを有している異なった複数個のサービングセルのＣＳＩ報告が互いに衝突する場合に、特定サービングセル（ＲＲＣ設定によって高い優先順位を有するサービングセル、例えば、最も低いサービングセルインデックスを有するサービングセル）に関するＣＳＩが報告され、残りのサービングセルに関するＣＳＩは落ちることがある。
【０６５４】
図３５を参照して、本発明の好適な実施例に係るチャネル状態情報報告方法について説明する。
【０６５５】
基地局から端末への下りリンク伝送に対して端末が下りリンクチャネル状態を測定し、その結果を基地局に上りリンクを通じてフィードバックすることができる。例えば、基地局の下りリンク伝送に８伝送アンテナが用いられる場合に、基地局はチャネル状態情報−参照信号（ＣＳＩ−ＲＳ）を８個のアンテナポート（アンテナポートインデックス１５乃至２２）を通じて伝送することができる。端末は、該ＣＳＩ−ＲＳから下りリンクチャネル状態を測定した結果（ＲＩ、ＰＭＩ、ＣＱＩなど）を伝送することができる。ＲＩ／ＰＭＩ／ＣＱＩの選択／算出の具体的な方案には、前述した本発明の種々の例示を適用することができる。基地局は、受信したチャネル状態情報（ＲＩ／ＰＭＩ／ＣＱＩ）に基づいて下りリンク伝送のレイヤーの個数、プリコーダ、変調及びコーディング手法（ＭＣＳ）レベルなどを決定でき、それに従って下りリンク信号を伝送することができる。
【０６５６】
図３５の段階Ｓ３５１０で、端末は、一つ以上の下りリンク搬送波（ＤＬ  Ｃｅｌｌ）のそれぞれに関するチャネル状態情報（ＣＳＩ）を生成することができる。ＣＳＩは、一つ以上の下りリンク搬送波に対するＲＩ、第１ＰＭＩ、第２ＰＭＩ、及び第１及び第２ＰＭＩの組み合わせにより決定されるプリコーディング情報に基づいて計算されるＣＱＩのうち一つ以上を含むことができる。
【０６５７】
段階Ｓ３５２０で端末は、一つの上りリンク搬送波上の一つの上りリンクサブフレームで２以上のＣＳＩが衝突するか決定することができる。
【０６５８】
２以上のＣＳＩが衝突する場合に、段階Ｓ３５３０で優先順位に基づいて、伝送されるＣＳＩを決定することができる。ここで、優先順位を決定するために、ＣＳＩを、ＲＩを含む第１グループ、広帯域第１ＰＭＩを含む第２グループ、広帯域ＣＱＩを含む第３グループ及びサブ帯域ＣＱＩを含む第４グループに分類することができる。これにより、第１グループに属したＣＳＩまたは第２グループに属したＣＳＩが、第３グループに属したＣＳＩまたは第４グループに属したＣＳＩと衝突する場合に、第３グループまたは第４グループに属したＣＳＩは低い優先順位を有し、落とすことができる。また、第１グループに属したＣＳＩと第２グループに属したＣＳＩは同じ優先順位を有することができる。第３グループに属したＣＳＩと第４グループに属したＣＳＩとが衝突する場合に、第４グループに属したＣＳＩが低い優先順位を有し、落とすことができる。
【０６５９】
また、グループによって付与された優先順位が同一であると、８伝送アンテナを用いた下りリンク伝送モードに関するＣＳＩが他の下りリンク伝送モードに関するＣＳＩと衝突する場合に、他の下りリンク伝送モードに関するＣＳＩが低い優先順位を有し、これを落とすことができる。これに加えてまたは別個として、一つ以上の下りリンク搬送波のそれぞれに対して上位層によって設定される優先順位が高い下りリンク搬送波に関するＣＳＩがより高い優先順位を有するようにしてもよい。または、前述した本発明で説明した種々の方式の優先順位設定が適用されてもよい。
【０６６０】
段階Ｓ３５４０で端末は、伝送されるものと決定されたＣＳＩを上りリンクチャネルを用いて伝送することができる。上りリンクチャネルはＰＵＣＣＨでよい。または、上りリンクチャネルはＰＵＳＣＨであり、前述した優先順位を、異なった搬送波に対するＣＳＩが衝突する場合に適用してもよい。
【０６６１】
図３５と関連して説明した本発明のチャネル状態情報伝送方法において、前述した本発明の種々の実施例で説明した事項が独立して適用されてもよく、２以上の実施例が同時に適用されてもよい。ここで、重複する内容は明確性のために説明を省略する。
【０６６２】
また、基地局と中継機間の（バックホール上りリンク及びバックホール下りリンクでの）ＭＩＭＯ伝送及び中継機と端末間の（アクセス上りリンク及びアクセス下りリンクでの）ＭＩＭＯ伝送に対するチャネル状態情報フィードバックにも、本発明で提案する原理を同様に適用することができる。
【０６６３】
図３６は、本発明に係る基地局装置及び端末装置の構成を示す図である。
【０６６４】
図３６を参照して、本発明に係る基地局装置３６１０は、受信モジュール３６１１、伝送モジュール３６１２、プロセッサ３６１３、メモリー３６１４及び複数個のアンテナ３６１５を有することができる。複数個のアンテナ３６１５は、ＭＩＭＯ送受信を支援する基地局装置を意味する。受信モジュール３６１１は、端末からの上りリンク上の各種の信号、データ及び情報を受信することができる。伝送モジュール３６１２は、端末への下りリンク上の各種の信号、データ及び情報を伝送することができる。プロセッサ３６１３は、基地局装置３６１０全般の動作を制御することができる。
【０６６５】
本発明の一実施例に係る基地局装置３６１０は、最大８伝送アンテナを用いて下りリンク伝送をし、下りリンク伝送に対するチャネル状態情報を端末装置３６２０から受信する構成とすることができる。また、基地局装置は、一つ以上の下りリンク搬送波に対するチャネル状態情報を端末から受信することができる。基地局が一つの上りリンク搬送波のＰＵＣＣＨを通じて一つ以上の下りリンク搬送波に対するチャネル状態情報を受信する場合に、基地局が受信するチャネル状態情報は、端末で優先順位によって決定されたチャネル状態情報であってもよい。
【０６６６】
さらに、基地局装置３６１０のプロセッサ３６１３は、基地局装置３６１０が受信した情報、外部に伝送する情報などを演算処理する機能も果たし、メモリー３６１４は、演算処理された情報などを所定時間記憶することができ、バッファー（図示せず）などの構成要素に代わってもよい。
【０６６７】
図３６を参照すると、本発明に係る端末装置３６２０は、受信モジュール３６２１、伝送モジュール３６２２、プロセッサ３６２３、メモリー３６２４及び複数個のアンテナ３６２５を有することができる。複数個のアンテナ３６２５は、ＭＩＭＯ送受信を支援する端末装置を意味する。受信モジュール３６２１は、基地局からの下りリンク上の各種の信号、データ及び情報を受信することができる。伝送モジュール３６２２は、基地局への上りリンク上の各種の信号、データ及び情報を伝送することができる。プロセッサ３６２３は、端末装置３６２０全般の動作を制御することができる。
【０６６８】
本発明の一実施例に係る端末装置３６２０は、基地局装置３６１０からの最大８伝送アンテナを介して下りリンク伝送を受信し、これらの下りリンク伝送に対するチャネル状態情報を基地局にフィードバックする構成とすることができる。端末装置のプロセッサ３６２３は、一つ以上の下りリンク搬送波に対するＲＩ、第１ＰＭＩ、第２ＰＭＩ、及び第１及び第２ＰＭＩの組み合わせにより決定されるプリコーディング情報に基づいて計算されるＣＱＩのうち一つ以上を含むＣＳＩを生成する構成とすることができる。また、プロセッサ３６２３は、一つの上りリンク搬送波上の一つの上りリンクサブフレームで２以上のＣＳＩが衝突する場合に、優先順位に基づいて、伝送されるＣＳＩを決定するように構成されてもよい。また、プロセッサ３６２３は、伝送モジュール３６２２を介して、決定されたＣＳＩを上りリンクチャネルを用いて伝送するように構成されてもよい。ここで、ＣＳＩは、ＲＩを含む第１グループ、広帯域第１ＰＭＩを含む第２グループ、広帯域ＣＱＩを含む第３グループ、及びサブ帯域ＣＱＩを含む第４グループに分類することができる。また、優先順位は、第１グループに属したＣＳＩまたは第２グループに属したＣＳＩが第３グループに属したＣＳＩまたは第４グループに属したＣＳＩと衝突する場合に、第３グループまたは第４グループに属したＣＳＩは低い優先順位を有し、落ちるように設定することができる。
【０６６９】
さらに、端末装置３６２０のプロセッサ３６２３は、端末装置３６２０が受信した情報、外部に伝送する情報などを演算処理する機能も果たし、メモリー３６２４は、演算処理された情報などを所定時間記憶することができ、バッファー（図示せず）などの構成要素に代わってもよい。
【０６７０】
このような基地局装置及び端末装置の具体的な構成は、上記の本発明の種々の実施例で説明した事項が独立して適用されたり、または２以上の実施例が同時に適用されるように具現することができ、重複する内容は明確性のために説明を省略する。
【０６７１】
また、図３６の説明において、基地局装置３６１０に関する説明は、下りリンク伝送主体または上りリンク受信主体としての中継機装置にも同一の適用が可能であり、端末装置３６２０に関する説明は、下りリンク受信主体または上りリンク伝送主体としての中継機装置にも同一の適用が可能である。
【０６７２】
上述した本発明の実施例は様々な手段を通じて具現可能である。例えば、本発明の実施例は、ハードウェア、ファームウェア（ｆｉｒｍｗａｒｅ）、ソフトウェアまたはそれらの結合などにより具現可能である。
【０６７３】
ハードウェアによる具現の場合に、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０６７４】
ファームウェアやソフトウェアによる具現の場合に、本発明の一実施例による方法は、以上で説明された機能または動作を行うモジュール、手順、関数などの形態とすることができる。ソフトウェアコードは、メモリユニットに記憶されて、プロセッサにより駆動されるようにすることができる。メモリユニットは、プロセッサの内部または外部に設けられ、既に公知の様々な手段によりプロセッサとデータを授受することができる。
【０６７５】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。例えば、当業者は、上記の実施例に記載された各構成を互いに組み合わせる方式で用いることができる。したがって、本発明は、ここに開示されている実施形態に制限されるものではなく、ここに開示されている原理及び新規な特徴と一致する最も広い範囲を与えるためのものである。
【０６７６】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成したり、出願後の補正により新しい請求項として含めることができる。
【産業上の利用可能性】
【０６７７】
上述のような多重アンテナを用いるシステムにおいて、フィードバック情報を效果的に報告する方案に関する本発明の様々な実施例は、多重アンテナを用いる様々な移動通信システム（ＯＦＤＭＡ、ＳＣ−ＦＤＭＡ、ＣＤＭＡ、ＴＤＭＡなどの多重接続技術に基づく全ての信システム）に適用可能である。
【図１】
0005995850.tif 000189
【図２】
0005995850.tif 000190
【図３】
0005995850.tif 000191
【図４】
0005995850.tif 000192
【図５】
0005995850.tif 000193
【図６】
0005995850.tif 000194
【図７】
0005995850.tif 000195
【図８】
0005995850.tif 000196
【図９（ａ）】
0005995850.tif 000197
【図９（ｂ）】
0005995850.tif 000198
【図９（ｃ）】
0005995850.tif 000199
【図１０（ａ）】
0005995850.tif 000200
【図１０（ｂ）】
0005995850.tif 000201
【図１１】
0005995850.tif 000202
【図１２】
0005995850.tif 000203
【図１３】
0005995850.tif 000204
【図１４（ａ）】
0005995850.tif 000205
【図１４（ｂ）】
0005995850.tif 000206
【図１５】
0005995850.tif 000207
【図１６】
0005995850.tif 000208
【図１７】
0005995850.tif 000209
【図１８】
0005995850.tif 000210
【図１９】
0005995850.tif 000211
【図２０】
0005995850.tif 000212
【図２１】
0005995850.tif 000213
【図２２】
0005995850.tif 000214
【図２３】
0005995850.tif 000215
【図２４】
0005995850.tif 000216
【図２５】
0005995850.tif 000217
【図２６】
0005995850.tif 000218
【図２７】
0005995850.tif 000219
【図２８（ａ）】
0005995850.tif 000220
【図２８（ｂ）】
0005995850.tif 000221
【図２９】
0005995850.tif 000222
【図３０】
0005995850.tif 000223
【図３１】
0005995850.tif 000224
【図３２】
0005995850.tif 000225
【図３３】
0005995850.tif 000226
【図３４（ａ）】
0005995850.tif 000227
【図３４（ｂ）】
0005995850.tif 000228
【図３５】
0005995850.tif 000229
【図３６】
0005995850.tif 000230